(57)【特許請求の範囲】
【請求項１】
放射線を出力する放射線源と、
前記放射線源が被写体に前記放射線を照射した際に、該被写体を透過した前記放射線を検出して放射線画像に変換する放射線検出器と、
前記放射線画像の撮影に関わる撮影メニューに基づいて前記放射線源及び前記放射線検出器を制御する携帯端末と、
前記被写体のいる現場で前記放射線源、前記放射線検出器及び前記携帯端末と共に配置され、且つ、前記現場を撮影する現場側カメラと、
前記現場に配置された現場側通信部と、
前記被写体に対する前記放射線の照射の権限を有する医師又は放射線技師が待機し、且つ、前記医師又は前記放射線技師が前記被写体を直視できない待機場所に配置されたコンソールと、
前記待機場所に配置された待機場所側通信部と、
を有し、
前記現場側通信部は、少なくとも前記現場側カメラが撮影した現場側光学画像を前記待機場所側通信部に送信し、
前記撮影メニューには、前記被写体に対する前記放射線画像の撮影を要求するためのオーダ情報と、前記オーダ情報に基づく前記被写体の撮影部位及び前記放射線の照射方向を示す手技と、前記被写体に対して前記放射線を照射させる際の撮影条件とが含まれ、
前記コンソールは、前記放射線画像の撮影前に、前記現場側光学画像に写り込んでいる前記被写体が、前記オーダ情報の示す被写体とは異なる場合、あるいは、前記オーダ情報の示す被写体と一致しても撮影部位が異なる場合に、前記オーダ情報、前記手技及び前記撮影条件の順に前記撮影メニューの内容を変更し、一方で、前記現場側光学画像に写り込んでいる前記被写体が、前記オーダ情報の示す被写体と一致しても手技が異なる場合に、前記手技及び前記撮影条件の順に前記撮影メニューの内容を変更し、
前記待機場所側通信部は、少なくとも前記撮影メニューを前記現場側通信部に送信することを特徴とする放射線画像撮影システム。
【請求項２】
請求項１記載のシステムにおいて、
前記携帯端末は、前記現場側光学画像に写り込んでいる前記被写体と、前記撮影メニューの示す被写体とが一致しているか否かを判定する判定処理部をさらに備え、
前記判定処理部は、判定結果を前記現場側通信部を介して前記待機場所側通信部に送信することを特徴とする放射線画像撮影システム。
【請求項３】
請求項２記載のシステムにおいて、
前記コンソールは、前記待機場所側通信部を介して受信した前記判定結果が、前記現場側光学画像に写り込んでいる前記被写体と、前記撮影メニューの示す被写体とが一致することを示す結果であった場合、当該結果を前記医師又は前記放射線技師に通知するための通知部をさらに備えることを特徴とする放射線画像撮影システム。
【請求項４】
請求項３記載のシステムにおいて、
前記コンソールは、前記医師又は前記放射線技師が操作する曝射スイッチと、該曝射スイッチの操作に起因して前記放射線の照射開始を指示するための制御信号を生成する制御信号生成部とをさらに備え、
前記通知部による通知後、前記医師又は前記放射線技師が前記曝射スイッチを操作したときに、前記制御信号生成部は、前記待機場所側通信部を介して前記現場側通信部に前記制御信号を送信し、
前記携帯端末は、前記現場側通信部を介して受信した前記制御信号と、前記撮影メニューとに基づいて、前記放射線源及び前記放射線検出器を制御し、前記放射線画像の撮影を行わせることを特徴とする放射線画像撮影システム。
【請求項５】
請求項２記載のシステムにおいて、
前記コンソールは、前記待機場所側通信部を介して受信した前記判定結果が、前記現場側光学画像に写り込んでいる前記被写体と、前記撮影メニューの示す被写体とが一致しないことを示す結果であった場合、当該結果を前記医師又は前記放射線技師に警告するための警告部をさらに備えることを特徴とする放射線画像撮影システム。
【請求項６】
請求項１〜５のいずれか１項に記載のシステムにおいて、
前記携帯端末は、携帯端末側表示部を備え、
前記コンソールは、コンソール側表示部を備え、
前記現場側通信部は、少なくとも前記現場側光学画像及び／又は前記放射線画像を前記待機場所側通信部に送信し、
前記各表示部は、前記現場側光学画像、前記放射線画像及び前記撮影メニューのうち、少なくとも１つを表示可能であることを特徴とする放射線画像撮影システム。
【請求項７】
請求項６記載のシステムにおいて、
前記コンソールは、前記撮影メニューを変更する際、前記現場側光学画像が他の画像よりも大きく表示されるように、前記現場側光学画像及び前記撮影メニューを前記コンソール側表示部に共に表示させることを特徴とする放射線画像撮影システム。
【請求項８】
被写体のいる現場に放射線源、放射線検出器、携帯端末、現場側カメラ及び現場側通信部を配置すると共に、前記被写体に対する放射線の照射の権限を有する医師又は放射線技師が待機し、且つ、前記医師又は前記放射線技師が前記被写体を直視できない待機場所にコンソール及び待機場所側通信部を配置し、
前記現場側カメラが前記現場を撮影して現場側光学画像を前記現場側通信部から前記待機場所側通信部に送信し、
前記コンソールは、前記現場側光学画像に写り込んでいる前記被写体の状況に応じて、撮影メニューの内容を変更し、
前記待機場所側通信部は、少なくとも前記撮影メニューを前記現場側通信部に送信し、
前記携帯端末は、前記現場側通信部を介して受信した前記撮影メニューに基づき前記放射線源及び前記放射線検出器を制御して、前記放射線源から前記被写体に放射線を照射し、該被写体を透過した前記放射線を前記放射線検出器で検出して放射線画像に変換し、
前記撮影メニューには、前記被写体に対する前記放射線画像の撮影を要求するためのオーダ情報と、前記オーダ情報に基づく前記被写体の撮影部位及び前記放射線の照射方向を示す手技と、前記被写体に対して前記放射線を照射させる際の撮影条件とが含まれ、
前記コンソールは、前記現場側光学画像に写り込んでいる前記被写体が、前記オーダ情報の示す被写体とは異なる場合、あるいは、前記オーダ情報の示す被写体と一致しても撮影部位が異なる場合に、前記オーダ情報、前記手技及び前記撮影条件の順に前記撮影メニューの内容を変更し、一方で、前記現場側光学画像に写り込んでいる前記被写体が、前記オーダ情報の示す被写体と一致しても手技が異なる場合に、前記手技及び前記撮影条件の順に前記撮影メニューの内容を変更することを特徴とする放射線画像撮影方法。
【発明の詳細な説明】
【技術分野】
【０００１】
本発明は、放射線源から被写体に放射線を照射し、該被写体を透過した前記放射線を放射線検出器により検出して放射線画像に変換する放射線画像撮影システム及び放射線画像撮影方法に関する。
【背景技術】
【０００２】
医療分野において、被写体に放射線を照射し、該被写体を透過した前記放射線を放射線変換パネル（放射線検出器）に導いて放射線画像を撮影する放射線画像撮影装置が広汎に使用されている。前記放射線変換パネルとしては、前記放射線画像が露光記録される従来からの放射線フイルムや、蛍光体に前記放射線画像としての放射線エネルギを蓄積し、励起光を照射することで前記放射線画像を輝尽発光光として取り出すことのできる蓄積性蛍光体パネルが知られている。これらの放射線変換パネルは、前記放射線画像が記録された放射線フイルムを現像装置に供給して現像処理を行い、あるいは、前記蓄積性蛍光体パネルを読取装置に供給して読取処理を行うことで、可視画像を得ることができる。
【０００３】
一方、手術室等においては、患者に対して迅速且つ的確な処置を施すため、撮影後の放射線検出器から直ちに放射線画像を読み出して表示できることが必要である。このような要求に対応可能な放射線検出器として、放射線を電気信号に直接変換する固体検出素子を用いた直接変換型の放射線検出器、あるいは、放射線を可視光に一旦変換するシンチレータと、前記可視光を電気信号に変換する固体検出素子とを用いた間接変換型の放射線検出器が開発されている。
【０００４】
なお、上述した放射線検出器は、放射線を透過可能な放射線検出カセッテ（カセッテ本体部）内に収容されている。
【０００５】
このように、従来の放射線画像撮影装置は、特許文献１にも開示されているように、病院内の患者に対する撮影を前提として開発されている。
【０００６】
一方、病院外での撮影に対する要求は潜在的に存在し、例えば、検診車による健康診断を目的とした車載型の放射線画像撮影装置が提案されている（特許文献２）。しかしながら、このような放射線画像撮影装置は、前記検診車に搭載される程度の比較的大きなサイズとなる。そのため、例えば、自然災害等の災害現場や在宅看護の現場において、被写体に対する撮影を行おうとしても、災害現場の場合には、前記検診車を該災害現場にまで移動させることができず、一方で、在宅看護の現場の場合には、該在宅看護の現場となる被写体（在宅者）の自宅にまで前記検診車を移動させることはできても、撮影時には前記在宅者を前記検診車内にまで案内する必要があるので、前記撮影に関わる前記在宅者の負担が大きくなる。従って、前記災害現場や前記在宅看護の現場においては、超小型で且つ可搬型の放射線画像撮影装置が求められている。
【０００７】
そこで、近年、特許文献３に開示されているように、システム全体をコンパクトに収容できるようにした可搬型の放射線画像撮影装置が開発されている。
【先行技術文献】
【特許文献】
【０００８】
【特許文献１】特開２００３−０９３３５４号公報
【特許文献２】特開２００８−２０６７４０号公報
【特許文献３】特開平１１−１０４１１７号公報
【発明の概要】
【発明が解決しようとする課題】
【０００９】
放射線画像撮影装置が全体的に小型化及び軽量化されると、該放射線画像撮影装置の移動が容易となる。この場合、災害現場や在宅看護の現場に放射線画像撮影装置を搬送し、搬送先の現場において、放射線画像撮影装置を組み立てた後に被写体に対する撮影を行う。
【００１０】
ところで、我が国においては、人体に対する放射線の照射（被写体に対する放射線画像の撮影）を業務として行うことができる者は、医師及び歯科医師（以下、単に、医師ともいう。）と診療放射線技師（以下、単に、放射線技師ともいう。）とに限定されることが診療放射線技師法により定められている。そのため、何らかの事情で、被写体に対する放射線の照射の権限を有する前記医師又は前記放射線技師が災害現場や在宅看護の現場に出向くことができない場合に、前記医師又は前記放射線技師以外の者、すなわち、前記診療放射線技師法で定めた前記診療放射線技師の資格を有しない者（以下、操作者ともいう。）が放射線画像撮影装置を現場に持ち込んでも、放射線検出器を収容したカセッテ本体部に対する被写体の撮影部位の位置合わせ等の撮影準備を行うことは可能であるが、前記被写体に対する撮影を行うことはできない。従って、現状では、災害現場や在宅看護の現場での撮影を遂行するために、前記医師又は前記放射線技師の資格保有者も現場に同行する必要がある。
【００１１】
このような不都合を解消するために、特許文献１及び２の技術を適用し、被写体を直視することができない待機場所（例えば、医療機関又は検診車）に待機する医師又は放射線技師からの指示に従って被写体に対する撮影を遂行することが想定される。
【００１２】
しかしながら、特許文献１の技術は、医療機関に運び込まれた緊急患者（被写体）の患部画像（放射線画像）を該医療機関を不在にしている医師の携帯端末に送信することにより、前記緊急患者に対する次の撮影についての指示を前記医師から仰ぐというものである。従って、前記特許文献１の技術をそのまま適用すると、前記次の撮影に対する指示を仰ぐために現場から前記携帯端末に送信される前記患部画像は、前記医師の承認を得ることなく撮影された放射線画像となるおそれがある。また、前記患部画像を前記携帯端末に送信して前記次の撮影の指示を仰ぐ必要があるので、前記医師から現場に対してリアルタイムで撮影を指示することができない。
【００１３】
一方、特許文献２の技術は、被写体の体動を撮影した光学画像に基づいて放射線の曝射を中止するというものである。そのため、前記特許文献２の技術をそのまま適用しても、医師から現場に対してリアルタイムで撮影を指示することができない。
【００１４】
さらに、現場では、医師又は放射線技師が想定していない被写体（例えば、災害現場での怪我人や被災者）に対しても放射線画像の撮影を行う場合も想定される。この場合、放射線画像の撮影をリアルタイムで指示できると共に、当該被写体に応じて、放射線画像の撮影に関わる撮影メニューを設定し（書き替え）、設定後の撮影メニューに従って前記被写体に対する放射線画像の撮影を行えることが望ましい。しかしながら、上記の各文献には、現場の被写体に応じて撮影メニューを設定し、設定した撮影メニューに基づいて放射線画像の撮影を行うことについて、何ら提案されていない。
【００１５】
本発明は、上記の課題を解消するためになされたものであり、医師又は放射線技師が災害現場や在宅看護の現場に直接出向かなくても、被写体に対する撮影を遂行することが可能となる放射線画像撮影システム及び放射線画像撮影方法を提供することを目的とする。
【００１６】
また、本発明は、現場の被写体に応じて撮影メニューを設定し（書き替え）、設定後の撮影メニューに基づいて適切な放射線画像を取得することが可能となる放射線画像撮影システム及び放射線画像撮影方法を提供することを目的とする。
【課題を解決するための手段】
【００１７】
上記の目的を達成するために、本発明に係る放射線画像撮影システムは、
放射線を出力する放射線源と、
前記放射線源が被写体に前記放射線を照射した際に、該被写体を透過した前記放射線を検出して放射線画像に変換する放射線検出器と、
前記放射線画像の撮影に関わる撮影メニューに基づいて前記放射線源及び前記放射線検出器を制御する携帯端末と、
前記被写体のいる現場で前記放射線源、前記放射線検出器及び前記携帯端末と共に配置され、且つ、前記現場を撮影する現場側カメラと、
前記現場に配置された現場側通信部と、
前記被写体に対する前記放射線の照射の権限を有する医師又は放射線技師が待機し、且つ、前記医師又は前記放射線技師が前記被写体を直視できない待機場所に配置されたコンソールと、
前記待機場所に配置された待機場所側通信部と、
を有し、
前記現場側通信部は、少なくとも前記現場側カメラが撮影した現場側光学画像を前記待機場所側通信部に送信し、
前記コンソールは、前記放射線画像の撮影前に、前記現場側光学画像に写り込んでいる前記被写体の状況に応じて、前記撮影メニューの内容を変更可能であり、
前記待機場所側通信部は、少なくとも前記撮影メニューを前記現場側通信部に送信することを特徴としている。
【００１８】
また、本発明に係る放射線画像撮影方法は、
被写体のいる現場に放射線源、放射線検出器、携帯端末、現場側カメラ及び現場側通信部を配置すると共に、前記被写体に対する放射線の照射の権限を有する医師又は放射線技師が待機し、且つ、前記医師又は前記放射線技師が前記被写体を直視できない待機場所にコンソール及び待機場所側通信部を配置し、
前記現場側カメラが前記現場を撮影して現場側光学画像を前記現場側通信部から前記待機場所側通信部に送信し、
前記コンソールは、前記現場側光学画像に写り込んでいる前記被写体の状況に応じて、撮影メニューの内容を変更し、
前記待機場所側通信部は、少なくとも前記撮影メニューを前記現場側通信部に送信し、
前記携帯端末は、前記現場側通信部を介して受信した前記撮影メニューに基づき前記放射線源及び前記放射線検出器を制御して、前記放射線源から前記被写体に放射線を照射し、該被写体を透過した前記放射線を前記放射線検出器で検出して放射線画像に変換することを特徴としている。
【発明の効果】
【００１９】
本発明によれば、放射線画像の撮影前に、現場側通信部から待機場所側通信部に現場側光学画像が送信され、コンソールは、前記現場側光学画像に写り込んでいる被写体の状況に応じて撮影メニューの内容を設定（変更）し、設定後の前記撮影メニューを前記待機場所側通信部から前記現場側通信部に送信する。この結果、携帯端末は、設定後の前記撮影メニューに基づいて前記放射線源及び前記放射線検出器を制御し、前記被写体に対する放射線画像の撮影を行わせる。
【００２０】
このように、本発明によれば、前記被写体を直視することのできない待機場所に待機している医師又は放射線技師は、前記待機場所側通信部が受信した前記現場側光学画像に基づき、現場にいる操作者に対して、リアルタイムで前記被写体の撮影を指示することができる。従って、前記現場に前記医師又は前記放射線技師が直接出向かなくても前記被写体に対する撮影を遂行することが可能となる。
【００２１】
また、前記被写体に応じて前記撮影メニューを設定し（書き替え）、設定後の前記撮影メニューに基づいて前記放射線画像の撮影を行うことにより、適切な放射線画像を取得することも可能となる。
【図面の簡単な説明】
【００２２】
【図１】本実施形態に係る放射線画像撮影システムの斜視図である。
【図２】図１の放射線画像撮影装置の斜視図である。
【図３】図３Ａ及び図３Ｂは、図２の放射線源本体部の斜視図である。
【図４】図２の放射線画像撮影装置の側面図である。
【図５】図２の放射線画像撮影装置の側面図である。
【図６】図２の放射線画像撮影装置の側面図である。
【図７】図２の放射線画像撮影装置の搬送状態を示す斜視図である。
【図８】図２の放射線源本体部の内部を示す説明図である。
【図９】図２のカセッテ本体部の平面図である。
【図１０】放射線検出器における画素の配列を模式的に示す説明図である。
【図１１】カセッテ本体部の回路図である。
【図１２】図１の放射線画像撮影装置のブロック図である。
【図１３】図１の医療機関のブロック図である。
【図１４】図１の放射線画像撮影システムの動作（第１実施例）を説明するためのフローチャートである。
【図１５】図１の放射線画像撮影システムの動作を説明するためのフローチャートである。
【図１６】図１の放射線画像撮影システムの動作を説明するためのフローチャートである。
【図１７】図１の放射線画像撮影システムの動作を説明するためのフローチャートである。
【図１８】図１の放射線画像撮影システムの動作を説明するためのフローチャートである。
【図１９】図１の放射線画像撮影システムの動作を説明するためのフローチャートである。
【図２０】図１の放射線画像撮影システムの動作を説明するためのフローチャートである。
【図２１】図１の放射線画像撮影システムの他の動作（第２実施例）を説明するためのフローチャートである。
【図２２】図１の放射線画像撮影システムの他の動作（第３実施例）を説明するためのフローチャートである。
【図２３】コンソールの表示部の画面表示を示す説明図である。
【図２４】コンソールの表示部の画面表示を示す説明図である。
【図２５】図２３及び図２４に示す一部の表示領域を拡大した例を示す説明図である。
【図２６】図２３及び図２４に示す一部の表示領域を拡大した例を示す説明図である。
【図２７】図２３及び図２４に示す各表示領域を２つのウィンドウにそれぞれ表示させた例を示す説明図である。
【図２８】図２３及び図２４に示す各表示領域を２つのウィンドウにそれぞれ表示させた例を示す説明図である。
【図２９】図２３及び図２４に示す各表示領域を２つのウィンドウにそれぞれ表示させた例を示す説明図である。
【図３０】図２３及び図２４に示す各表示領域を２つのウィンドウにそれぞれ表示させた例を示す説明図である。
【図３１】携帯情報端末の表示部の画面表示を示す説明図である。
【図３２】図３１に示す一部の表示領域を拡大した例を示す説明図である。
【図３３】図３１に示す一部の表示領域を拡大した例を示す説明図である。
【図３４】図３１に示す一部の表示領域を拡大した例を示す説明図である。
【図３５】図３１に示す各表示領域を３つのウィンドウにそれぞれ表示させた例を示す説明図である。
【図３６】図３１に示す各表示領域を３つのウィンドウにそれぞれ表示させた例を示す説明図である。
【図３７】図３１に示す各表示領域を３つのウィンドウにそれぞれ表示させた例を示す説明図である。
【図３８】図３１に示す各表示領域を３つのウィンドウにそれぞれ表示させた例を示す説明図である。
【図３９】図３１に示す各表示領域を３つのウィンドウにそれぞれ表示させた例を示す説明図である。
【図４０】図２４に一覧表示された複数の手技から１つの手技を選択した後の画面表示を示す説明図である。
【図４１】図４０の手技に応じた撮影条件の一覧表示を示す説明図である。
【図４２】図４１に一覧表示された複数の撮影条件から１つの撮影条件を選択した後の画面表示を示す説明図である。
【図４３】オーダ情報、手技及び撮影条件の設定直後の画面表示を示す説明図である。
【図４４】オーダ情報、手技及び撮影条件の設定後の画面表示を示す説明図である。
【図４５】撮影部位の厚みとＳＩＤとを設定する際のコンソールの表示部の画面表示を示す説明図である。
【図４６】撮影部位の厚みとＳＩＤとを設定する際のコンソールの表示部の画面表示を示す説明図である。
【図４７】撮影条件を設定する際のコンソールの表示部の画面表示を示す説明図である。
【図４８】撮影条件を設定する際のコンソールの表示部の画面表示を示す説明図である。
【図４９】撮影条件を設定する際のコンソールの表示部の画面表示を示す説明図である。
【図５０】撮影メニューの設定内容を現場に送信したことを通知するためのコンソールの表示部の画面表示を示す説明図である。
【図５１】携帯情報端末の表示部における撮影メニューの設定内容の画面表示を示す説明図である。
【図５２】携帯情報端末の表示部における撮影メニューの設定内容の画面表示を示す説明図である。
【図５３】設定内容の確認通知を医療機関に送信したことを報知するための携帯情報端末の表示部の画面表示を示す説明図である。
【図５４】設定内容の確認通知を送信した後の携帯情報端末の表示部の画面表示を示す説明図である。
【図５５】設定内容の確認通知を受信したときのコンソールの表示部の画面表示を示す説明図である。
【図５６】設定内容の確認を求めるための画面表示を示す説明図である。
【図５７】認証処理の結果を通知するためのコンソールの表示部の画面表示を示す説明図である。
【図５８】認証処理の結果を通知するコンソールの表示部の画面表示を示す説明図である。
【図５９】認証処理の結果を通知する携帯情報端末の表示部の画面表示を示す説明図である。
【図６０】認証処理の結果を通知する携帯情報端末の表示部の画面表示を示す説明図である。
【図６１】被写体のポジショニング時における携帯情報端末の表示部の画面表示を示す説明図である。
【図６２】被写体のポジショニング時におけるコンソールの表示部の画面表示を示す説明図である。
【図６３】被写体のポジショニング時における携帯情報端末の表示部の画面表示を示す説明図である。
【図６４】被写体のポジショニング時におけるコンソールの表示部の画面表示を示す説明図である。
【図６５】被写体のポジショニングがＯＫであることを通知する携帯情報端末の表示部の画面表示を示す説明図である。
【図６６】被写体のポジショニングがＯＫであることを通知する携帯情報端末の表示部の画面表示を示す説明図である。
【図６７】医師又は放射線技師からの指示を通知する携帯情報端末の表示部の画面表示を示す説明図である。
【図６８】医師又は放射線技師からの指示を通知する携帯情報端末の表示部の画面表示を示す説明図である。
【図６９】被写体のポジショニングがＯＫであることを通知する携帯情報端末の表示部の画面表示を示す説明図である。
【図７０】医師又は放射線技師からの指示を通知する携帯情報端末の表示部の画面表示を示す説明図である。
【図７１】被写体のポジショニングの良否判定を行うためのコンソールの表示部の画面表示を示す説明図である。
【図７２】被写体のポジショニング時におけるコンソールの表示部の画面表示を示す説明図である。
【図７３】被写体のポジショニング時におけるコンソールの表示部の画面表示を示す説明図である。
【図７４】曝射スイッチが表示されているときのコンソールの表示部の画面表示を示す説明図である。
【図７５】放射線画像の撮影後における携帯情報端末の表示部の画面表示を示す説明図である。
【図７６】放射線画像の撮影後における携帯情報端末の表示部の画面表示を示す説明図である。
【図７７】放射線画像の良否判定を行うためのコンソールの表示部の画面表示を示す説明図である。
【図７８】連続撮影の有無を指示するためのコンソールの表示部の画面表示を示す説明図である。
【図７９】異なる条件での撮影又は他の被写体の撮影の有無を指示するためのコンソールの表示部の画面表示を示す説明図である。
【図８０】放射線画像の撮影がＯＫであることを通知する携帯情報端末の表示部の画面表示を示す説明図である。
【図８１】放射線画像の撮影後における携帯情報端末の表示部の画面表示を示す説明図である。
【図８２】放射線画像の良否判定を行うためのコンソールの表示部の画面表示を示す説明図である。
【図８３】放射線画像の撮影がＮＧであり且つ再撮影を行うことを通知する携帯情報端末の表示部の画面表示を示す説明図である。
【図８４】再撮影での被写体のポジショニング時における携帯情報端末の表示部の画面表示を示す説明図である。
【図８５】再撮影での被写体のポジショニング時におけるコンソールの表示部の画面表示を示す説明図である。
【図８６】放射線画像の表示領域を拡大した例を示す携帯情報端末の表示部の画面表示の説明図である。
【図８７】放射線画像の表示領域を拡大した例を示すコンソールの表示部の画面表示の説明図である。
【図８８】被写体のカメラ画像、被写体のポジショニング時の２つのカメラ画像及び放射線画像を４画面表示した例を示すコンソールの表示部の画面表示の説明図である。
【図８９】被写体のカメラ画像、被写体のポジショニング時の２つのカメラ画像及び放射線画像を４画面表示した例を示す携帯情報端末の表示部の画面表示の説明図である。
【図９０】被写体の瞳孔を含む顔のカメラ画像の表示例を示すコンソールの表示部の画面表示の説明図である。
【図９１】被写体の瞳孔を含む顔のカメラ画像の表示例を示す携帯情報端末の表示部の画面表示の説明図である。
【図９２】手技を一覧表示したコンソールの表示部の画面表示を示す説明図である。
【図９３】オーダ情報を設定する際のコンソールの表示部の画面表示を示す説明図である。
【図９４】撮影メニューの設定内容の可否判定を行うための携帯情報端末の表示部の画面表示を示す説明図である。
【図９５】設定内容がＯＫの通知を送信した後の携帯情報端末の表示部の画面表示を示す説明図である。
【図９６】設定内容がＯＫの通知を受信したときのコンソールの表示部の画面表示を示す説明図である。
【図９７】設定内容がＮＧの通知を送信した後の携帯情報端末の表示部の画面表示を示す説明図である。
【図９８】設定内容がＮＧの通知を受信したときのコンソールの表示部の画面表示を示す説明図である。
【図９９】医療機関における携帯情報端末、放射線源本体部及びカセッテ本体部に対する充電処理の状態を示す斜視図である。
【図１００】第１変形例に係る放射線画像撮影システム（放射線画像撮影装置）の斜視図である。
【図１０１】第２変形例に係る放射線画像撮影システム（放射線画像撮影装置）の斜視図である。
【図１０２】第３変形例に係る放射線画像撮影システム（放射線画像撮影装置）の斜視図である。
【図１０３】第４変形例に係る放射線画像撮影システム（放射線画像撮影装置）の斜視図である。
【図１０４】第５変形例に係る放射線画像撮影システム（放射線画像撮影装置）の斜視図である。
【図１０５】第６変形例に係る放射線画像撮影システム（放射線画像撮影装置）の斜視図である。
【図１０６】第７変形例に係る放射線画像撮影システム（放射線画像撮影装置）の斜視図である。
【図１０７】第８変形例に係る放射線画像撮影システム（放射線画像撮影装置）の斜視図である。
【図１０８】第９変形例に係る放射線画像撮影システム（放射線画像撮影装置）の斜視図である。
【図１０９】第１０変形例に係る放射線画像撮影システム（放射線画像撮影装置）の構成図である。
【図１１０】図１１０Ａ及び図１１０Ｂは、図３Ａ及び図３Ｂの放射線源本体部の他の構成を示す斜視図である。
【発明を実施するための形態】
【００２３】
本発明に係る放射線画像撮影システムについて、放射線画像撮影方法又は画像表示方法との関連で、好適な実施形態を、図１〜図１１０Ｂを参照しながら以下詳細に説明する。
【００２４】
本実施形態に係る放射線画像撮影システム１１は、図１及び図２に示すように、放射線画像撮影装置１０を有する。
【００２５】
放射線画像撮影装置１０は、放射線１２を出力する放射線源１４を収容した放射線源本体部１６と、被写体１８を透過した放射線１２を放射線画像に変換する放射線検出器２０（図４〜図６参照）を収容したカセッテ本体部２２と、無線により放射線源本体部１６及びカセッテ本体部２２と電気的に接続され、且つ、放射線画像撮影装置１０の操作者３２が操作可能な携帯情報端末３４（携帯端末）とを有する。また、携帯情報端末３４は、公衆回線等を利用したネットワーク３６を介して、医師（又は放射線技師）３８が所属する医療機関４０（待機場所）との間で、無線通信による信号の送受信が可能である。
【００２６】
なお、操作者３２とは、我が国の診療放射線技師法により定められた診療放射線技師の資格を有しない者、具体的には、被写体１８に対する放射線１２の照射の権限を有する医師又は歯科医師（以下、単に、医師という。）及び診療放射線技師（以下、単に、放射線技師という。）以外の者をいう。また、本実施形態において、被写体１８は、災害現場や在宅看護の現場におり、一方で、医師（又は放射線技師）３８は、被写体１８を直視することができない（遠隔地の）医療機関４０にいる（待機している）が、何らかの事情で災害現場や在宅看護の現場に直接出向くことができないため、操作者３２が医師３８に代わって前記災害現場や前記在宅看護の現場に出向く。
【００２７】
従って、本実施形態では、このような現場に放射線画像撮影装置１０を持ち込んで被写体１８に対する放射線１２の照射（放射線画像の撮影）を行う場合について説明する。なお、医師３８の待機場所は、被写体１８を直視することができない場所であるため、災害現場や在宅看護の現場に限らず、医療機関４０内で医師３８が被写体１８を直視することができない場所も現場に含まれる。以下の説明では、参照数字３８は、医師として説明する。
【００２８】
ここで、携帯情報端末３４は、所定の撮影領域２８を撮影するウェブカメラ３０（携帯端末側カメラ、現場側カメラ）を内蔵し、一方で、放射線源本体部１６も、所定の撮影領域３３２を撮影するウェブカメラ３３０（線源側カメラ、現場側カメラ）を内蔵している。すなわち、ウェブカメラ３０は、携帯情報端末３４と一体的に構成されていると共に、ウェブカメラ３３０も、放射線源１４を含む放射線源本体部１６と一体的に構成されている。
【００２９】
この場合、ウェブカメラ３０は、撮影領域２８を連続的に撮影し、連続的に撮影した光学画像であるカメラ画像（動画像）を出力する。また、ウェブカメラ３０は、撮影領域２８を所定時間間隔で（間欠的に）撮影し、間欠的に撮影した光学画像であるカメラ画像（静止画像）を出力するか、あるいは、所定時刻に撮影したカメラ画像（静止画像）を出力することも可能である。一方、ウェブカメラ３３０も、ウェブカメラ３０と同様に、撮影領域３３２を連続的に撮影し、連続的に撮影したカメラ画像（動画像）を出力する。また、ウェブカメラ３３０は、撮影領域３３２を所定時間間隔で（間欠的に）撮影し、間欠的に撮影したカメラ画像（静止画像）を出力するか、あるいは、所定時刻に撮影したカメラ画像（静止画像）を出力することも可能である。
【００３０】
なお、ウェブカメラ３０と携帯情報端末３４との一体的な構成とは、ウェブカメラ３０が携帯情報端末３４に内蔵される図１、図２及び図４〜図６の構成に限定されず、少なくとも放射線画像撮影装置１０の使用時にはウェブカメラ３０と携帯情報端末３４とが一体的に連結（接続）されている構成も含まれる。従って、（１）放射線画像撮影装置１０に備え付けのケーブルを介してウェブカメラ３０と携帯情報端末３４とが接続される構成、（２）操作者３２が別途用意したケーブルを介してウェブカメラ３０と携帯情報端末３４とが接続される構成、（３）使用時には、携帯情報端末３４とウェブカメラ３０とが連結される一方で、メンテナンス時や非使用時には、携帯情報端末３４からウェブカメラ３０を離間可能（分離可能）な構成も、ウェブカメラ３０と携帯情報端末３４との一体的な構成に包含される。
【００３１】
ここで、メンテナンス時や非使用時に携帯情報端末３４からウェブカメラ３０を離間可能とするためには、例えば、クリップ等の連結手段によってウェブカメラ３０を携帯情報端末３４に連結すればよい。これにより、使用時にのみ、ウェブカメラ３０が連結手段を介して携帯情報端末３４と連結されることになる。また、連結手段にボールジョイントを具備させて、携帯情報端末３４に連結されたウェブカメラ３０の向きを変更自在にしてもよい。なお、連結手段により連結する場合には、ウェブカメラ３０と携帯情報端末３４との間を有線（例えば、ＵＳＢケーブル）又は無線により接続する必要があることは勿論である。
【００３２】
また、携帯情報端末３４とウェブカメラ３０とをケーブルで接続した構成は、該ケーブルの長さの範囲内であれば、ウェブカメラ３０を所望の位置に自立した状態で配置することが可能であるため、携帯情報端末３４にウェブカメラ３０を内蔵させた構成と比較して、ウェブカメラ３０のポジショニングの自由度が高い。
【００３３】
一方、ウェブカメラ３３０と放射線源本体部１６との一体的な構成についても、ウェブカメラ３３０が放射線源本体部１６に内蔵される図１、図２、図３Ｂ及び図４の構成に限定されず、少なくとも放射線画像撮影装置１０の使用時にはウェブカメラ３３０と放射線源本体部１６とが一体的に連結（接続）されている構成も含まれる。従って、（１）放射線画像撮影装置１０に備え付けのケーブルを介してウェブカメラ３３０と放射線源本体部１６とが接続される構成、（２）操作者３２が別途用意したケーブルを介してウェブカメラ３３０と放射線源本体部１６とが接続される構成、（３）使用時には、放射線源本体部１６とウェブカメラ３３０とが連結される一方で、メンテナンス時や非使用時には、放射線源本体部１６からウェブカメラ３３０を離間可能（分離可能）な構成も、ウェブカメラ３３０と放射線源本体部１６との一体的な構成に包含される。
【００３４】
この場合でも、メンテナンス時や非使用時に放射線源本体部１６からウェブカメラ３３０を離間可能とするためには、例えば、クリップ等の連結手段によってウェブカメラ３３０を放射線源本体部１６に連結すればよい。これにより、使用時にのみ、ウェブカメラ３３０が連結手段を介して放射線源本体部１６と連結されることになる。また、連結手段にボールジョイントを具備させて、放射線源本体部１６に連結されたウェブカメラ３３０の向きを変更自在にしてもよい。なお、連結手段により連結する場合には、ウェブカメラ３３０と放射線源本体部１６との間を有線（例えば、ＵＳＢケーブル）又は無線により接続する必要があることは勿論である。
【００３５】
さらに、放射線源本体部１６とウェブカメラ３３０とをケーブルで接続した構成は、該ケーブルの長さの範囲内であれば、ウェブカメラ３３０を所望の位置に自立した状態で配置することが可能であるため、放射線源本体部１６にウェブカメラ３３０を内蔵させた構成と比較して、ウェブカメラ３３０のポジショニングの自由度が高い。
【００３６】
図１、図２、図４〜図６及び図９に示すように、カセッテ本体部２２は、放射線１２を透過可能な材料からなる略矩形状の筐体４２を有し、該筐体４２の放射線源本体部１６側の表面は、放射線１２が照射される照射面４４とされている。この照射面４４における放射線１２の照射部分（照射野）には、撮影領域及び撮影位置の基準となるガイド線４６が形成されている。ガイド線４６の外枠部分（放射線１２の照射野）は、図９に示すように、放射線検出器２０に略対応している。また、筐体４２の一つの側面４８には、カセッテ本体部２２を起動させるためのスイッチ５０と、図示しないＵＳＢケーブルが接続されるＵＳＢ端子１７２とが配置されている。
【００３７】
図１〜図６に示すように、放射線源本体部１６は、放射線１２を透過可能な材料からなる略円筒状の筐体１３０を有し、放射線源本体部１６における放射線１２の出力箇所とは反対側の箇所には、操作者３２が把持する取手３１０が設けられている。また、前述したウェブカメラ３３０は、放射線源本体部１６における放射線１２の出力箇所の近傍に配置されている。この場合、操作者３２は、例えば、一方の手で取手３１０を把持しながら、ウェブカメラ３３０が内蔵された放射線源本体部１６をカセッテ本体部２２に向けると共に、他方の手で携帯情報端末３４を操作することが可能である。
【００３８】
このようにして、放射線源本体部１６をカセッテ本体部２２側に向けることで、放射線源１４からカセッテ本体部２２に対して放射線１２を照射することが可能になると共に、ウェブカメラ３３０によりカセッテ本体部２２のカメラ画像（線源側光学画像、現場側光学画像）を撮影することも可能となる。
【００３９】
この場合、ウェブカメラ３３０は、放射線源本体部１６とカセッテ本体部２２との間に被写体１８がいる状態で、該被写体１８の撮影部位（図１及び図２では被写体１８の右手）及びカセッテ本体部２２のガイド線４６の範囲を含む所定領域を撮影領域３３２として撮影する。あるいは、ウェブカメラ３３０は、瞳孔を含む被写体１８の顔が撮影領域３３２に入るように撮影を行うことも可能である。
【００４０】
また、取手３１０には、静電容量式又は抵抗膜式のタッチセンサ３１２が設けられている。そのため、操作者３２が取手３１０を把持すると、タッチセンサ３１２を構成する図示しない電極に操作者３２の手が接触し、該タッチセンサ３１２は、前記手と前記電極との接触に基づく検出信号を出力することができる。
【００４１】
さらに、放射線源本体部１６は、放射線源１４及びウェブカメラ３３０に加え、照射光５４を投光する照射野ランプ５６も収容されている。照射野ランプ５６は、放射線源１４から放射線１２が出力される前に照射光５４を照射面４４に投光することにより、放射線１２の照射野を照射面４４に表示する。さらにまた、筐体１３０の側面には、図示しないＵＳＢケーブルが接続されるＵＳＢ端子１３２が配置されている。
【００４２】
また、後述する放射線源１４の焦点１６０とガイド線４６の中心位置（十字状に交差するガイド線４６の交点）とを結ぶ直線が照射面４４に略直交しているときの焦点１６０と放射線検出器２０との間の距離（撮影間距離）が線源受像画間距離（ＳＩＤ）に設定されている場合には、照射光５４の投光により照射面４４に表示された放射線１２の照射野とガイド線４６の外枠とが略一致する。さらに、筐体１３０における照射光５４が通過する箇所は、例えば、該照射光５４が透過可能な材質で構成されていることが望ましい。
【００４３】
図１、図２、図４〜図７及び図９９に示すように、携帯情報端末３４は、ノート型のパーソナル・コンピュータであり、キーボード等の操作部６０が本体部６２の上面（蓋部６６側）に配設され、一方で、ディスプレイ等の表示部６４（携帯端末側表示部、通知部）が蓋部６６の底面（操作部６０側）に配設されている。
【００４４】
携帯情報端末３４は、非使用時には、本体部６２の一側面に設けられた軸部６８と、該軸部６８の両端部に連結された２つのヒンジ部７０との作用によって、図７及び図９９に示すように、本体部６２と蓋部６６とが折り畳まれた状態となる。なお、本体部６２の上面に２つの突起７２が形成され、一方で、蓋部６６の底面に各突起７２に対応して２つの凹部７４が形成されているので、前記非使用時に本体部６２の上面と蓋部６６の底面とを接触させると、突起７２と凹部７４とが嵌合して、本体部６２と蓋部６６とを折り畳んだ状態に保持することができる。
【００４５】
また、携帯情報端末３４は、使用時には、ヒンジ部７０の作用下に、軸部６８を中心に本体部６２に対して蓋部６６を回動させることにより、折り畳んだ状態から図１、図２及び図４〜図６に示す状態に展開することができる。
【００４６】
本体部６２の上面における操作部６０の周囲には、携帯情報端末３４を起動させるための電源スイッチ７６、音声を出力可能なスピーカ７８、及び、被写体１８や操作者３２の音声を入力可能なマイクロフォン８０がさらに配設されている。また、本体部６２の側面には、図示しないＵＳＢケーブルやＵＳＢメモリ３３４と接続可能なＵＳＢ端子８４、８８、９０と、メモリカード９２を装填するためのカードスロット９４と、ＡＣアダプタの入力端子９６とが設けられている。
【００４７】
蓋部６６の上面側には、前述したウェブカメラ３０が配設されている。ウェブカメラ３０は、本体部６２に対して蓋部６６が回動し、且つ、操作者３２の操作により電源スイッチ７６が投入されて、携帯情報端末３４が起動している状態において、撮影領域２８のカメラ画像（携帯端末側光学画像、現場側光学画像）を撮影する。具体的に、ウェブカメラ３０は、瞳孔を含む被写体１８の顔が撮影領域２８に入るように撮影を行うか、あるいは、放射線源本体部１６とカセッテ本体部２２との間に被写体１８がいる状態で、放射線源本体部１６、被写体１８（の撮影部位）及びカセッテ本体部２２（のガイド線４６の範囲）を含む所定領域を撮影領域２８として撮影を行う。
【００４８】
なお、本実施形態では、ノート型の携帯情報端末３４について説明するが、該携帯情報端末３４は、操作部６０及び表示部６４等の各種機能を具備する携帯端末であればよく、例えば、タッチパネルディスプレイを搭載したハンドヘルド型のパーソナル・コンピュータ（タブレットＰＣ）や、画面表示機能付きの携帯電話機や、ＰＤＡ（個人情報端末）でもよいことは勿論である。
【００４９】
図７は、操作者３２が放射線画像撮影装置１０を搬送する際の該放射線画像撮影装置１０の状態を示している。
【００５０】
この場合、放射線源本体部１６、カセッテ本体部２２及び折り畳まれた状態の携帯情報端末３４は、アタッシュケース９８の内部に収容されている。従って、操作者３２は、取手１００を把持した状態でアタッシュケース９８を医療機関４０から所望の場所、例えば、災害現場や在宅看護の現場に搬送し、搬送先の現場において、アタッシュケース９８から放射線源本体部１６、カセッテ本体部２２及び折り畳まれた状態の携帯情報端末３４を取り出して、図１〜図６に示す状態にまで組み立てることにより、災害現場の被災者に対して放射線画像の撮影前に行われる撮影準備、あるいは、在宅看護が必要とされる在宅者に対して放射線画像の撮影前に行われる撮影準備を遂行することができる。
【００５１】
従って、本実施形態に係る放射線画像撮影装置１０は、ウェブカメラ３０と携帯情報端末３４とが一体的に構成され、且つ、ウェブカメラ３３０と放射線源本体部１６とが一体的に構成された可搬型の放射線画像撮影装置である。なお、以下の説明では、放射線画像の撮影対象となる前記被災者又は前記在宅者を被写体１８ともいう。
【００５２】
図１に戻り、医療機関４０には、ネットワーク３６を介して携帯情報端末３４との間で無線通信による信号の送受信を行うためのアンテナ１０２を備えた通信部１０４（待機場所側通信部）が配設され、この通信部１０４に対してコンソール１０６が電気的に接続されている。
【００５３】
コンソール１０６は、医療機関４０内の放射線科において取り扱われる放射線画像やその他の情報を統括的に管理する、図示しない放射線科情報システム（ＲＩＳ）に接続され、該ＲＩＳは、医療機関内の医事情報を統括的に管理する医事情報システム（ＨＩＳ）に接続されている。
【００５４】
この場合、コンソール１０６は、医療機関４０内の医師３８がいる部屋の机１０７に配置され、各種処理を実行する本体部１０８と、椅子１１０に着座した医師３８に対して所定の表示内容を表示するディスプレイ等の表示部１１２（コンソール側表示部、通知部、警告部）と、医師３８が操作するキーボード等の操作部１１４及びマウス３３６と、表示部１１２の上部に取り付けられ、医師３８を撮影するウェブカメラ１１６（待機場所側カメラ）と、音声を出力するスピーカ１１８（通知部、警告部）と、放射線源１４からの放射線１２の出力の開始を医師３８が指示するための曝射スイッチ１２０と、医師３８の音声を入力可能なマイクロフォン１２２とを有する。
【００５５】
前述したように、携帯情報端末３４と通信部１０４との間は、ネットワーク３６を介した無線通信による信号の送受信が行われていると共に、携帯情報端末３４と放射線源本体部１６及びカセッテ本体部２２との間も無線通信による信号の送受信が可能である。そのため、携帯情報端末３４は、ウェブカメラ３０、３３０からのカメラ画像、カセッテ本体部２２（の放射線検出器２０）からの放射線画像、及び、マイクロフォン８０に入力された操作者３２又は被写体１８の音声に応じた音声信号を、ネットワーク３６を介して医療機関４０のアンテナ１０２及び通信部１０４に送信することが可能である。
【００５６】
一方、通信部１０４は、ウェブカメラ１１６が撮影した医師３８のカメラ画像（動画像、間欠的に撮影された静止画像又は所定時刻に撮影された静止画像である待機場所側光学画像）、医師３８による曝射スイッチ１２０の投入に基づいて本体部１０８内で生成された曝射制御信号、及び、マイクロフォン１２２に入力された医師３８の音声に応じた音声信号を、アンテナ１０２及びネットワーク３６を介して携帯情報端末３４に送信することが可能である。また、通信部１０４は、オーダ情報、手技及び撮影条件を含む放射線画像の撮影に関わる撮影メニューも、アンテナ１０２及びネットワーク３６を介して携帯情報端末３４に送信する。
【００５７】
従って、携帯情報端末３４の表示部６４は、ウェブカメラ３０が撮影した撮影領域２８のカメラ画像、ウェブカメラ３３０が撮影した撮影領域３３２のカメラ画像、放射線検出器２０からの放射線画像、及び／又は、ウェブカメラ１１６が撮影した医師３８のカメラ画像を表示することが可能である。また、表示部６４は、上記の各音声信号や曝射制御信号に対応する表示内容（文字情報）や、撮影メニューの内容を表示することも可能である。さらに、スピーカ７８は、医師３８の音声や曝射制御信号に応じた音声（放射線源１４からの放射線１２の出力開始を告げる警告音）を出力することも可能である。
【００５８】
また、携帯情報端末３４は、前記曝射制御信号に基づき生成した同期制御信号を放射線源本体部１６及びカセッテ本体部２２にそれぞれ送信すると共に、撮影メニューのオーダ情報、手技及び撮影条件に従って放射線源１４及びカセッテ本体部２２を制御することにより、放射線源１４からの放射線１２の出力（の開始）と、放射線検出器２０における放射線１２の検出及び放射線画像への変換との同期を取りながら、被写体１８の放射線画像の撮影を行うことが可能である。
【００５９】
一方、コンソール１０６の表示部１１２は、携帯情報端末３４の表示部６４と同様に、ウェブカメラ３０が撮影した撮影領域２８のカメラ画像、ウェブカメラ３３０が撮影した撮影領域３３２のカメラ画像、放射線検出器２０からの放射線画像、ウェブカメラ１１６が撮影した医師３８のカメラ画像、及び／又は、撮影メニューを表示することが可能である。また、表示部１１２は、上記の各音声信号や曝射制御信号に対応する表示内容（文字情報）も表示することが可能である。さらに、スピーカ１１８は、操作者３２又は被写体１８の音声や曝射制御信号に応じた音声を出力することも可能である。
【００６０】
ここで、撮影メニューのオーダ情報とは、ＲＩＳを用いて医師３８により作成される情報であって、被写体１８に対する放射線画像の撮影を要求するための情報である。具体的に、オーダ情報とは、被写体１８（患者）の氏名、年齢、性別等、被写体１８を特定するための被写体情報に加えて、放射線画像の撮影方法（例えば、単純撮影、手の撮影）が含まれる。また、手技とは、被写体１８の撮影部位、及び、該撮影部位に対する放射線１２の照射方向を示す情報である。さらに、撮影条件とは、放射線源１４の管電圧及び管電流、放射線１２の照射時間等、被写体１８に対して放射線１２を照射させる際の放射線量を決定するための条件である。
【００６１】
なお、医師３８は、表示部１１２に表示されるウェブカメラ３０、３３０のカメラ画像（被写体１８の光学画像）を見ながら、コンソール１０６を操作することにより、現在のオーダ情報を含む撮影メニューの内容を、前記カメラ画像に写り込んでいる被写体１８に応じた適切な内容に書き替える（設定する、変更する）ことも可能である。この場合、書き替え後の撮影メニューが携帯情報端末３４に送信されることで、該携帯情報端末３４は、当該書き替え後の撮影メニューに基づいて放射線源本体部１６及びカセッテ本体部２２を制御しつつ、被写体１８に対する放射線画像の撮影を行うことが可能である。
【００６２】
次に、放射線源本体部１６及びカセッテ本体部２２の内部構成について、図８〜図１１を参照しながら、より具体的に説明する。
【００６３】
放射線源本体部１６の内部には、図８に示すように、放射線源１４と、照射野ランプ５６と、ウェブカメラ３３０と、ＵＳＢ端子１３２と、外部からＵＳＢ端子１３２を介して充電可能であり、且つ、放射線源本体部１６内の各部に電力を供給するバッテリ１３４と、通信部１３６（現場側通信部）と、放射線源１４を制御する線源制御部１３８と、放射線１２を透過する材質からなるミラー１４４と、放射線１２に対して非透過で且つ照射光５４を透過する材質からなるコリメータ１４６とが配置されている。
【００６４】
放射線源１４は、電界放出型の放射線源である。
【００６５】
すなわち、この放射線源１４は、回転機構１４８により回転する回転シャフト１５０に円盤状の回転陽極１５２が取り付けられ、該回転陽極１５２の表面には、Ｍｏ等の金属元素を主成分とする環状のターゲット層１５４が形成されている。一方、回転陽極１５２に対向して陰極１５６が配置され、該陰極１５６には、ターゲット層１５４と対向するように電子源１５８が配設されている。
【００６６】
線源制御部１３８は、携帯情報端末３４（図１、図２及び図４〜図７参照）から無線通信により通信部１３６を介して受信された、曝射制御信号に基づく同期制御信号と、撮影メニュー中の撮影条件とに従って、所定の線量の放射線１２を出力するように放射線源１４を制御する。
【００６７】
すなわち、電界放出型の放射線源１４では、線源制御部１３８からの制御に従って、回転機構１４８が回転シャフト１５０を回転させることにより回転陽極１５２が回転し、電源部１４２がバッテリ１３４からの電力供給に基づいて電子源１５８に電圧（負電圧）を印加し、且つ、電源部１４０がバッテリ１３４からの電力供給に基づいて回転陽極１５２と陰極１５６との間に電圧を印加すると（回転陽極１５２に正電圧を印加し、陰極１５６に負電圧を印加すると）、電子源１５８から電子が放出され、放出された電子は、回転陽極１５２と陰極１５６との間に印加された電圧により加速されてターゲット層１５４に衝突する。ターゲット層１５４における電子の衝突面（焦点１６０）からは、該衝突した電子に応じた放射線１２が出力される。そして、放射線１２は、ミラー１４４を通過し、コリメータ１４６により照射範囲が絞られた状態で放射線源本体部１６から外部に出力される。
【００６８】
また、線源制御部１３８は、携帯情報端末３４から前記同期制御信号が供給されるまでは、照射光５４を出力させるように照射野ランプ５６を制御する。これにより、照射野ランプ５６から出力された照射光５４は、ミラー１４４でコリメータ１４６側に反射されて外部に出力される。
【００６９】
取手３１０にはタッチセンサ３１２が内蔵されている。前述したように、操作者３２が取手３１０を把持した後に、放射線源１４から被写体１８及びカセッテ本体部２２に向けて放射線１２が照射されるので、線源制御部１３８は、タッチセンサ３１２が検出信号を出力した時点で、バッテリ１３４から放射線源本体部１６の各部に対する電力供給を開始させて、該放射線源本体部１６を起動させてもよい。
【００７０】
カセッテ本体部２２の内部には、図４〜図６及び図９に示すように、放射線源１４から被写体１８に放射線１２を照射した際に、被写体１８による放射線１２の散乱線を除去するグリッド１６２、放射線検出器２０、及び、放射線１２のバック散乱線を吸収する鉛板１６４が、被写体１８側の照射面４４に対して順に配設される。なお、照射面４４をグリッド１６２として構成してもよい。
【００７１】
この場合、放射線検出器２０としては、例えば、被写体１８を透過した放射線１２をシンチレータにより可視光に一旦変換し、変換した前記可視光をアモルファスシリコン（ａ−Ｓｉ）等の物質からなる固体検出素子（以下、画素ともいう。）により電気信号に変換する間接変換型の放射線検出器や、放射線１２の線量をアモルファスセレン（ａ−Ｓｅ）等の物質からなる固体検出素子により電気信号に直接変換する直接変換型の放射線検出器を採用することができる。
【００７２】
また、カセッテ本体部２２の側面４８には、前述したスイッチ５０及びＵＳＢ端子１７２が配設される。さらに、カセッテ本体部２２の内部には、外部からＵＳＢ端子１７２を介して充電可能であり、且つ、カセッテ本体部２２の各部に電力を供給するバッテリ１６６と、バッテリ１６６から供給される電力により放射線検出器２０を駆動制御するカセッテ制御部１６８と、放射線検出器２０によって検出した放射線１２の情報を含む信号を無線を介して携帯情報端末３４との間で送受信する通信部１７０（現場側通信部）とが収容されている。
【００７３】
なお、カセッテ制御部１６８及び通信部１７０には、放射線１２が照射されることによる損傷を回避するため、カセッテ制御部１６８及び通信部１７０の照射面４４側に鉛板等を配設しておくことが好ましい。また、バッテリ１６６は、カセッテ本体部２２内の放射線検出器２０、カセッテ制御部１６８及び通信部１７０に電力を供給する。
【００７４】
前述のように、操作者３２が取手３１０を把持すると、タッチセンサ３１２が検出信号を出力し、その後、放射線源１４から放射線１２が出力されるので、放射線源本体部１６は、無線によりカセッテ本体部２２に前記検出信号を直接送信するか、あるいは、無線により前記検出信号を携帯情報端末３４を介してカセッテ本体部２２に送信してもよい。これにより、カセッテ制御部１６８は、通信部１７０を介して前記検出信号を受信すると、バッテリ１６６からカセッテ本体部２２の各部への電力供給を開始させることができる。
【００７５】
図１０において模式的に示すように、放射線検出器２０は、多数の画素１８０が図示しない基板上に配列され、これらの画素１８０に対して制御信号を供給する多数のゲート線１８２と、多数の画素１８０から出力される電気信号を読み出す多数の信号線１８４とが配列されている。
【００７６】
ここで、一例として、間接変換型の放射線検出器２０を採用した場合のカセッテ本体部２２の回路構成に関し、図１１を参照しながら詳細に説明する。
【００７７】
放射線検出器２０は、可視光を電気信号に変換するａ−Ｓｉ等の物質からなる各画素１８０が形成された光電変換層１８６を、行列状のＴＦＴ１８８のアレイの上に配置した構造を有する。この場合、バッテリ１６６からバイアス電圧Ｖｂが供給される各画素１８０では、可視光を電気信号（アナログ信号）に変換することにより発生した電荷が蓄積され、各行毎にＴＦＴ１８８を順次オンにすることにより前記電荷を画像信号として読み出すことができる。
【００７８】
各画素１８０に接続されるＴＦＴ１８８には、行方向と平行に延びるゲート線１８２と、列方向と平行に延びる信号線１８４とが接続される。各ゲート線１８２は、ライン走査駆動部１９０に接続され、各信号線１８４は、マルチプレクサ１９２に接続される。ゲート線１８２には、行方向に配列されたＴＦＴ１８８をオンオフ制御する制御信号Ｖｏｎ、Ｖｏｆｆがライン走査駆動部１９０から供給される。この場合、ライン走査駆動部１９０は、ゲート線１８２を切り替える複数のスイッチＳＷ１と、スイッチＳＷ１の１つを選択する選択信号を出力するアドレスデコーダ１９４とを備える。アドレスデコーダ１９４には、カセッテ制御部１６８からアドレス信号が供給される。
【００７９】
また、信号線１８４には、列方向に配列されたＴＦＴ１８８を介して各画素１８０に保持されている電荷が流出する。この電荷は、増幅器１９６によって増幅される。増幅器１９６には、サンプルホールド回路１９８を介してマルチプレクサ１９２が接続される。マルチプレクサ１９２は、信号線１８４を切り替える複数のスイッチＳＷ２と、スイッチＳＷ２の１つを選択する選択信号を出力するアドレスデコーダ２００とを備える。アドレスデコーダ２００には、カセッテ制御部１６８からアドレス信号が供給される。マルチプレクサ１９２には、Ａ／Ｄ変換器２０２が接続され、Ａ／Ｄ変換器２０２によってデジタル信号に変換された放射線画像がカセッテ制御部１６８に供給される。
【００８０】
なお、スイッチング素子として機能するＴＦＴ１８８は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００８１】
図１２は、放射線画像撮影装置１０のブロック図であり、図１３は、医療機関４０のブロック図である。なお、図１２及び図１３の説明では、図１〜図１１において説明しなかった構成要素を中心に説明する。
【００８２】
カセッテ本体部２２のカセッテ制御部１６８は、画像メモリ２１０と、アドレス信号発生部２１２と、カセッテＩＤメモリ２１４とを備える。
【００８３】
アドレス信号発生部２１２は、ライン走査駆動部１９０のアドレスデコーダ１９４及びマルチプレクサ１９２のアドレスデコーダ２００に対してアドレス信号を供給する。画像メモリ２１０は、放射線検出器２０によって検出された放射線画像を記憶する。カセッテＩＤメモリ２１４は、放射線画像撮影装置１０（のカセッテ本体部２２）を特定するためのカセッテＩＤ情報を記憶する。この場合、カセッテ制御部１６８は、カセッテＩＤメモリ２１４に記憶されたカセッテＩＤ情報と、画像メモリ２１０に記憶された放射線画像とを、通信部１７０及びアンテナ３４２を介して無線通信により携帯情報端末３４に送信する。
【００８４】
放射線源本体部１６は、通信部１３６及びアンテナ３４０を介して無線通信により携帯情報端末３４との間で信号の送受信を行う。
【００８５】
携帯情報端末３４は、アンテナ２１６を介した無線通信による外部との間の信号の送受信、ＵＳＢ端子８４、８８、９０を介した有線通信による外部との間の信号の送受信、ＵＳＢ端子８４、８８、９０を介したＵＳＢメモリ３３４（図１参照）との間の信号の送受信、及び、カードスロット９４に挿入されたメモリカード９２との間の信号の送受信が可能な通信部２１８（現場側通信部）と、携帯情報端末３４の各部に電力を供給するバッテリ２２０と、各種の制御処理を行う制御処理部２２２（判定処理部）と、カメラ画像や放射線画像等を記憶するメモリ２２４とをさらに有する。
【００８６】
バッテリ２２０は、操作者３２による電源スイッチ７６の投入に起因して、ウェブカメラ３０、スピーカ７８、マイクロフォン８０、通信部２１８及び制御処理部２２２に電力を供給する。また、バッテリ２２０は、携帯情報端末３４と放射線源本体部１６及びカセッテ本体部２２とがＵＳＢケーブルを介してそれぞれ電気的に接続されている状態において、該ＵＳＢケーブルを介してバッテリ１３４、１６６をそれぞれ充電することが可能である。さらに、バッテリ２２０は、外部から入力端子９６又はＵＳＢケーブルを介して充電を受けることも可能である。
【００８７】
すなわち、上述のように、携帯情報端末３４と放射線源本体部１６及びカセッテ本体部２２との間をＵＳＢケーブルで電気的に接続することにより、携帯情報端末３４と放射線源本体部１６及びカセッテ本体部２２との間で、有線による電力供給と信号の送受信（信号の伝送）とが可能になる。なお、本実施形態では、特に断りのない限り、携帯情報端末３４と放射線源本体部１６及びカセッテ本体部２２との間では、無線により信号の送受信が行われる場合について説明する。
【００８８】
制御処理部２２２は、携帯情報端末３４のＣＰＵにより構成され、メモリ２２４に記憶されたプログラムを読み出して実行することにより各種の制御処理を行う。
【００８９】
具体的に、制御処理部２２２は、ウェブカメラ３０、３３０が撮影したカメラ画像や、カセッテ本体部２２から通信部２１８を介して受信した放射線画像及びカセッテＩＤ情報をメモリ２２４に記憶する。また、制御処理部２２２は、前記各カメラ画像、前記放射線画像、及び／又は、前記撮影メニューを表示部６４に表示させ、さらには、通信部２１８、アンテナ２１６及びネットワーク３６を介して無線通信により医療機関４０に、ウェブカメラ３０、３３０のカメラ画像、及び／又は、前記放射線画像と前記カセッテＩＤ情報とを送信する。さらに、制御処理部２２２は、マイクロフォン８０に入力された操作者３２又は被写体１８の音声を音声信号として、通信部２１８、アンテナ２１６及びネットワーク３６を介して無線通信により医療機関４０に送信する。
【００９０】
さらにまた、制御処理部２２２は、医療機関４０からネットワーク３６、アンテナ２１６及び通信部２１８を介して受信した、ウェブカメラ１１６の（医師３８の）カメラ画像を表示部６４に表示させ、一方で、医療機関４０から受信した音声信号を医師３８の音声としてスピーカ７８から出力する。また、制御処理部２２２は、医療機関４０から撮影メニューを受信した際に、当該撮影メニューを表示部６４に表示させ、さらに、制御処理部２２２は、医療機関４０から曝射制御信号を受信した場合には、該曝射制御信号に応じた同期制御信号を生成し、生成した同期制御信号と、撮影メニュー中の撮影条件とを放射線源本体部１６及びカセッテ本体部２２に送信することにより、放射線源１４からの放射線１２の出力と、放射線検出器２０における放射線１２の検出及び放射線画像への変換との同期を取りつつ、放射線画像の撮影を行う。
【００９１】
なお、表示部６４は、制御処理部２２２が受信した撮影メニューと、ウェブカメラ３０又はウェブカメラ３３０が撮影した被写体１８（の瞳孔を含む顔の）カメラ画像とを表示可能である。従って、操作者３２は、撮影メニューのオーダ情報に登録されている被写体１８と、前記カメラ画像に写り込んでいる被写体１８とが一致するか否かを判断することができる。
【００９２】
すなわち、操作者３２は、表示部６４の表示内容を見ながら操作部６０を操作することにより、判断結果を示す内容（両者の一致又は不一致を示す結果）を入力する。制御処理部２２２は、両者が一致する入力内容であれば、前記撮影メニューの内容で放射線画像の撮影が可能であることを示す結果（判定結果）を、通信部２１８、アンテナ２１６及びネットワーク３６を介して無線通信により医療機関４０に送信する。また、制御処理部２２２は、両者が一致しない入力内容であれば、前記撮影メニューの内容では放射線画像の撮影ができないので、前記カメラ画像に写り込んでいる被写体１８に応じた撮影メニューの内容に書き替えることを要求する結果（判定結果）を、通信部２１８、アンテナ２１６及びネットワーク３６を介して無線通信により医療機関４０に送信する。
【００９３】
コンソール１０６は、メモリ２２８と、各種の制御処理を行う制御処理部２２６とをさらに有する。また、制御処理部２２６は、認証処理部３４４、制御信号生成部３４６及び紐付け処理部３４８を備える。
【００９４】
制御処理部２２６は、本体部１０８のＣＰＵにより構成され、メモリ２２８に記憶されたプログラムを読み出して実行することにより各種の制御処理を行う。
【００９５】
具体的に、制御処理部２２６は、ウェブカメラ１１６が撮影したカメラ画像を通信部１０４、アンテナ１０２及びネットワーク３６を介して無線通信により携帯情報端末３４に送信する。また、制御処理部２２６は、マイクロフォン１２２に入力された医師３８の音声を音声信号として、通信部１０４、アンテナ１０２及びネットワーク３６を介して無線通信により携帯情報端末３４に送信する。さらに、制御処理部２２６は、携帯情報端末３４から無線通信を介して送信されてきた音声信号を操作者３２又は被写体１８の音声としてスピーカ１１８から出力する。なお、制御処理部２２６は、ウェブカメラ１１６が撮影したカメラ画像を表示部１１２に表示してもよいことは勿論である。
【００９６】
また、携帯情報端末３４の表示部６４に表示された撮影メニュー中のオーダ情報に従って、操作者３２が被写体１８を見つけ出し、その後、ウェブカメラ３０又はウェブカメラ３３０で被写体１８の瞳孔を含む顔のカメラ画像（例えば、静止画）が撮影された場合、携帯情報端末３４は、ネットワーク３６、アンテナ１０２及び通信部１０４を介して無線通信により前記カメラ画像を送信する。認証処理部３４４は、ネットワーク３６、アンテナ１０２及び通信部１０４を介して受信した前記カメラ画像に対して、該カメラ画像に写り込んだ被写体１８の瞳孔又は顔を用いた生体認証（前記瞳孔の場合には瞳孔認証）処理を行うことで、前記瞳孔を有する被写体１８と、前記オーダ情報に登録されている被写体１８とが一致するか否かを判定する。
【００９７】
両者が一致した場合、認証処理部３４４は、前記カメラ画像中の被写体１８が前記撮影メニューに応じた真正な被写体１８であると判定し、当該被写体１８による放射線画像の撮影が可能であることを示す認証結果を無線通信により携帯情報端末３４に送信する。一方、両者が不一致であった場合、認証処理部３４４は、撮影メニューの示す被写体１８とは異なる被写体１８を操作者３２が見つけてきたものと判断し、前記撮影メニューの示す真正な被写体１８を見つけ出すように指示する認証結果を無線通信により携帯情報端末３４に送信する。
【００９８】
また、医師３８が曝射スイッチ１２０を投入した際、制御信号生成部３４６は、放射線源１４からの放射線１２の出力を開始させるための曝射制御信号を生成し、生成した曝射制御信号を通信部１０４、アンテナ１０２及びネットワーク３６を介して無線通信により携帯情報端末３４に送信する。なお、表示部１１２に表示されたウェブカメラ３０のカメラ画像中、ガイド線４６の外枠内に被写体１８の撮影部位が写りこんでいないか、あるいは、前記撮影部位の一部しか写り込んでいない場合、医師３８は、この状態で放射線１２を被写体１８に照射すれば、適切な前記撮影部位の放射線画像が得られないものと判断して、曝射スイッチ１２０の投入は行わず、ガイド線４６の外枠内に前記撮影部位が写り込むように被写体１８の位置や姿勢を変える指示内容をマイクロフォン１２２を介して音声により指示する。従って、制御信号生成部３４６は、曝射スイッチ１２０の投入がない場合には、曝射制御信号の生成を行わない。
【００９９】
さらに、制御処理部２２６は、放射線画像の撮影後、携帯情報端末３４から無線通信を介して送信されてきたウェブカメラ３０、３３０の各カメラ画像、放射線画像、及び、カセッテＩＤ情報と、撮影メニューとを紐付けして（対応付けて）メモリ２２８に記憶する。前述のように、ウェブカメラ１１６は、医師３８のカメラ画像も撮影しているので、上記の各情報と共に医師３８のカメラ画像も紐付けしてメモリ２２８に記憶してもよい。
【０１００】
なお、携帯情報端末３４にもメモリ２２４が設けられているので、例えば、制御処理部２２２を紐付け処理部として機能させて、撮影メニュー、ウェブカメラ３０、３３０の各カメラ画像、放射線画像、及び、カセッテＩＤ情報を紐付けしてメモリ２２４に記憶した後に、紐付け後の各情報を無線通信により携帯情報端末３４から医療機関４０に送信してもよい。この場合、紐付け処理部３４８では、受信した前記各情報（紐付けされた各情報）をメモリ２２８に記憶する。
【０１０１】
また、紐付けされるウェブカメラ３０のカメラ画像としては、例えば、放射線画像の撮影前にウェブカメラ３０により撮影された、被写体１８の（瞳孔を含む）顔の画像であることが望ましい。一方、紐付けされるウェブカメラ３３０のカメラ画像としては、例えば、放射線画像の撮影前にウェブカメラ３３０により撮影された、カセッテ本体部２２に対してポジショニング（位置決め）された被写体１８の撮影部位の画像であることが望ましい。例えば、被写体１８が右手を負傷しており、該右手を撮影部位として放射線画像の撮影が行われた場合に、ウェブカメラ３３０が撮影したカメラ画像は、当該撮影部位（右手）での怪我の具合が分かる画像となる。
【０１０２】
本実施形態に係る放射線画像撮影システム１１は、基本的には以上のように構成されるものであり、次にその動作（放射線画像撮影方法、画像表示方法）について、図１４〜図２２に示すフローチャートと、図２３〜図９８に示す表示部６４、１１２の画面表示とを参照しながら説明する。
【０１０３】
ここでは、本実施形態の特徴的な機能（動作）を第１〜第３実施例に分けて説明する。
【０１０４】
第１実施例は、図１４〜図２０のフローチャートと、図２３〜図９２の画面表示とであり、撮影対象の被写体１８が医療機関４０側で予め特定されているため、医療機関４０側で撮影メニューを予め設定し、その設定内容通りに被写体１８に対する放射線画像の撮影を行う場合である。この第１実施例は、例えば、在宅看護の現場において、被写体１８が予め特定されている場合や、医療機関４０内で医師３８が直接出向けないが、被写体１８が予め特定されている場合に適用可能である。
【０１０５】
第２実施例は、図２１のフローチャート及び図９３の画面表示であり、ウェブカメラ３０、３３０のカメラ画像に写っている被写体１８を見ながら、医療機関４０の医師３８が撮影メニューを変更し、変更後の撮影メニューに基づいて該被写体１８に対する放射線画像の撮影が行われる場合である。この第２実施例は、例えば、災害現場にいる操作者３２が被写体１８を見つけ出し、医師３８は、当該被写体１８に応じた撮影メニューに書き替えて、放射線画像の撮影を緊急に行う場合に適用可能である。
【０１０６】
第３実施例は、図２２のフローチャート及び図９４〜図９８の画面表示であり、第２実施例によって書き替えられた撮影メニューが医療機関４０から携帯情報端末３４に送信されたときに、被写体１８の撮影部位と、撮影メニューの示す撮影部位とが一致するか否かを現場側（操作者３２側）で判断し、その判断結果を医療機関４０に通知する場合である。この第３実施例は、例えば、被写体１８が手を負傷しているので、手の撮影が必要であるのに、撮影メニューが手以外の部位（胸部等）の撮影を指示する内容であった場合に適用可能である。
【０１０７】
なお、第１〜第３実施例では、一例として、被写体１８の撮影部位が右手であり、当該右手の放射線画像を撮影する場合、すなわち、被写体１８が右手を負傷しているので、該右手を撮影部位として放射線画像の撮影を行う場合について説明する。また、第１〜第３実施例では、必要に応じて、図１〜図１３も参照しながら説明する。
【０１０８】
先ず、第１実施例について説明する。
【０１０９】
図１４のステップＳ１において、操作者３２は、被写体１８に対する放射線１２の照射の権限を有する医師３８の指示に従って、該被写体１８を直視することができない医療機関４０から災害現場、在宅看護の現場、あるいは、医師３８が直接出向くことのできない医療機関４０内の病室等にアタッシュケース９８を搬送する。
【０１１０】
次に、災害現場、在宅看護の現場又は病室に到着した後のステップＳ２において、操作者３２は、アタッシュケース９８から放射線源本体部１６、カセッテ本体部２２及び携帯情報端末３４を取り出し、図１、図２及び図４〜図６に示す位置関係となるように、携帯情報端末３４、放射線源本体部１６及びカセッテ本体部２２を配置する。
【０１１１】
次のステップＳ３において、操作者３２は、ヒンジ部７０の作用下に、携帯情報端末３４の軸部６８を中心として、本体部６２に対して蓋部６６を回動させることにより、携帯情報端末３４を折り畳んだ状態から図１、図２及び図４〜図６に示す操作部６０及び表示部６４が外部から視認できる状態とし、その後、電源スイッチ７６を投入して携帯情報端末３４を起動させる。これにより、バッテリ２２０は、電源スイッチ７６の投入に起因して、ウェブカメラ３０、表示部６４、マイクロフォン８０、通信部２１８及び制御処理部２２２への電力供給を開始する。
【０１１２】
このようにして携帯情報端末３４が起動すると、次のステップＳ４において、先ず、制御処理部２２２は、メモリ２２４に記憶されたＩＤ情報（例えば、カセッテＩＤ情報）を、通信部２１８、アンテナ２１６及びネットワーク３６を介して無線通信により医療機関４０に送信し、医療機関４０及び現場間での通信確立の確認と、放射線画像撮影装置１０の認証とを医療機関４０に対して要求する。
【０１１３】
ステップＳ５において、医療機関４０（待機場所）の制御処理部２２６がアンテナ１０２及び通信部１０４を介してＩＤ情報を受信すると、認証処理部３４４は、ＩＤ情報の認証処理を行う（ステップＳ６）。この場合、認証処理部３４４は、受信したＩＤ情報と、メモリ２２８に記憶されているＩＤ情報（例えば、カセッテＩＤ情報）とが一致しているか否かを判定し、その判定結果及び通信が確立されていることを示す認証完了通知を、通信部１０４、アンテナ１０２及びネットワーク３６を介して携帯情報端末３４に送信する（ステップＳ７）。その後、制御処理部２２６は、ＲＩＳを用いて医師３８が作成したオーダ情報を当該ＲＩＳから取得する（ステップＳ８）。
【０１１４】
一方、ステップＳ９において、携帯情報端末３４の制御処理部２２２が認証完了通知を受信すると、該制御処理部２２２は、ＩＤ情報の認証が完了すると共に、医療機関４０及び現場間の無線通信が確立されたものと判断し、ウェブカメラ３０による現場の撮影を開始させ（ステップＳ１０）、該ウェブカメラ３０が撮影したカメラ画像の医療機関４０への送信を開始する（ステップＳ１１）。
【０１１５】
この場合、ウェブカメラ３０のカメラ画像が動画であれば、制御処理部２２２は、通信部２１８、アンテナ２１６及びネットワーク３６を介して医療機関４０に前記動画を送信する。また、前記カメラ画像が所定時間間隔で撮影された静止画であれば、制御処理部２２２は、前記静止画を取得する毎に、通信部２１８、アンテナ２１６及びネットワーク３６を介して医療機関４０に前記静止画を送信する。
【０１１６】
従って、ステップＳ１０、Ｓ１１以降、携帯情報端末３４側では、連続的に又は間欠的に前記カメラ画像を無線通信により医療機関４０に送信する。そのため、医療機関４０では、ステップＳ１２以降、アンテナ１０２及び通信部１０４を介して、ウェブカメラ３０のカメラ画像を連続的に又は間欠的に受信することになる。そして、連続的に又は間欠的に撮影されたカメラ画像は、携帯情報端末３４のメモリ２２４や、コンソール１０６のメモリ２２８に順次記憶される。
【０１１７】
なお、ウェブカメラ３０は、所定時刻にカメラ画像（静止画）を撮影することも可能であるため、例えば、操作者３２による操作部６０の操作に起因してウェブカメラ３０が静止画を撮影し、制御処理部２２２は、所定時刻に撮影された前記カメラ画像を、通信部２１８、アンテナ２１６及びネットワーク３６を介して医療機関４０に送信してもよい。この場合でも、撮影されたカメラ画像は、各メモリ２２４、２２８にそれぞれ記憶される。
【０１１８】
一方、医療機関４０においても、ウェブカメラ１１６は、コンソール１０６を操作する医師３８の顔の撮影を開始し（ステップＳ１３）、通信部１０４、アンテナ１０２及びネットワーク３６を介して携帯情報端末３４へのカメラ画像の送信を開始する（ステップＳ１４）。
【０１１９】
この場合でも、ウェブカメラ１１６のカメラ画像が動画であれば、制御処理部２２６は、通信部１０４、アンテナ１０２及びネットワーク３６を介して携帯情報端末３４に前記動画を送信する。また、前記カメラ画像が所定時間間隔で撮影された静止画であれば、制御処理部２２６は、前記静止画を取得する毎に、通信部１０４、アンテナ１０２及びネットワーク３６を介して携帯情報端末３４に前記静止画を送信する。
【０１２０】
従って、ステップＳ１３、Ｓ１４以降、医療機関４０側では、連続的に又は間欠的に前記カメラ画像を無線通信により携帯情報端末３４に送信する。そのため、携帯情報端末３４では、ステップＳ１５以降、アンテナ２１６及び通信部２１８を介して、ウェブカメラ１１６のカメラ画像を連続的に又は間欠的に受信することになる。そして、連続的に又は間欠的に撮影されたカメラ画像は、各メモリ２２４、２２８に順次記憶される。
【０１２１】
なお、ウェブカメラ１１６も所定時刻にカメラ画像（静止画）を撮影することが可能であるため、例えば、医師３８による操作部１１４及びマウス３３６の操作に起因してウェブカメラ１１６が静止画を撮影した場合、制御処理部２２６は、所定時刻に撮影された前記カメラ画像を、通信部１０４、アンテナ１０２及びネットワーク３６を介して携帯情報端末３４に送信してもよい。この場合でも、撮影されたカメラ画像は、各メモリ２２４、２２８にそれぞれ記憶される。
【０１２２】
このようにして、カメラ画像の撮影が開始され、且つ、医療機関４０と現場との間で無線通信によるカメラ画像の送受信が行われることにより、携帯情報端末３４の表示部６４及びコンソール１０６の表示部１１２は、それぞれ、カメラ画像等を表示することが可能となる（ステップＳ１６、Ｓ１７）。
【０１２３】
図２３〜図３０は、ステップＳ１７における（コンソール１０６の）表示部１１２の画面４００の表示内容を図示したものであり、これらの表示内容に関わる表示処理は、全て、制御処理部２２６が行っている。また、図３１〜図３９は、ステップＳ１６における（携帯情報端末３４の）表示部６４の画面４３０の表示内容を図示したものであり、これらの表示内容に関わる表示処理は、全て、制御処理部２２２が行っている。
【０１２４】
図２３及び図２４において、表示部１１２の画面４００には、ウィンドウ４０２が表示され、該ウィンドウ４０２中、左側の表示領域は、ウェブカメラ３０が撮影した現場のカメラ画像を表示する現場側画像表示領域４０４とされ、一方で、右側の表示領域は、撮影メニューを表示する撮影メニュー表示領域４０６とされている。
【０１２５】
この場合、撮影メニュー表示領域４０６が相対的に大きく表示される一方で、現場側画像表示領域４０４が小さく表示されている。すなわち、後述するステップＳ１８〜Ｓ２１において、医師３８が現場のカメラ画像を見て該現場の状況を監視しつつ、撮影メニューの内容を設定する必要があるため、制御処理部２２６は、現場側画像表示領域４０４よりも撮影メニュー表示領域４０６が大きく表示されるような表示処理を行っている。なお、現場側画像表示領域４０４には、一例として、瞳孔及び顔を含む被写体１８のカメラ画像が表示されている。
【０１２６】
撮影メニュー表示領域４０６には、オーダ情報を表示するオーダ情報表示領域４０８と、手技を表示する手技表示領域４１０とが配置されている。図２３及び図２４に示すように、撮影メニュー表示領域４０６に表示される情報は、該撮影メニュー表示領域４０６の大きさには収まり切らないので、該撮影メニュー表示領域４０６は、画面４００の上下方向に対して比較的長い表示領域となる。そこで、ウィンドウ４０２の右端には、撮影メニュー表示領域４０６を上下方向に移動させるためのスクロールバーが表示されている。これにより、医師３８が画面４００中に表示されたマウスポインタ（「→」の矢印で図示されたカーソル）をスクロールバーに重ねるようにマウス３３６を操作し、次に、マウス３３６をクリックした状態で該マウス３３６を動かせば、制御処理部２２６は、図２３及び図２４に示すように、撮影メニュー表示領域４０６の表示内容を上下方向に移動させる表示処理を行う。
【０１２７】
ここで、オーダ情報表示領域４０８には、オーダ情報の一部である「単純Ｘ線撮影  右手の撮影」が表示されている。そのため、手技表示領域４１０には、この内容に対応して、手の撮影に関わる手技の一覧がアイコン４１２〜４１８で表示されている。これらのアイコン４１２〜４１８には、被写体１８の撮影部位を示す絵と、当該絵に対応した撮影方法の簡単な説明文とが表示されている。
【０１２８】
アイコン４１２は、撮影部位が左手であり、且つ、左手の甲側から放射線１２を照射することを、左手を示す絵と「左手  甲側照射」の文字とによって表現している。しかも、この絵では、左手の甲側と左手の手の平側との区別を容易にするために、指先の爪まで図示している。
【０１２９】
アイコン４１４は、撮影部位が右手であり、且つ、右手の甲側から放射線１２を照射することを、右手を示す絵と「右手  甲側照射」の文字とによって表現している。しかも、この絵では、右手の甲側と右手の手の平側との区別を容易にするために、指先の爪まで図示している。
【０１３０】
アイコン４１６は、撮影部位が左手であり、且つ、左手の手の平側から放射線１２を照射することを、左手を示す絵と「左手  手平側照射」の文字とによって表現している。しかも、この絵では、左手の手の平側と左手の甲側との区別を容易にするために、手の平に形成された手相まで図示している。
【０１３１】
アイコン４１８は、撮影部位が右手であり、且つ、右手の手の平側から放射線１２を照射することを、右手を示す絵と「右手  手平側照射」の文字とによって表現している。しかも、この絵では、右手の手の平側と右手の甲側との区別を容易にするために、手の平に形成された手相まで図示している。
【０１３２】
このように、各アイコン４１２〜４１８には、撮影部位の絵と文字との双方が表示されているので、医師３８は、オーダ情報表示領域４０８に表示されたオーダ情報を見ながら、画面４００中に表示されたマウスポインタをアイコン４１４又はアイコン４１８に重ねるようにマウス３３６を操作した後に、該マウス３３６をクリックして、オーダ情報に応じた手技を容易に選択することができる（ステップＳ１８、図４０）。
【０１３３】
また、撮影メニュー表示領域４０６が大きく表示され、該撮影メニュー表示領域４０６中の各アイコン４１２〜４１８は、絵の部分が文字の部分よりも大きく表示されると共に、それぞれの絵が実際の撮影部位を模式的に表示した内容となっているので、医師３８は、オーダ情報に対応した手技を容易に特定することが可能である。さらに、現場側画像表示領域４０４に現場のカメラ画像が表示されているため、医師３８は、放射線画像の撮影前における現場の状況（例えば、被写体１８の状態）を容易に把握することができる。
【０１３４】
また、本実施形態は、上述のように、一般的なパーソナル・コンピュータの画面表示と同様、ウィンドウ形式で撮影メニューやカメラ画像が表示されるので、画面４００の表示を、図２３及び図２４に代えて、図２５〜図３０の表示内容とすることも可能である。
【０１３５】
図２５では、ウィンドウ４０２中のほとんどの領域が撮影メニュー表示領域４０６（のオーダ情報表示領域４０８）に割り当てられ、ウィンドウ４０２の下端に、ウェブカメラ３０のカメラ画像を表示させるための切替ボタン４２０が表示されている。そこで、医師３８が画面４００中に表示されたマウスポインタと切替ボタン４２０とが重なるようにマウス３３６を操作した後に、該マウス３３６をクリックすると、図２６に示すように、オーダ情報表示領域４０８に代わって現場側画像表示領域４０４が大きく表示される。この結果、ウィンドウ４０２の下端には、切替ボタン４２０に代えて撮影メニューを表示させるための切替ボタン４２２が表示される。
【０１３６】
なお、図２６において、医師３８が画面４００中に表示されたマウスポインタと切替ボタン４２２とが重なるようにマウス３３６を操作した後に、該マウス３３６をクリックすると、制御処理部２２６は、図２６の表示内容から図２５の表示内容に切り替えるための表示処理を行う。
【０１３７】
図２７及び図２８では、ウィンドウ４０２と略同じ大きさの別のウィンドウ４２４が画面４００上に表示され、ウィンドウ４０２には撮影メニュー表示領域４０６（のオーダ情報表示領域４０８）が表示されると共に、ウィンドウ４２４には現場側画像表示領域４０４が表示されている。ここで、医師３８が画面４００中に表示されたマウスポインタと所望のウィンドウとが重なるようにマウス３３６を操作し、次に、該マウス３３６をクリックすると、制御処理部２２６は、クリックされたウィンドウを前方に表示させるための表示処理を行う。
【０１３８】
図２９及び図３０では、２つのウィンドウ４０２、４２４が画面４００上に表示され、医師３８が画面４００中に表示されたマウスポインタを所望のウィンドウに重ねるようにマウス３３６を操作し、次に、該マウス３３６をクリックすると、クリックされたウィンドウが全画面表示（画面４００全体に当該ウィンドウが表示）される。例えば、医師３８がマウス３３６を介してウィンドウ４０２をクリックすると、制御処理部２２６は、ウィンドウ４０２を全画面表示させると共に、全画面表示されたウィンドウ４０２の背後にウィンドウ４２４を隠すような表示処理を行う（図３０参照）。なお、医師３８がマウス３３６を操作してウィンドウ４０２をもう１回クリックすると、制御処理部２２６は、画面４００の表示内容を図２９の表示内容に戻す。
【０１３９】
これに対して、図３１に示すように、携帯情報端末３４の表示部６４の画面４３０には、ウィンドウ４３２が表示され、該ウィンドウ４３２中、左上側の表示領域は、撮影メニューを表示する撮影メニュー表示領域４３４とされ、左下側の表示領域は、ウェブカメラ１１６が撮影した医師３８のカメラ画像を表示する待機場所側画像表示領域４３６とされ、右側の表示領域は、ウェブカメラ３０が撮影した現場のカメラ画像を表示する現場側画像表示領域４３８とされている。
【０１４０】
図３１では、現場側画像表示領域４３８が相対的に大きく表示される一方で、撮影メニュー表示領域４３４及び待機場所側画像表示領域４３６が小さく表示されている。この場合、操作者３２は、後述するように、現場のカメラ画像を見て該現場の状況を把握する必要があるため、制御処理部２２２は、撮影メニュー表示領域４３４よりも現場側画像表示領域４３８が大きく表示されるような表示処理を行っている。
【０１４１】
また、医療機関４０から携帯情報端末３４に撮影メニューが送信されていないので、撮影メニュー表示領域４３４には、撮影メニューが設定されていない（受信されていない）ことを示す「現在のところ登録されていません」の文字が表示されている。これにより、現場の操作者３２は、携帯情報端末３４が撮影メニューを受信していないため、該撮影メニューが設定されていないことを容易に把握することができる。
【０１４２】
そして、現場側画像表示領域４３８には、前述した現場側画像表示領域４０４（図２３及び図２４参照）と同じカメラ画像が表示されている。しかも、上述のように、ウィンドウ４３２では、現場側画像表示領域４３８が大きく表示されている。そのため、操作者３２は、放射線画像の撮影前に、現場の状況を容易に把握することができる。さらに、待機場所側画像表示領域４３６に医師３８のカメラ画像が表示されているので、操作者３２は、医療機関４０の医師３８が対応してくれていることを認識することができ、現場において安心して作業を行うことができる。
【０１４３】
また、画面４３０においてもウィンドウ形式で撮影メニューやカメラ画像が表示されるので、画面４３０の表示を、図３１に代えて、図３２〜図３９の表示内容とすることも可能である。
【０１４４】
図３２では、ウィンドウ４３２中のほとんどの領域が現場側画像表示領域４３８に割り当てられ、ウィンドウ４３２の下端に、撮影メニューを表示させるための切替ボタン４４０と、ウェブカメラ１１６のカメラ画像を表示させるための切替ボタン４４２とが表示されている。ここで、操作者３２が画面４３０中に表示されたマウスポインタを切替ボタン４４２に重ねるように操作部６０を操作し、次に、該切替ボタン４４２を選択すると、図３３に示すように、現場側画像表示領域４３８に代えて待機場所側画像表示領域４３６が大きく表示される。この結果、ウィンドウ４３２の下端には、切替ボタン４４２に代えて現場のカメラ画像を表示させるための切替ボタン４４４が表示される。
【０１４５】
また、操作者３２が画面４３０中に表示されたマウスポインタを切替ボタン４４０に重ねるように操作部６０を操作し、次に、該切替ボタン４４０を選択すると、図３４に示すように、待機場所側画像表示領域４３６又は現場側画像表示領域４３８に代えて撮影メニュー表示領域４３４が大きく表示される。この結果、ウィンドウ４３２の下端には、切替ボタン４４２、４４４が表示される。
【０１４６】
つまり、制御処理部２２２は、制御処理部２２６と同様に、操作者３２による操作部６０の操作内容に従って、表示部６４の画面４３０の表示内容を、図３２〜図３４のいずれかの表示内容に切り替えることが可能である。
【０１４７】
図３５〜図３７では、ウィンドウ４３２と略同じ大きさの別のウィンドウ４４６、４４８が画面４３０上に表示され、ウィンドウ４３２には現場側画像表示領域４３８が表示され、ウィンドウ４４６には待機場所側画像表示領域４３６が表示され、ウィンドウ４４８には撮影メニュー表示領域４３４が表示されている。ここで、操作者３２が画面４３０中に表示されたマウスポインタを所望のウィンドウに重ねるように操作部６０を操作し、次に、当該ウィンドウを選択すると、制御処理部２２２は、選択されたウィンドウを前方に表示させるための表示処理を行う。
【０１４８】
図３８及び図３９では、３つのウィンドウ４３２、４４６、４４８が画面４３０上に表示され、操作者３２が画面４３０中に表示されたマウスポインタを所望のウィンドウに重ねるように操作部６０を操作し、次に、該ウィンドウを選択すると、選択されたウィンドウが全画面表示（画面４３０全体に当該ウィンドウが表示）される。例えば、操作者３２がウィンドウ４３２をクリックすると、制御処理部２２２は、ウィンドウ４３２を全画面表示させると共に、全画面表示されたウィンドウ４３２の背後にウィンドウ４４６、４４８を隠すような表示処理を行う（図３９参照）。なお、操作者３２が操作部６０を操作してウィンドウ４３２をもう１回選択すると、制御処理部２２２は、画面４３０の表示内容を図３８の表示内容に戻す。
【０１４９】
図１５に戻り、ステップＳ１８において、医師３８がオーダ情報に応じた手技を選択すると、制御処理部２２６は、表示部１１２の画面４００の表示内容を図４０及び図４１の表示内容に切り替える。
【０１５０】
図４０及び図４１において、撮影メニュー表示領域４０６には、オーダ情報を示すアイコン４５０と、選択したアイコン４１２（図２４参照）の絵及び文字が大きく表示された手技表示領域４１０と、選択したアイコン４１２（手技）に応じた撮影条件を表示する撮影条件表示領域４５２とが表示されている。なお、手技表示領域４１０が比較的大きな表示領域であるため、該手技表示領域４１０には、アイコン４１２中の説明文よりも詳しい「右手  甲側から放射線を照射します」の説明文が表示されている。
【０１５１】
ここで、医師３８がマウスポインタをアイコン４５０に重ねるようにマウス３３６を操作した後に、該マウス３３６をクリックすると、図２３のオーダ情報表示領域４０８が表示される。また、撮影条件表示領域４５２には、選択した手技（アイコン４１２の絵及び文字）に対応して、放射線源１４の電圧及び電流と、放射線１２の照射時間との撮影条件の一覧がアイコン４５４〜４５８で表示されている。また、被写体１８が予め特定されているので、撮影部位（右手）の厚みやＳＩＤが分かっているのであれば、その情報も撮影条件表示領域４５２に表示されている。
【０１５２】
従って、医師３８は、手技表示領域４１０に表示された手技、撮影条件表示領域４５２に表示された撮影部位の厚み及びＳＩＤを見ながら、画面４００中に表示されたマウスポインタをアイコン４５４〜４５８のうち、いずれか１つのアイコンに重ねるようにマウス３３６を操作した後に、該マウス３３６をクリックすることで、手技に応じた撮影条件を容易に選択することができる（ステップＳ１９）。
【０１５３】
この結果、図４２に示すように、選択された設定内容が一覧表示されると共に、撮影メニュー表示領域４０６の下方には、この設定内容でＯＫであるか、あるいは、修正すべきかを選択するための選択ボタン４６０、４６２も表示される。
【０１５４】
この設定内容でＯＫと判断して、医師３８が選択ボタン４６０を選択すると（ステップＳ２０：ＹＥＳ）、医師３８が選択した設定内容でオーダ情報、手技及び撮影条件の撮影メニューが設定されると共に、ウィンドウ４０２の表示内容が図４３の表示内容に切り替わって、撮影メニューが設定されたことを示す「この内容でオーダ情報、手技、撮影条件を設定しました」の表示がなされる（ステップＳ２１）。
【０１５５】
この表示が行われた後、所定時間経過すると、ウィンドウ４０２の表示内容は、図４４の表示内容に切り替わり、ウィンドウ４０２の左側の領域に撮影メニュー表示領域４０６が小さく表示される一方で、右側の領域に現場側画像表示領域４０４が大きく表示される。すなわち、制御処理部２２６は、ステップＳ１８〜Ｓ２１においては、医師３８が撮影メニューの設定を確実に行えるようにするため、撮影メニュー表示領域４０６を大きく表示させるような表示処理を行う一方で、撮影メニューの設定後は、被写体１８に対する放射線画像の撮影準備に備えて、現場側画像表示領域４０４を大きく表示させるような表示処理を行う。また、制御処理部２２６は、撮影メニューの設定内容をメモリ２２８に記憶する。
【０１５６】
撮影メニュー表示領域４０６には、オーダ情報を示すアイコン４５０と、手技を示すアイコン４６４と、撮影条件を示すアイコン４６６とが表示されている。医師３８がマウス３３６を操作して所望のアイコンをクリックすると、クリックしたアイコンに応じた情報が撮影メニュー表示領域４０６上に表示される。従って、医師３８は、撮影メニューの設定内容を容易に確認することができる。
【０１５７】
なお、ステップＳ２０において、撮影メニューの設定内容を修正する必要がある場合、医師３８が選択ボタン４６２を選択すると（ステップＳ２０：ＮＯ）、制御処理部２２６は、ステップＳ１８に戻り、図２３及び図２４の表示内容をウィンドウ４０２に表示させる。
【０１５８】
また、撮影条件表示領域４５２での撮影条件の選択に関しては、図４１及び図４２の表示内容に代えて、図４５〜図４９の表示内容としてもよい。
【０１５９】
図４５は、例えば、現場側画像表示領域４０４に表示されているカメラ画像に写り込んだ被写体１８を見ながら、医師３８が撮影部位の厚みやＳＩＤを設定する場合の撮影条件表示領域４５２の表示内容であり、撮影部位の厚みやＳＩＤを変更する場合に適用可能である。すなわち、図４５において、撮影条件表示領域４５２には、撮影部位の厚みを入力するためのテキストボックス４７０と、ＳＩＤを入力するためのテキストボックス４７２と、入力内容でＯＫであるか、あるいは、修正すべきかを選択するための選択ボタン４７４、４７６とが表示されている。この場合、医師３８が操作部１１４を操作してテキストボックス４７０、４７２に撮影部位の厚み及びＳＩＤをそれぞれ入力した後に、選択ボタン４７４をクリックすると、図４１の表示内容に切り替わる。また、選択ボタン４７６をクリックすると、テキストボックス４７０、４７２の入力内容が消去される。
【０１６０】
また、図４６では、撮影条件表示領域４５２に、撮影部位の厚みを入力するためのテキストボックス４８０と、テキストボックス４８０内の数値を増減させるためのスピンボタン４８２、４８４と、ＳＩＤを入力するためのテキストボックス４８６と、テキストボックス４８６内の数値を増減させるためのスピンボタン４８８、４９０と、選択ボタン４７４、４７６とが表示されている。この場合、医師３８が操作部１１４又はマウス３３６を用いてスピンボタン４８２、４８４、４８８、４９０を操作することにより、テキストボックス４８０、４８６内の数値を所望の数値に設定することができる。また、所望の数値に設定した後、選択ボタン４７４をクリックすると、図４１の表示内容に切り替わる。一方、選択ボタン４７６をクリックすれば、テキストボックス４８０、４８６の入力内容が消去されるか、又は、スピンボタン４８２、４８４、４８８、４９０の操作前の値（初期値）がテキストボックス４８０、４８６にそれぞれ表示される。
【０１６１】
放射線源１４の電圧及び電流と放射線１２の照射時間との設定についても、図４１のようなアイコン４５４〜４５８による設定方法に代えて、図４７〜図４９に示す設定方法を適用してもよい。
【０１６２】
図４７は、図４５の場合と同様に、撮影条件表示領域４５２に、電圧値を入力するためのテキストボックス５００と、電流値を入力するためのテキストボックス５０２と、照射時間を入力するためのテキストボックス５０４と、入力内容でＯＫであるか、あるいは、修正すべきかを選択するための選択ボタン５０６、５０８とが表示されている。この場合、医師３８が操作部１１４を操作してテキストボックス５００〜５０４に各数値をそれぞれ入力した後に、選択ボタン５０６をクリックすると、図４２の表示内容に切り替わる。また、選択ボタン５０８をクリックすると、テキストボックス５００〜５０４の入力内容が消去される。
【０１６３】
図４８は、図４６の場合と同様に、撮影条件表示領域４５２に、電圧値を入力するためのテキストボックス５１０と、テキストボックス５１０内の数値を増減させるためのスピンボタン５１２、５１４と、電流値を入力するためのテキストボックス５１６と、テキストボックス５１６内の数値を増減させるためのスピンボタン５１８、５２０と、照射時間を入力するためのテキストボックス５２２と、テキストボックス５２２内の数値を増減させるためのスピンボタン５２４、５２６と、選択ボタン５０６、５０８とが表示されている。この場合、医師３８が操作部１１４又はマウス３３６を用いてスピンボタン５１２、５１４、５１８、５２０、５２４、５２６を操作することにより、テキストボックス５１０、５１６、５２２内の数値が所望の数値に設定される。所望の数値に設定された後、選択ボタン５０６をクリックすると、図４２の表示内容に切り替わる。一方、選択ボタン５０８をクリックすると、テキストボックス５１０、５１６、５２２の入力内容が消去されるか、又は、スピンボタン５１２、５１４、５１８、５２０、５２４、５２６の操作前の値（初期値）がテキストボックス５１０、５１６、５２２にそれぞれ表示される。
【０１６４】
図４９は、電流及び照射時間の代わりにｍＡｓ値（電流×照射時間）を設定する点で図４８の場合とは異なる。すなわち、撮影条件表示領域４５２には、テキストボックス５１０及びスピンボタン５１２、５１４と、ｍＡｓ値を入力するためのテキストボックス５２８と、テキストボックス５２８内の数値を増減させるためのスピンボタン５３０、５３２と、選択ボタン５０６、５０８とが表示されている。この場合、医師３８が操作部１１４又はマウス３３６を用いてスピンボタン５１２、５１４、５３０、５３２を操作することにより、テキストボックス５１０、５２８内の数値が所望の数値に設定される。所望の数値に設定された後、選択ボタン５０６をクリックすると、図４２の表示内容に切り替わる。一方、選択ボタン５０８をクリックすると、テキストボックス５１０、５２８の入力内容が消去されるか、又は、スピンボタン５１２、５１４、５３０、５３２の操作前の値（初期値）がテキストボックス５１０、５２８にそれぞれ表示される。
【０１６５】
図４４の表示内容に切り替わってから所定時間経過後、ステップＳ２２において、制御処理部２２６は、ステップＳ２１で設定された撮影メニューの内容を通信部１０４、アンテナ１０２及びネットワーク３６を介して無線通信により携帯情報端末３４に送信する。この場合、表示部１１２の画面４００には、図５０に示すように、撮影メニューを送信したことを通知する「設定内容を現場に送信しました」の文字が撮影メニュー表示領域４０６に表示される。なお、この文字は所定時間が経過すると消去され、この結果、画面４００は、図４４の表示内容に戻る。
【０１６６】
ステップＳ２３において、アンテナ２１６及び通信部２１８を介して撮影メニューが受信されると、携帯情報端末３４の制御処理部２２２は、表示部６４の画面４３０の表示内容を図３１の内容から図５１及び図５２の内容に切り替える。すなわち、図５１及び図５２において、ウィンドウ４３２中、左上の領域が現場側画像表示領域４３８に割り当てられ、左下の領域が待機場所側画像表示領域４３６に割り当てられ、右側の領域が撮影メニュー表示領域４３４に割り当てられ、この撮影メニュー表示領域４３４に前記撮影メニューが表示される。
【０１６７】
この場合、制御処理部２２２は、撮影メニュー表示領域４３４（撮影メニュー）を大きく表示させる一方で、現場側画像表示領域４３８（現場のカメラ画像）及び待機場所側画像表示領域４３６（医療機関４０のカメラ画像）を小さく表示させる。すなわち、制御処理部２２２は、コンソール１０６にて設定された撮影メニューの内容を操作者３２に確認してもらうため、現場側画像表示領域４３８及び待機場所側画像表示領域４３６よりも撮影メニュー表示領域４３４を大きく表示させるような表示処理を行う。
【０１６８】
撮影メニュー表示領域４３４には、オーダ情報を表示するオーダ情報表示領域５４０と、手技を表示する手技表示領域５４２と、撮影条件を表示する撮影条件情報表示領域５４４と、操作者３２が撮影メニューの設定内容を確認したことを通知するための確認ボタン５４６とが表示されている。すなわち、撮影メニュー表示領域４３４には、撮影メニュー表示領域４０６と略同様の表示内容（撮影メニュー）が表示されている。
【０１６９】
また、図５１及び図５２に示すように、撮影メニュー表示領域４３４では、操作者３２が手技を容易に認識できるように、手技表示領域５４２が最も大きく表示され、オーダ情報表示領域５４０、撮影条件情報表示領域５４４及び確認ボタン５４６が小さく表示されている。そのため、操作者３２は、手技表示領域５４２に大きく表示されている絵と、当該絵の下に表示されている文字とを視認することで、被写体１８の撮影部位が右手であり、右手の甲側から放射線１２を照射すべきことを容易に把握することができる。
【０１７０】
そして、操作者３２が撮影メニュー表示領域４０６に表示された撮影メニューを確認した後に（ステップＳ２４）、画面４３０に表示されたマウスポインタを確認ボタン５４６に重ねるように操作部６０を操作し、次に、該確認ボタン５４６を選択すれば、制御処理部２２２は、操作者３２が撮影メニューを確認したことを示す確認通知を通信部２１８、アンテナ２１６及びネットワーク３６を介して無線通信により医療機関４０へ送信する（ステップＳ２５）。その後、制御処理部２２２は、図５３に示すように、確認通知を送信したことを操作者３２に通知するために、「確認の通知を病院へ送信しました」の文字を撮影メニュー表示領域４３４に表示する。また、制御処理部２２２は、前記撮影メニューをメモリ２２４に記憶する。
【０１７１】
前記文字を表示してから所定時間経過後、制御処理部２２２は、図５３の表示内容を図５４の表示内容に切り替える。この場合、ウィンドウ４３２の左上の領域には撮影メニュー表示領域４３４が割り当てられ、左下の領域には待機場所側画像表示領域４３６が割り当てられ、右側の領域には現場側画像表示領域４３８が表示されている。すなわち、現場では、ステップＳ２５後の各ステップＳ２７〜Ｓ２９、Ｓ３７〜Ｓ４０において、被写体１８に対する各種の作業が行われるため、該作業が効率よく行われることを目的として、制御処理部２２２は、現場側画像表示領域４３８を大きく表示させると共に、撮影メニュー表示領域４３４及び待機場所側画像表示領域４３６を小さく表示させるような表示処理を行う。
【０１７２】
この場合、撮影メニュー表示領域４３４には、比較的大きく表示された手技表示領域５４２と、オーダ情報を示すアイコン５５０と、撮影条件を示すアイコン５５２とが表示されている。従って、操作者３２は、アイコン５５０、５５２を選択することにより、選択したアイコンの情報を撮影メニュー表示領域４３４に表示させることができる。
【０１７３】
一方、ステップＳ２６において、アンテナ１０２及び通信部１０４を介して確認通知を受信すると、コンソール１０６の制御処理部２２６は、ウィンドウ４０２における図４４の表示内容を図５５の表示内容に切り替え、撮影メニュー表示領域４０６に確認通知を受信したことを示す「現場で設定内容を確認しました」の文字を表示させる。これにより、医師３８は、操作者３２が撮影メニューの設定内容を確認したことを容易に把握することができる。
【０１７４】
なお、ステップＳ２４では、撮影メニュー表示領域４３４中、手技が大きく表示されていればよいので、ウィンドウ４３２の表示内容は、図５１及び図５２の内容に代えて、図５６の内容であってもよい。この場合、撮影メニュー表示領域４３４には、オーダ情報を示すアイコン５５０と、撮影条件を示すアイコン５５２と、手技表示領域５４２と、確認ボタン５４６とが表示されている。
【０１７５】
ステップＳ２７において、操作者３２は、撮影メニューのオーダ情報に対応する被写体１８を現場から見つけ出し、次に、該被写体１８をウェブカメラ３０の前方に移動させて、被写体１８の（瞳孔を含めた）顔のカメラ画像を撮影する（ステップＳ２８）。ステップＳ２９において、制御処理部２２２は、ステップＳ２８で撮影されたカメラ画像を通信部２１８、アンテナ２１６及びネットワーク３６を介して無線通信により医療機関４０に送信する。
【０１７６】
制御処理部２２６がアンテナ１０２及び通信部１０４を介して前記カメラ画像を受信すると（ステップＳ３０）、認証処理部３４４は、ウェブカメラ３０が撮影したカメラ画像に写り込んでいる被写体１８と、撮影メニューのオーダ情報の示す被写体１８とが一致するか否かの認証処理を実行する（ステップＳ３１）。
【０１７７】
ステップＳ３１において、認証処理部３４４は、被写体１８の顔の画像を用いた公知の生体認証処理、より好ましくは、被写体１８の瞳孔を用いた公知の瞳孔認証処理を実行する。
【０１７８】
認証処理部３４４は、認証処理の結果、カメラ画像に写り込んでいる被写体１８と、オーダ情報の示す被写体１８とが一致すれば（ステップＳ３１：ＹＥＳ）、前記カメラ画像に写り込んでいる被写体１８に対して放射線画像の撮影を行うと、撮影メニューに応じた適切な放射線画像が得られるものと判断し、その判断結果（認証結果）を、図５７に示すように、現場側画像表示領域４０４に表示する。医師３８が認証結果を確認し、マウス３３６を操作して確認ボタン５６０をクリックすると（ステップＳ３２）、制御処理部２２６は、当該認証結果を通信部１０４、アンテナ１０２及びネットワーク３６を介して無線通信により携帯情報端末３４に送信する（ステップＳ３３）。
【０１７９】
これに対して、認証処理の結果、カメラ画像に写り込んでいる被写体１８と、オーダ情報の示す被写体１８とが一致しなければ（ステップＳ３１：ＮＯ）、認証処理部３４４は、前記カメラ画像に写り込んでいる被写体１８が、オーダ情報に示す真正な被写体１８とは異なる人物であると判断し、その判断結果（認証結果）を、図５８に示すように、現場側画像表示領域４０４に表示する。医師３８が認証結果を確認し、マウス３３６を操作して確認ボタン５６２をクリックすると（ステップＳ３４）、制御処理部２２６は、当該認証結果を通信部１０４、アンテナ１０２及びネットワーク３６を介して無線通信により携帯情報端末３４に送信する（ステップＳ３３）。
【０１８０】
制御処理部２２２は、アンテナ２１６及び通信部２１８を介して認証結果を受信すると（ステップＳ３５）、当該認証結果を現場側画像表示領域４３８に表示する。図５９に示すように、ウェブカメラ３０のカメラ画像に写っている被写体１８と、撮影メニューの示す被写体１８とが一致する（同一人物である）認証結果であれば（ステップＳ３６：ＹＥＳ）、操作者３２は、この表示内容を確認した後にステップＳ３７以降の作業を実行する。
【０１８１】
一方、図６０に示すように、ウェブカメラ３０のカメラ画像に写っている被写体１８と、撮影メニューの示す被写体１８とが異なる（真正な被写体ではない）認証結果であれば（ステップＳ３６：ＮＯ）、操作者３２は、ステップＳ２７に戻って、真正な被写体１８を見つけ出す作業を再度行う。
【０１８２】
ステップＳ３７において、操作者３２がカセッテ本体部２２のスイッチ５０を投入すると、バッテリ１６６は、放射線検出器２０、カセッテ制御部１６８及び通信部１７０に電力を供給して、カセッテ本体部２２全体を起動させる。これにより、カセッテ制御部１６８は、カセッテ本体部２２が起動したことを通知するための起動通知信号を無線により携帯情報端末３４に送信する。また、操作者３２が一方の手で取手３１０を把持すると、タッチセンサ３１２が検出信号を出力する。
【０１８３】
制御処理部２２２は、前記起動通知信号の受信に基づいて、撮影準備を指示するための撮影準備指示信号と、メモリ２２４に登録されている撮影メニューの撮影条件とを無線により放射線源本体部１６及びカセッテ本体部２２に送信する。
【０１８４】
放射線源本体部１６のバッテリ１３４は、通信部１３６及び線源制御部１３８に対する電力供給を常時行っている。線源制御部１３８は、タッチセンサ３１２から検出信号が出力され、且つ、前記撮影準備指示信号及び前記撮影条件を受信すると、当該撮影条件を登録する一方で、照射野ランプ５６及びウェブカメラ３３０に電力供給を行うようにバッテリ１３４を制御する。
【０１８５】
これにより、照射野ランプ５６は、バッテリ１３４からの電力供給に起因して照射光５４を出力する。照射光５４は、ミラー１４４でコリメータ１４６側に反射して外部に出力され、カセッテ本体部２２の照射面４４に投光される（ステップＳ３８）。
【０１８６】
ここで、撮影間距離がＳＩＤに調整されていれば、照射光５４の投光により照射面４４に表示された放射線１２の照射野と、ガイド線４６の外枠とが略一致する。従って、放射線１２の照射野（照射光５４の照射範囲）の位置とガイド線４６の外枠の位置とが一致しない場合や、放射線１２の照射野の大きさとガイド線４６の外枠の大きさとが一致しない場合には、操作者３２は、撮影間距離がＳＩＤに一致するように、放射線源本体部１６とカセッテ本体部２２との位置関係を調整する。
【０１８７】
なお、カセッテ本体部２２にも撮影準備指示信号及び撮影条件が送信されることにより、カセッテ制御部１６８は、放射線画像撮影装置１０が撮影準備段階に入ったことを把握すると共に、カセッテＩＤメモリ２１４に前記撮影条件を登録する。
【０１８８】
また、上記の説明では、スイッチ５０の投入に起因して放射線検出器２０が起動する場合について説明したが、これに代えて、カセッテ制御部１６８での撮影準備指示信号の受信に起因して、バッテリ１６６から放射線検出器２０に電力（バイアス電圧Ｖｂ）を供給することにより、該放射線検出器２０を起動させてもよい。あるいは、放射線源本体部１６の通信部１３６がタッチセンサ３１２からの検出信号を無線により外部に送信するのであれば、カセッテ制御部１６８は、通信部１７０が無線により前記検出信号を受信したときに、バッテリ１６６から放射線検出器２０への電力供給を開始させてもよい。
【０１８９】
一方、ウェブカメラ３３０は、カセッテ本体部２２のガイド線４６の外枠を含めた所定の撮影領域３３２の撮影を開始し、そのカメラ画像は、通信部１３６及びアンテナ３４０を介して携帯情報端末３４に送信される。携帯情報端末３４の制御処理部２２２は、受信したカメラ画像を通信部２１８、アンテナ２１６及びネットワーク３６を介して無線通信により医療機関４０に送信すると共に、前記カメラ画像をメモリ２２４に記憶する（ステップＳ３９）。
【０１９０】
この場合、ウェブカメラ３３０のカメラ画像が動画であれば、制御処理部２２２は、通信部２１８、アンテナ２１６及びネットワーク３６を介して医療機関４０に前記動画を送信する。また、前記カメラ画像が所定時間間隔で撮影された静止画であれば、制御処理部２２２は、前記静止画を取得する毎に、通信部２１８、アンテナ２１６及びネットワーク３６を介して医療機関４０に前記静止画を送信する。
【０１９１】
従って、ステップＳ３８、Ｓ３９以降、携帯情報端末３４側では、連続的に又は間欠的に前記カメラ画像を無線通信により医療機関４０に送信する。そのため、医療機関４０では、ステップＳ４１以降、アンテナ１０２及び通信部１０４を介して、ウェブカメラ３３０のカメラ画像を連続的に又は間欠的に受信することになる。
【０１９２】
なお、ウェブカメラ３３０が所定時刻にカメラ画像を撮影した場合、制御処理部２２２は、所定時刻に撮影された前記カメラ画像を、通信部２１８、アンテナ２１６及びネットワーク３６を介して医療機関４０に送信する。
【０１９３】
そして、上記のように撮影間距離をＳＩＤに調整して、放射線１２の照射野とガイド線４６の外枠とを一致させた後のステップＳ４０において、操作者３２は、カセッテ本体部２２の照射面４４側に被写体１８を配置させて、被写体１８の撮影部位がガイド線４６の外枠に入るように、該被写体１８の位置決め（ポジショニング）を行う。
【０１９４】
この場合、ウェブカメラ３０は、被写体１８の撮影部位（右手）、放射線源本体部１６及びカセッテ本体部２２の照射面４４側を含む撮影領域２８を撮影する。また、ウェブカメラ３３０は、被写体１８の撮影部位（右手）及びカセッテ本体部２２の照射面４４側を含む撮影領域３３２を撮影する。なお、被写体１８が右手を負傷しており、該右手を撮影部位として放射線画像の撮影を行う場合、ウェブカメラ３０、３３０により撮影されるカメラ画像は、当該撮影部位での怪我の具合が分かる画像となる。
【０１９５】
携帯情報端末３４の表示部６４は、ウェブカメラ３０、３３０が撮影した各カメラ画像を表示する。また、ウェブカメラ３０、３３０が撮影した各カメラ画像は、ネットワーク３６を介した無線通信により携帯情報端末３４から医療機関４０に送信されているので（ステップＳ１１、Ｓ３９）、コンソール１０６の表示部１１２にもウェブカメラ３０、３３０が撮影した各カメラ画像が表示される。
【０１９６】
図６１及び図６３は、表示部６４の画面４３０のウィンドウ４３２に前記各カメラ画像を表示した場合を図示したものであり、図６２及び図６４は、表示部１１２の画面４００のウィンドウ４０２に前記各カメラ画像を表示した場合を図示したものである。
【０１９７】
この場合、各現場側画像表示領域４０４、４３８は、ウェブカメラ３０が撮影したカメラ画像を表示する携帯端末側画像表示領域４０４ａ、４３８ａと、ウェブカメラ３３０が撮影したカメラ画像を表示する線源側画像表示領域４０４ｂ、４３８ｂとにそれぞれ分割されている。
【０１９８】
前述したように、ウェブカメラ３０、３３０が撮影した各カメラ画像がリアルタイムで携帯情報端末３４からネットワーク３６を介して医療機関４０に送信されるので、携帯端末側画像表示領域４０４ａ、４３８ａには、ウェブカメラ３０が撮影した同一のカメラ画像がそれぞれ表示されると共に、線源側画像表示領域４０４ｂ、４３８ｂには、ウェブカメラ３３０が撮影した同一のカメラ画像がそれぞれ表示される。しかも、これらのカメラ画像は、撮影メニュー表示領域４０６、４３４や待機場所側画像表示領域４３６よりも大きく表示されている。
【０１９９】
ここで、図６１及び図６２は、ガイド線４６の外枠内に被写体１８の撮影部位（右手）がポジショニングされている状態を図示したものであり、一方で、図６３及び図６４は、前記撮影部位が前記外枠内にポジショニングされていない状態を図示したものである。
【０２００】
そこで、ステップＳ４２において、医師３８は、携帯端末側画像表示領域４０４ａ及び線源側画像表示領域４０４ｂに表示された各カメラ画像を見ながら、被写体１８の撮影部位のポジショニングが適切か否かを判断する。
【０２０１】
例えば、（図６１及び）図６２のように、被写体１８の撮影部位（右手）がガイド線４６の外枠内に写り込んでいるようなカメラ画像である場合、医師３８は、現在表示されている前記撮影部位とガイド線４６との位置関係で撮影を行えば、適切な被写体１８の放射線画像が得られるものと判断し（ステップＳ４２：ＹＥＳ）、マイクロフォン１２２を用いて音声により、あるいは、操作部１１４及びマウス３３６を操作することにより、ポジショニングがＯＫであること（撮影準備が完了したこと）を現場の操作者３２に伝達する（ステップＳ４３）。この場合、制御処理部２２６は、マイクロフォン１２２に入力された音声、あるいは、操作部１１４及びマウス３３６の操作内容に応じた信号を、通信部１０４、アンテナ１０２及びネットワーク３６を介して無線通信により携帯情報端末３４に送信する（ステップＳ４４）。
【０２０２】
携帯情報端末３４の制御処理部２２２は、アンテナ２１６及び通信部２１８を介して受信した前記信号に基づいて（ステップＳ４５）、図６５又は図６６に示すように、撮影準備が完了したことを示す「ポジショニングＯＫです」の表示内容を待機場所側画像表示領域４３６又は現場側画像表示領域４３８に表示させる。あるいは、スピーカ７８から音声により撮影準備の完了を通知してもよい。従って、操作者３２は、ウィンドウ４３２の表示内容を確認することにより、あるいは、スピーカ７８からの音声を聞くことにより、撮影準備が完了したことを把握することができる（ステップＳ４６：ＹＥＳ）。
【０２０３】
この場合、待機場所側画像表示領域４３６で医師３８の画像に重ねて「ポジショニングＯＫです」の文字を表示させると、操作者３２は、医師３８が確認してくれたと安心する。また、現場側画像表示領域４３８でカメラ画像に重ねて「ポジショニングＯＫです」の文字を表示させると、操作者３２は、このポジショニングでの放射線画像の撮影が可能であることを容易に理解することができる。
【０２０４】
これに対して、（図６３及び）図６４のように、被写体１８の撮影部位（右手）がガイド線４６の外枠内に入り切っていないようなカメラ画像である場合、医師３８は、現在表示されている前記撮影部位とガイド線４６との位置関係で撮影を行っても、適切な被写体１８の放射線画像が得られないと判断し（ステップＳ４２：ＮＯ）、マイクロフォン１２２を用いて音声により、あるいは、操作部１１４を操作することにより、ポジショニングがＮＧであること（ガイド線４６の外枠内に撮影部位を移動させること）を現場の操作者３２に伝達する（ステップＳ４７）。この場合、制御処理部２２６は、マイクロフォン１２２に入力された音声、あるいは、操作部１１４及びマウス３３６の操作内容に応じた信号を、通信部１０４、アンテナ１０２及びネットワーク３６を介して無線通信により携帯情報端末３４に送信する（ステップＳ４４）。
【０２０５】
携帯情報端末３４の制御処理部２２２は、アンテナ２１６及び通信部２１８を介して受信した前記信号に基づいて（ステップＳ４５）、図６７又は図６８に示すように、ポジショニングがＮＧであることを示す「患者様の右手をセンターへ移動させてください」の表示内容を待機場所側画像表示領域４３６又は現場側画像表示領域４３８に表示させる。あるいは、スピーカ７８から音声によりポジショニングがＮＧであることを通知してもよい。従って、操作者３２は、ウィンドウ４３２の表示内容を確認することにより、あるいは、スピーカ７８からの音声を聞くことにより、ポジショニングをやり直しする必要があることを把握することができる（ステップＳ４６：ＮＯ）。
【０２０６】
この場合、待機場所側画像表示領域４３６で医師３８の画像に重ねて「患者様の右手をセンターへ移動させてください」の文字を表示させると、操作者３２は、医師３８からの指示であると直ちに理解することができる。また、現場側画像表示領域４３８でカメラ画像に重ねて「患者様の右手をセンターへ移動させてください」の文字を表示させると、操作者３２は、このポジショニングでの放射線画像の撮影が不可能であることを容易に理解することができる。
【０２０７】
ポジショニングのＯＫ又はＮＧを操作者３２に通知する際には、図６５〜図６８に代えて、図６９又は図７０の表示内容としてもよい。図６９及び図７０では、待機場所側画像表示領域４３６がウィンドウ４３２の右側に大きく表示される一方で、撮影メニュー表示領域４３４及び現場側画像表示領域４３８が左側に小さく表示され、待機場所側画像表示領域４３６に表示された医師３８の画像に「ポジショニングＯＫです」又は「患者様の右手をセンターへ移動させてください」の文字が重ねて表示される。すなわち、放射線画像の撮影準備の段階では、被写体１８のポジショニングを正確に行う必要がある。そこで、待機場所側画像表示領域４３６を大きく表示すると共に、上記の文字を拡大表示することで、医師３８の判断結果を強調して操作者３２に通知することができる。
【０２０８】
なお、図６１、図６２、図６５、図６６、図６９及び図７１において、携帯端末側画像表示領域４０４ａ、４３８ａ及び線源側画像表示領域４０４ｂ、４３８ｂに表示されるカメラ画像には、被写体１８の撮影部位である右手と、右腕の少なくとも一部とが写り込んでいる。少なくとも撮影準備の段階では、医師３８は、撮影部位全体を把握しながら操作者３２に対する指示等を行う一方で、操作者３２は、撮影部位全体を把握しながら所定の作業を行う必要があるため、上記のように、右手と右腕の少なくとも一部とを含むカメラ画像を表示することにより、撮影準備を効率よく遂行することが可能となる。
【０２０９】
また、被写体１８のポジショニング時には、少なくとも現場のカメラ画像（ウェブカメラ３０、３３０のカメラ画像）がウィンドウ４０２に表示されていればよいので、図３２のように、撮影メニューやウェブカメラ１１６のカメラ画像を隠して、現場のカメラ画像のみ表示させてもよい。
【０２１０】
さらに、「ポジショニングＯＫです」及び「患者様の右手をセンターへ移動させてください」の文字が定型文であれば、医師３８による音声による指示に代えて、図７１に示すように、現場側画像表示領域４０４上にポジショニングがＯＫであるか、あるいは、ＮＧであるのかを選択させる選択ボタン５６４、５６６を表示させてもよい。これにより、医師３８がマウス３３６を操作して選択ボタン５６４又は選択ボタン５６６をクリックするだけで、クリックされた選択ボタンに応じた指示内容が医療機関４０から携帯情報端末３４に送信されるので、医師３８の作業負担が軽減される。なお、表示部６４の画面４３０のウィンドウ４３２には、前記指示内容に応じて、図６５〜図７０のいずれかの内容が表示される。
【０２１１】
なお、ステップＳ４２のポジショニングの判定の際、ウィンドウ４０２の表示内容は、図７２又は図７３の内容であってもよい。
【０２１２】
図７２では、ウェブカメラ３０のカメラ画像が大きく表示され、ウィンドウ４０２の下端には、ウェブカメラ３３０のカメラ画像を表示させるための切替ボタン５６８が表示されている。従って、医師３８がマウス３３６を操作して切替ボタン５６８をクリックすると、図７３に示すように、ウェブカメラ３３０のカメラ画像が大きく表示され、ウィンドウ４０２の下端には、ウェブカメラ３０のカメラ画像を表示させるための切替ボタン５７０が表示される。従って、図７２又は図７３の表示であれば、現場のカメラ画像が拡大表示されているので、医師３８は、適切なポジショニングであるか否かの判定を一層容易に行うことができる。
【０２１３】
また、図７４に示すように、ステップＳ４４後、ウィンドウ４０２における撮影メニュー表示領域４０６の下側に、曝射スイッチを示すアイコン５７２を表示してもよい。前述したように、コンソール１０６には曝射スイッチ１２０が備わっているが、該曝射スイッチ１２０を使用することができない場合には、アイコン５７２を用いて放射線１２の照射の指示を行えばよい。
【０２１４】
そして、ステップＳ４８において、医師３８は、撮影準備が完了（ステップＳ４２：ＹＥＳ、ステップＳ４３、Ｓ４４）したことを前提に、曝射スイッチ１２０を投入する（あるいは、曝射スイッチを示すアイコン５７２をクリックする）。これにより、制御処理部２２６の制御信号生成部３４６は、放射線源１４からの放射線１２の出力を開始させるための曝射制御信号を生成し、通信部１０４、アンテナ１０２及びネットワーク３６を介して携帯情報端末３４に送信する（ステップＳ４９）。
【０２１５】
制御処理部２２２は、アンテナ２１６及び通信部２１８を介して前記曝射制御信号を受信すると（ステップＳ５０）、放射線源１４からの放射線１２の出力の開始と、放射線検出器２０における放射線１２の検出及び放射線画像への変換との同期を取ることにより、被写体１８に対する放射線画像の撮影を実行するための同期制御信号を生成し、通信部２１８及びアンテナ２１６を介して放射線源本体部１６及びカセッテ本体部２２に前記同期制御信号を送信する。
【０２１６】
ステップＳ５１において、線源制御部１３８は、アンテナ３４０及び通信部１３６を介して前記同期制御信号を受信すると、バッテリ１３４から照射野ランプ５６への電力供給を停止させることにより、該照射野ランプ５６による照射光５４の投光を停止させると共に、線源制御部１３８に登録された撮影条件に従って、所定の線量からなる放射線１２を被写体１８に照射するように放射線源１４を制御する。
【０２１７】
これにより、放射線源１４内では、線源制御部１３８からの制御に従って、回転機構１４８が回転シャフト１５０及び回転陽極１５２を回転させ、一方で、電源部１４２がバッテリ１３４からの電力供給に基づいて電子源１５８に負電圧を印加すると共に、電源部１４０がバッテリ１３４からの電力供給に基づいて回転陽極１５２と陰極１５６との間に電圧を印加するので、電子源１５８から放出された電子は、回転陽極１５２と陰極１５６との間に印加された電圧により加速されてターゲット層１５４に衝突し、ターゲット層１５４の電子の衝突面（焦点１６０）からは、該衝突した電子に応じた放射線１２が出力される。
【０２１８】
放射線１２は、ミラー１４４を通過してコリメータ１４６により照射範囲が絞られた状態で放射線源本体部１６から外部に出力されて、被写体１８に照射される。この場合、撮影条件に基づく所定の曝射時間（照射時間）だけ被写体１８に放射線１２が照射されると、該放射線１２は、被写体１８を透過してカセッテ本体部２２内の放射線検出器２０に至る。
【０２１９】
ステップＳ５２において、放射線検出器２０が間接変換型の放射線検出器である場合に、該放射線検出器２０を構成するシンチレータは、放射線１２の強度に応じた強度の可視光を発光し、光電変換層１８６を構成する各画素１８０は、可視光を電気信号に変換し、電荷として蓄積する。次いで、各画素１８０に保持された被写体１８の放射線画像である電荷情報は、カセッテ制御部１６８を構成するアドレス信号発生部２１２からライン走査駆動部１９０及びマルチプレクサ１９２に供給されるアドレス信号に従って読み出される。
【０２２０】
すなわち、ライン走査駆動部１９０のアドレスデコーダ１９４は、アドレス信号発生部２１２から供給されるアドレス信号に従って選択信号を出力してスイッチＳＷ１の１つを選択し、対応するゲート線１８２に接続されたＴＦＴ１８８のゲートに制御信号Ｖｏｎを供給する。一方、マルチプレクサ１９２のアドレスデコーダ２００は、アドレス信号発生部２１２から供給されるアドレス信号に従って選択信号を出力してスイッチＳＷ２を順次切り替え、ライン走査駆動部１９０によって選択されたゲート線１８２に接続された各画素１８０に保持された電荷情報である放射線画像を信号線１８４を介して順次読み出す。
【０２２１】
選択されたゲート線１８２に接続された各画素１８０から読み出された放射線画像は、各増幅器１９６によって増幅された後、各サンプルホールド回路１９８によってサンプリングされ、マルチプレクサ１９２を介してＡ／Ｄ変換器２０２に供給され、デジタル信号に変換される。デジタル信号に変換された放射線画像は、カセッテ制御部１６８の画像メモリ２１０に一旦記憶される（ステップＳ５３）。
【０２２２】
同様にして、ライン走査駆動部１９０のアドレスデコーダ１９４は、アドレス信号発生部２１２から供給されるアドレス信号に従ってスイッチＳＷ１を順次切り替え、各ゲート線１８２に接続されている各画素１８０に保持された電荷情報である放射線画像を信号線１８４を介して読み出し、マルチプレクサ１９２及びＡ／Ｄ変換器２０２を介してカセッテ制御部１６８の画像メモリ２１０に記憶させる（ステップＳ５３）。
【０２２３】
画像メモリ２１０に記憶された放射線画像は、カセッテＩＤメモリ２１４に記憶されたカセッテＩＤ情報と共に、通信部１７０を介して無線通信により携帯情報端末３４に送信される。携帯情報端末３４の制御処理部２２２は、アンテナ２１６及び通信部２１８を介して受信した放射線画像及びカセッテＩＤ情報をメモリ２２４に記憶すると共に、放射線画像及びカセッテＩＤ情報を通信部２１８、アンテナ２１６及びネットワーク３６を介して無線通信により送信する（ステップＳ５４）。また、制御処理部２２２は、メモリ２２４に記憶された放射線画像を表示部６４の画面４３０に表示する（ステップＳ５５）。
【０２２４】
一方、制御処理部２２６は、アンテナ１０２及び通信部１０４を介して受信した放射線画像及びカセッテＩＤ情報をメモリ２２８に記憶すると共に（ステップＳ５６）、メモリ２２８に記憶された放射線画像を表示部１１２の画面４００に表示する（ステップＳ５７）。
【０２２５】
図７５及び図７６は、ステップＳ５５における表示部６４の画面４３０の表示内容を示し、図７７は、ステップＳ５７における表示部１１２の画面４００の表示内容を示す。
【０２２６】
図７５の画面４３０のウィンドウ４３２において、左上の領域には撮影メニュー表示領域４３４が割り当てられ、左下の領域には待機場所側画像表示領域４３６が割り当てられ、右側の領域には、放射線画像を表示する放射線画像表示領域５８０が割り当てられている。また、ウィンドウ４３２の下端には、ウェブカメラ３０のカメラ画像を表示させるための切替ボタン５７４と、ウェブカメラ３３０のカメラ画像を表示させるための切替ボタン５７６とが表示されている。
【０２２７】
なお、図１、図６１、図６２、図７２及び図７３に示すように、カセッテ本体部２２の照射面４４に対して被写体１８の右手を横にした状態で放射線画像の撮影が行われるため、通常は、カメラ画像と同じ方向に向いた放射線画像が放射線画像表示領域５８０に表示されるが、制御処理部２２２は、操作者３２が放射線画像を容易に視認できるように、撮影された放射線画像を９０°回転させて放射線画像表示領域５８０に表示させている（図７５参照）。
【０２２８】
また、図７５の表示内容では、放射線画像が大きく表示されているので、操作者３２は、放射線画像が取得できたか否かを容易に確認することができる。なお、操作者３２が操作部６０を操作して切替ボタン５７４、５７６を選択すれば、選択した切替ボタンに応じたカメラ画像が、前記放射線画像に代わって大きく表示される。
【０２２９】
ところで、図７６の場合、画面４３０のウィンドウ４３２において、左上の領域には撮影メニュー表示領域４３４が割り当てられ、左下の領域には放射線画像表示領域５８０が割り当てられ、右側の領域には、携帯端末側画像表示領域４３８ａと線源側画像表示領域４３８ｂとが並行して割り当てられている。また、ウィンドウ４３２の下端には、医師３８のカメラ画像を表示させるための切替ボタン５７８が表示されている。
【０２３０】
これは、放射線画像の撮影を行っても、後述するように、医師３８から再撮影の指示が行われる可能性があるため、図７６のように、携帯端末側画像表示領域４３８ａ及び線源側画像表示領域４３８ｂを大きく表示させておけば、再撮影の指示があっても迅速に対応することが可能になるからである。
【０２３１】
図７７の画面４００のウィンドウ４０２において、左側の領域には撮影メニュー表示領域４０６が割り当てられ、右側の領域には、放射線画像を表示する放射線画像表示領域５８２が割り当てられている。また、ウィンドウ４０２の下端には、ウェブカメラ３０のカメラ画像を表示させるための切替ボタン５７０と、ウェブカメラ３３０のカメラ画像を表示させるための切替ボタン５６８とが表示されている。さらに、撮影メニュー表示領域４０６には、アイコン４５０、４６４、４６６に加え、放射線画像表示領域５８２に表示されている放射線画像が適切な画像であるか否か（医師３８による読影診断に適した画像であるか否か）を判定するための選択ボタン５８４、５８６が表示されている。
【０２３２】
この場合でも、制御処理部２２６は、医師３８が放射線画像を容易に視認できるように、撮影された放射線画像を９０°回転させて放射線画像表示領域５８２に表示させている。
【０２３３】
また、図７５及び図７７では、撮影部位としての右手の放射線画像が放射線画像表示領域５８０、５８２全体に大きく表示されている。これは、後述するステップＳ５８において、該右手の放射線画像が読影診断に適した画像であるか否かを正確に判断する必要があるため、撮影部位以外の他の部分（例えば、右腕）については、表示する必要がないからである。従って、携帯端末側画像表示領域４０４ａ、４３８ａ及び線源側画像表示領域４０４ｂ、４３８ｂ（図６１、図６２、図６５、図６６、図６９及び図７１参照）に表示された右手及び右腕の一部を含むカメラ画像と比較して、放射線画像表示領域５８０、５８２では、右手の放射線画像が表示領域全体に拡大表示されている。つまり、放射線画像表示領域５８０、５８２における右手の放射線画像は、携帯端末側画像表示領域４０４ａ、４３８ａ及び線源側画像表示領域４０４ｂ、４３８ｂに表示された右手の光学画像よりも、大きめ（広め）に表示される。
【０２３４】
ステップＳ５８において、医師３８は、当該放射線画像が適切な画像であると判断した場合（ステップＳ５８：ＹＥＳ）、マウス３３６を操作して撮影がＯＫであったことを示す選択ボタン５８４をクリックする（ステップＳ５９）。
【０２３５】
これにより、ステップＳ６０において、制御処理部２２６の紐付け処理部３４８は、（１）今回の放射線画像の撮影での撮影メニュー、（２）ステップＳ３１、Ｓ３２の処理で使用した真正な被写体１８の顔のカメラ画像、（３）ステップＳ４２、Ｓ４３の処理で使用したポジショニングＯＫの（被写体１８の撮影部位の）カメラ画像、（４）前記放射線画像、（５）カセッテＩＤ情報、（６）ウェブカメラ１１６が撮影した医師３８（今回の撮影での担当医師）のカメラ画像、を紐付けして（対応付けて）メモリ２２８に記憶する。なお、紐付けされる各カメラ画像は、静止画又は動画のどちらの画像でもよい。
【０２３６】
これらの情報は、メモリ２２８に全て記憶されているので、紐付け処理部３４８は、メモリ２２８から紐付けの対象となる情報（撮影メニュー、各種画像、カセッテＩＤ情報）を読み出して紐付けし、紐付けした各情報をメモリ２２８に記憶する。従って、紐付け処理部３４８は、容易に紐付けの処理を行うことができる。
【０２３７】
このように前記各情報を紐付けすることにより、前記各情報の対応関係が明確となり、医師３８は、読影診断を効率よく行うことができる。なお、医師３８は、読影診断を行う場合、例えば、コンソール１０６の操作部１１４を操作して、カセッテＩＤ情報又は被写体１８のＩＤ情報等を入力すればよい。制御処理部２２６は、入力されたＩＤ情報に一致するＩＤ情報がメモリ２２８に記憶されているか否かを検索し、一致するＩＤ情報が検索できたときに、該ＩＤ情報と共に紐付けされた各情報を表示部１１２に表示させる。このような読影診断は、コンソール１０６上に限らずＲＩＳにおいて行ってもよいことは勿論である。
【０２３８】
また、被写体１８の顔のカメラ画像は、実際の認証処理（生体認証処理、瞳孔認証処理）に用いられた画像であるため、被写体１８の取り違いに起因した誤った情報による紐付けを確実に防止することができる。さらに、被写体１８の撮影部位のカメラ画像と放射線画像とが紐付けされているので、撮影部位の状況（例えば、右手の怪我の状況）と放射線画像とを対比することも可能となる。
【０２３９】
上記の紐付けの完了後、制御処理部２２６は、ウィンドウ４０２の表示内容を図７８の内容に切り替え、被写体１８に対して連続撮影を行うか否かを医師３８に問い合わせる（ステップＳ６１）。この場合、撮影メニュー表示領域４０６には、選択ボタン５８４、５８６に代えて、連続撮影を行うか否かを選択するための選択ボタン５８８、５９０が表示されており、連続撮影を行わないのであれば、医師３８は、マウス３３６を操作して連続撮影を行わないことを示す選択ボタン５９０をクリックする（ステップＳ６１：ＮＯ）。
【０２４０】
次に、制御処理部２２６は、ウィンドウ４０２の表示内容を図７９の内容に切り替え、異なる条件（異なるオーダ情報、手技又は撮影条件）で被写体１８に対する撮影を行うか否か、あるいは、他の被写体１８に対する撮影を行うか否かを医師３８に問い合わせる（ステップＳ６２）。この場合、撮影メニュー表示領域４０６には、選択ボタン５８８、５９０に代えて、異なる条件で被写体１８に対する撮影を行うか否か、又は、他の被写体１８に対する撮影を行うか否かを選択するための選択ボタン５９２、５９４が表示されており、今回の撮影とは異なる撮影を行わないのであれば、医師３８は、マウス３３６を操作して該異なる撮影を行わないことを示す選択ボタン５９４をクリックする（ステップＳ６２：ＮＯ）。
【０２４１】
以上のステップＳ５８〜Ｓ６２の処理を経て、制御処理部２２６は、今回の撮影がＯＫであると共に、今回の撮影にて放射線画像の撮影が完了したことを示す指示内容を通信部１０４、アンテナ１０２及びネットワーク３６を介して無線通信により携帯情報端末３４に送信する（ステップＳ６３）。
【０２４２】
携帯情報端末３４の制御処理部２２２は、アンテナ２１６及び通信部２１８を介して前記指示内容を受信すると（ステップＳ６４）、この指示内容が撮影ＯＫの指示内容であるか（ステップＳ６５）、連続撮影の指示内容であるか（ステップＳ６６）、及び、異なる条件での撮影又は他の被写体１８に対する撮影の指示内容であるのか（ステップＳ６７）を順に判定する。
【０２４３】
前記指示内容が撮影ＯＫの指示内容であり（ステップＳ６５：ＹＥＳ）、連続撮影の指示内容ではなく（ステップＳ６６：ＮＯ）、且つ、異なる条件での撮影又は他の被写体１８に対する撮影の指示内容でもない（ステップＳ６７：ＮＯ）のであれば、制御処理部２２２は、当該指示内容が、撮影ＯＫで且つ今回の撮影で放射線画像の撮影が完了したことを示す指示内容であると判断し（ステップＳ６８）、表示部６４の画面４３０の表示内容を図８０の表示内容に切り替える。
【０２４４】
この場合、現場側画像表示領域４３８（携帯端末側画像表示領域４３８ａ及び線源側画像表示領域４３８ｂ）に代えて、待機場所側画像表示領域４３６が大きく表示され、医師３８のカメラ画像に重ねて「撮影ＯＫです」の文字が表示される。これにより、操作者３２は、被写体１８に対する撮影が完了したことを容易に把握することができる。
【０２４５】
次のステップＳ６９において、操作者３２は、操作部６０を操作するか、あるいは、電源スイッチ７６を押すことにより、携帯情報端末３４を停止させる。これにより、バッテリ２２０から携帯情報端末３４内の各部への電力供給が停止すると共に、携帯情報端末３４と医療機関４０との間の無線通信も停止する。また、操作者３２が取手３１０から離間することにより、タッチセンサ３１２からの検出信号の出力が停止するので、線源制御部１３８は、バッテリ１３４から放射線源本体部１６の各部への電力供給を停止させる。これにより、放射線源本体部１６と携帯情報端末３４との間の無線通信や、ウェブカメラ３３０によるカメラ画像の撮影も停止に至る。さらに、操作者３２がスイッチ５０を押すことにより、カセッテ本体部２２が停止して、バッテリ１６６からカセッテ本体部２２の各部への電力供給が停止すると共に、カセッテ本体部２２と携帯情報端末３４との間の無線通信も停止に至る。
【０２４６】
次のステップＳ７０において、操作者３２は、ヒンジ部７０の作用下に、携帯情報端末３４の軸部６８を中心として、蓋部６６を本体部６２側に回動させることにより、突起７２と凹部７４とを嵌合させて、携帯情報端末３４を折り畳んだ状態にする。次に、操作者３２は、放射線源本体部１６、カセッテ本体部２２及び携帯情報端末３４をアタッシュケース９８に収容する。そして、操作者３２は、自己が所属する医療機関４０にアタッシュケース９８を持ち帰る（ステップＳ７１）。
【０２４７】
なお、図８１及び図８２に示すように、ガイド線４６の外枠内に被写体１８の撮影部位が納まっていない状態で放射線画像の撮影が誤って行われ、その放射線画像が各表示部６４、１１２の画面４００、４３０に表示された場合、医師３８は、適切な放射線画像が取得できなかったので再撮影が必要と判断し（ステップＳ５８：ＮＯ）、マウス３３６を操作して撮影がＮＧであったことを示す選択ボタン５８６をクリックする（ステップＳ７２）。
【０２４８】
これにより、制御処理部２２６は、再撮影の指示内容を通信部１０４、アンテナ１０２及びネットワーク３６を介して無線通信により携帯情報端末３４に送信する（ステップＳ６３）。携帯情報端末３４の制御処理部２２２は、アンテナ２１６及び通信部２１８を介して前記指示内容を受信すると（ステップＳ６４）、撮影ＯＫの指示内容であるか否かを判定する（ステップＳ６５）。この場合、前記指示内容が再撮影（撮影ＮＧ）の指示内容であるため（ステップＳ６５：ＮＯ）、制御処理部２２２は、表示部６４の画面４３０の表示内容を図８３の内容に切り替える。
【０２４９】
図８３において、待機場所側画像表示領域４３６には、医師３８のカメラ画像と共に、再撮影を指示する「撮影ＮＧです。再撮影です。」の文字が重ねて表示されている。従って、操作者３２は、再撮影が必要であることを確実に認識することができる。そして、操作者３２は、ステップＳ４０に戻って、被写体１８のポジショニングを再度行い、再撮影の準備に入る。
【０２５０】
その際、図８４及び図８５に示すように、各画面４００、４３０には、現場側画像表示領域４０４、４３８（携帯端末側画像表示領域４０４ａ、４３８ａ及び線源側画像表示領域４０４ｂ、４３８ｂ）を大きく表示させると共に、撮影が失敗した放射線画像を放射線画像表示領域５８０、５８２に小さく表示させてもよい。
【０２５１】
なお、上記の説明では、被写体１８の撮影部位がガイド線４６の外枠内に納まっていない状態で放射線画像の撮影が誤って行われた場合での再撮影の指示について説明した。本実施形態では、この説明に限定されることはなく、例えば、ポジショニング時に前記撮影部位がガイド線４６の外枠内に納まっていても、放射線画像の撮影時には、前記撮影部位が被写体１８の体動によってガイド線４６の外枠から外れ、その状態で該撮影が行われた場合にも適用可能である。この場合でも、図８２に示すように、ウィンドウ４０２内で放射線画像が大きく表示されるので、医師３８は、放射線画像の撮影が失敗したことを容易に理解することができ、速やかに再撮影の指示を行うことができる。
【０２５２】
また、ステップＳ６１及び図７８において、医師３８がマウス３３６を操作して連続撮影を行うことを示す選択ボタン５８８をクリックした場合（ステップＳ６１：ＹＥＳ）、医療機関４０から携帯情報端末３４には連続撮影を示す指示内容が送信される（ステップＳ６３、Ｓ６４）。従って、制御処理部２２２は、連続撮影を示す前記指示内容に基づいて（ステップＳ６６：ＹＥＳ）、ステップＳ４０又はステップＳ５０に戻り、次の撮影に備える。また、医療機関４０においても、ステップＳ４２又はステップＳ４８に戻り、次の撮影に備える。
【０２５３】
さらに、ステップＳ６２及び図７９において、医師３８がマウス３３６を操作して、異なる条件での撮影又は他の被写体１８に対する撮影を行うことを示す選択ボタン５９２をクリックした場合（ステップＳ６２：ＹＥＳ）、医療機関４０から携帯情報端末３４には新たな撮影を示す指示内容が送信される（ステップＳ６３、Ｓ６４）。従って、制御処理部２２２は、新たな撮影を示す前記指示内容に基づいて（ステップＳ６７：ＹＥＳ）、ステップＳ２３に戻り、次の撮影に備える。また、医療機関４０においても、ステップＳ８又はステップＳ１８に戻り、次の撮影に備える。
【０２５４】
なお、第１実施例においては、上記の説明に限らず、図８６〜図９２の画面表示も可能である。
【０２５５】
図８６及び図８７は、図３２の場合と同様に、ウィンドウ４０２、４３２に放射線画像のみ大きく表示させたものである。このように、放射線画像が大きく表示されることで、医師３８は、放射線画像が適切な画像であるか否かを容易に判断することができ、一方で、操作者３２は、どのような放射線画像が得られたのかを容易に把握することができる。
【０２５６】
また、ウィンドウ４０２、４３２の下端には、複数の切替ボタン４２２、４４０、４４２、５６８、５７０、５７４、５７６が表示されている。この場合、いずれか１つの切替ボタンが選択（クリック）されると、放射線画像に代えて、当該切替ボタンに応じた情報（画像）が大きく表示されるので、医師３８又は操作者３２は、大きく表示された情報を容易に確認することが可能となると共に、不要な情報を表示させないようにすることができる。
【０２５７】
図８８及び図８９は、ウィンドウ４０２、４３２における右側の領域に、放射線画像と、放射線画像の撮影前にウェブカメラ３０が撮影した被写体１８の顔のカメラ画像（携帯端末側画像表示領域４０４ｃ、４３８ｃ）と、放射線画像の撮影前にウェブカメラ３０が撮影したカメラ画像（携帯端末側画像表示領域４０４ａ、４３８ａに表示された放射線源本体部１６、撮影部位及びカセッテ本体部２２の画像）と、放射線画像の撮影前にウェブカメラ３３０が撮影したカメラ画像（線源側画像表示領域４０４ｂ、４３８ｂに表示された撮影部位及びカセッテ本体部２２の画像）とが４画面表示されている場合を図示したものである。
【０２５８】
前述したように、紐付け処理部３４８は、（１）撮影メニュー、（２）被写体１８の顔のカメラ画像、（３）撮影部位のカメラ画像、（４）放射線画像、（５）カセッテＩＤ情報、（６）医師３８のカメラ画像、を紐付けしてメモリ２２８に記憶するが、図８８及び図８９では、カセッテＩＤ情報以外の各情報（各画像）が一括して表示されている。
【０２５９】
従って、例えば、紐付け（ステップＳ６０）前のステップＳ５９において、図８８の画面表示を行えば、医師３８は、これから紐付けされる情報を把握することができると共に、被写体１８の特定や撮影部位の状況の把握を速やかに行うことができる。また、ステップＳ６８において、図８９の画面表示を行うことにより、操作者３２は、どのような情報が紐付けされたのかを容易に理解することが可能である。さらに、読影診断の際に、これらの情報を一括して画面表示することにより、医師３８は、読影診断の作業を効率よく進めることができる。
【０２６０】
図９０及び図９１は、ステップＳ２８においてウェブカメラ３０が被写体１８の瞳孔をクローズアップして撮影し、この結果、ウィンドウ４０２、４３２で現場側画像表示領域４０４、４３８を大きく表示した際に、被写体１８の瞳孔が拡大表示された様子を図示したものである。このように、被写体１８の瞳孔をクローズアップして撮影することにより、ステップＳ３１において認証処理部３４４で行われる瞳孔認証処理を一層正確に行うことができ、この結果、被写体１８の取り違えによって間違った紐付けが行われることを確実に防止することが可能となる。
【０２６１】
図９２は、オーダ情報に応じた手技に限らず、メモリ２２８に登録されている全ての手技の一覧をアイコン６３０〜６３８で手技表示領域４１０に表示させた場合を図示したものである。これらのアイコン６３０〜６３８には、被写体１８の撮影部位を示す絵と、撮影部位を示す文字とが表示されている。アイコン６３０は、撮影部位が手であることを示し、アイコン６３２は、撮影部位が足であることを示し、アイコン６３４は、撮影部位が肺であることを示し、アイコン６３６は、撮影部位が肋骨であることを示し、アイコン６３８は、撮影部位が胃であることを示している。そして、例えば、医師３８がマウス３３６を操作してアイコン６３０をクリックすると、図２４の表示内容に切り替わり、手の撮影に関するより詳しい手技の一覧が表示される。
【０２６２】
以上が第１実施例に関する説明である。
【０２６３】
次に、第２実施例について説明する。
【０２６４】
図１５のステップＳ１６後の図２１のステップ８１において、操作者３２は、例えば、災害現場において、怪我による負傷等のため放射線画像の撮影が必要とされる被写体１８を現場から見つけ出す。次に、操作者３２は、被写体１８の負傷箇所を撮影部位とみなし、ウェブカメラ３０を該負傷箇所（撮影部位）に向けることで、前記負傷箇所を含めた被写体１８のカメラ画像を撮影する（ステップＳ８２）。ステップＳ８３において、制御処理部２２２は、ステップＳ８２で撮影されたカメラ画像を通信部２１８、アンテナ２１６及びネットワーク３６を介して無線通信により医療機関４０に送信する。
【０２６５】
制御処理部２２６がアンテナ１０２及び通信部１０４を介して前記カメラ画像を受信すると（ステップＳ８４）、制御処理部２２６は、表示部１１２の画面４００の表示内容を図９３の内容に切り替える。
【０２６６】
図９３において、ウィンドウ４０２の左側の領域には現場側画像表示領域４０４が割り当てられ、右側の領域には撮影メニュー表示領域４０６が割り当てられている。そして、撮影メニュー表示領域４０６には、オーダ情報を変更（設定、編集）するためのオーダ情報編集領域６００が表示されている。
【０２６７】
オーダ情報編集領域６００には、カメラ画像に写っている被写体１８のＩＤを入力するためのテキストボックス６０２と、被写体１８の氏名を入力するためのテキストボックス６０４と、被写体１８の性別を入力するためのテキストボックス６０６と、被写体１８の年齢を入力するためのテキストボックス６０８と、被写体１８に対する撮影方法を入力するためのテキストボックス６１０と、被写体１８の撮影部位を入力するためのテキストボックス６１２と、入力内容がＯＫであるか、あるいは、ＮＧであるのかを選択させる選択ボタン６１４、６１６とが表示されている。
【０２６８】
従って、ステップＳ８５において、医師３８は、現場側画像表示領域４０４に表示された被写体１８のカメラ画像を見ながら、操作部１１４及びマウス３３６を操作してテキストボックス６０２〜６１２に必要な内容を入力し、入力した内容で良ければ、マウス３３６を操作して選択ボタン６１４をクリックする。これにより、オーダ情報が設定され（ステップＳ８６）、設定されたオーダ情報に応じた手技が撮影メニュー表示領域４０６に一覧表示される（ステップＳ１８、図２３及び図２４）。
【０２６９】
なお、入力した内容を修正したい場合には、選択ボタン６１６をクリックすることで、各テキストボックス６０２〜６１２に入力された内容を削除することができる。また、携帯情報端末３４にはマイクロフォン８０及びスピーカ７８が設けられ、コンソール１０６にもマイクロフォン１２２及びスピーカ１１８が設けられているので、医師３８は、操作者３２に対してテキストボックス６０２〜６１２の入力内容に関わる情報（例えば、被写体１８の氏名）を問い合わせ、これに対して、操作者３２が医師３８に回答することも可能である。
【０２７０】
さらに、災害現場では、怪我による負傷者が多数いる可能性がある上に、操作者３２も各負傷者に対して迅速に対応する必要があるため、医師３８は、操作者３２から的確な回答が得られない可能性もあり、従って、全てのテキストボックス６０２〜６１２を埋めることが困難である場合がある。このような場合、埋めることのできないテキストボックスについてはそのままとし、埋めることのできるテキストボックスのみ情報を入力すればよい。
【０２７１】
また、第２実施例では、現場のカメラ画像を見ながら撮影メニューを変更する必要があるため、ウィンドウ４０２における現場側画像表示領域４０４の大きさと、撮影メニュー表示領域４０６の大きさとは、略同じ大きさとすることが望ましい。
【０２７２】
以上が第２実施例に関する説明である。
【０２７３】
次に、第３実施例について説明する。
【０２７４】
前述した第２実施例でオーダ情報が設定され（ステップＳ８６）、そのオーダ情報に基づいて撮影メニューが設定され（ステップＳ１８〜Ｓ２１）、設定後の撮影メニューが医療機関４０から携帯情報端末３４に送信されて（ステップＳ２２、Ｓ２３）、操作者３２が当該撮影メニューを確認した（ステップＳ２４）後の図２２のステップＳ９１において、操作者３２は、確認した撮影メニューの内容が、被写体１８の負傷箇所（撮影部位）に対応した適切な内容になっているか否かを判断する。
【０２７５】
具体的には、図９４に示すように、撮影メニュー表示領域４３４の下側に設定内容でＯＫであるか否かを選択するための選択ボタン６２０、６２２が表示されており、操作者３２は、負傷している被写体１８と、撮影メニューの内容とが対応しているか否かを判断する。そして、この撮影メニューの内容で良ければ、操作者３２は、操作部６０を操作して選択ボタン６２０をクリックする（ステップＳ９１：ＹＥＳ）。これにより、制御処理部２２２は、ステップＳ２５の処理を行って、設定した撮影メニューの内容でＯＫであることを示す確認通知を通信部２１８、アンテナ２１６及びネットワーク３６を介して無線通信により医療機関４０に送信すると共に、ウィンドウ４３２の表示内容を図９４から図９５の内容に切り替えて「ＯＫの通知を病院へ送信しました」の文字を撮影メニュー表示領域４３４に表示させる。
【０２７６】
コンソール１０６の制御処理部２２６は、アンテナ１０２及び通信部１０４を介して前記確認通知を受信すると（ステップＳ２６）、表示部１１２の画面４００の表示内容を図９６の内容に切り替える。これにより、医師３８は、操作者３２が撮影メニューの内容を確認してくれたと共に、設定した撮影メニューの内容でＯＫであったことを把握することができる。
【０２７７】
これに対して、負傷している被写体１８と、撮影メニューの内容とが対応していない場合（ステップＳ９１：ＮＯ）、操作者３２は、操作部６０を操作して選択ボタン６２２をクリックする（ステップＳ９２）。これにより、制御処理部２２２は、設定した撮影メニューの内容が被写体１８に対応していない（ＮＧである）ことを示す確認通知（ＮＧ通知）を通信部２１８、アンテナ２１６及びネットワーク３６を介して無線通信により医療機関４０に送信すると共に、ウィンドウ４３２の表示内容を図９４から図９７の内容に切り替えて「ＮＧの通知を病院へ送信しました」の文字を撮影メニュー表示領域４３４に表示させる（ステップＳ９３）。
【０２７８】
コンソール１０６の制御処理部２２６は、アンテナ１０２及び通信部１０４を介して前記ＮＧ通知を受信すると（ステップＳ９４）、表示部１１２の画面４００の表示内容を図９８の内容に切り替える（ステップＳ９５）。これにより、医師３８は、操作者３２が撮影メニューの内容を確認してくれたと共に、設定した撮影メニューの内容がＮＧであり、再設定が必要であることを把握することができる。この場合、コンソール１０６は、表示部１１２による表示と共に、スピーカ１１８から音を出力することで、再設定が必要であることを警告してもよい（ステップＳ９５）。
【０２７９】
なお、第３実施例の説明では、撮影メニューの内容が適切な内容であるか否かを現場側で判断する場合について説明したが、オーダ情報、手技又は撮影条件のような個別の項目についてのみ現場側で判断し、その判断結果を医療機関４０に通知してもよい。例えば、手技が適切な内容であるか否かを現場側で判断する場合、コンソール１０６の表示部１１２は、「手技ＯＫです」又は「手技ＮＧです」の文字を表示部１１２の画面４００上に表示すればよい。
【０２８０】
以上説明したように、本実施形態に係る放射線画像撮影システム１１、放射線画像撮影方法及び画像表示方法によれば、下記の効果が得られる。
【０２８１】
本実施形態に係る放射線画像撮影システム１１、放射線画像撮影方法及び画像表示方法によれば、放射線画像の撮影前は、携帯情報端末３４の通信部２１８から医療機関４０の通信部１０４に現場のカメラ画像（ウェブカメラ３０、３３０が撮影した光学画像）が送信される一方で、通信部１０４から通信部２１８に撮影メニュー及び医療機関４０のカメラ画像（ウェブカメラ１１６が撮影した光学画像）が送信される。これにより、コンソール１０６の表示部１１２は、撮影メニュー及び現場のカメラ画像のうち、少なくとも１つを表示することが可能となる一方で、携帯情報端末３４の表示部６４は、撮影メニュー、現場のカメラ画像及び医療機関４０のカメラ画像のうち、少なくとも１つを表示することが可能となる。
【０２８２】
従って、医療機関４０等の待機場所で待機している医師（又は放射線技師）３８は、表示部１１２に表示される現場のカメラ画像を見ながら、現場にいる操作者３２に対して適切な指示（例えば、被写体１８のポジショニングに対する指示）を行うことが可能となる。また、撮影メニューも表示部１１２に表示されていれば、医師３８は、操作者３２が撮影メニューの内容通りの作業を行っているか否かを現場のカメラ画像を見ながら確認（監視）することもできる。
【０２８３】
一方、操作者３２は、表示部６４に表示される撮影メニューを見ることで、被写体１８に対してどのような放射線画像の撮影が行われるのかを把握することができ、撮影メニューに応じた適切な作業（例えば、被写体１８のポジショニング）を遂行することが可能となる。また、現場のカメラ画像が表示部６４に表示されていれば、操作者３２は、現場の状況を容易に確認することができる。さらに、医療機関４０のカメラ画像が表示されていれば、操作者３２は、医療機関４０において現場の状況を把握しているものと認識することができ、安心して現場での作業を遂行することができる。
【０２８４】
また、放射線画像の撮影後には、通信部２１８から通信部１０４に現場のカメラ画像及び放射線画像が送信される。これにより、コンソール１０６の表示部１１２は、撮影メニュー、現場のカメラ画像及び放射線画像のうち少なくとも１つを表示することが可能となる。一方、携帯情報端末３４の表示部６４は、撮影メニュー、現場のカメラ画像、医療機関４０のカメラ画像及び放射線画像のうち少なくとも１つを表示することが可能となる。
【０２８５】
これにより、医師３８は、表示部１１２に表示される放射線画像を見ながら、撮影メニューに従って適切な放射線画像（読影診断に適した画像）が得られたか否かを判断することができる。また、操作者３２も表示部６４に表示される放射線画像を見ることで、放射線画像の撮影が適切に行われたか否かを知ることができる。
【０２８６】
従って、本実施形態によれば、被写体１８を直視することのできない待機場所（医療機関４０）に医師３８が待機している場合に、医師３８は、表示部１１２の表示内容を見ながら、現場にいる操作者３２に対して、リアルタイムで放射線画像の撮影を指示することができる。従って、現場に医師３８が直接出向かなくても被写体１８に対する撮影を遂行することが可能となる。
【０２８７】
また、上述のように、通信部１０４、２１８間で撮影メニュー、現場のカメラ画像、医療機関４０のカメラ画像及び放射線画像等の信号の送受信が行われるため、表示部１１２は、放射線画像の撮影の状況（撮影前、撮影後）に応じて、医師３８が現時点で見たい情報をできるだけ大きく画面４００上に表示することが可能になる一方で、表示部６４は、放射線画像の撮影の状況に応じて、操作者３２が現時点で見たい情報をできるだけ大きく画面４３０上に表示することが可能になる。これにより、医師３８は、操作者３２に対して適切な指示を行うことができると共に、適切な放射線画像が得られた否かの判定等を効率よく行うことができる。また、操作者３２は、表示部６４の表示内容（医師３８からの指示等）に従って現場での作業を効率よく行うことができる。
【０２８８】
このように、放射線画像の撮影の状況に応じて、医師３８の見たい情報が各画面４００上に大きく表示されると共に、操作者３２の見たい情報が各画面４３０上に大きく表示されるので、各画面４００、４３０は、互いに同じ表示内容を表示してもよいし、あるいは、互いに異なる表示内容を表示してもよい。
【０２８９】
例えば、被写体１８に対するポジショニングの際には、該被写体１８の撮影部位がガイド線４６の外枠内に納まっているか否かを判断しつつ、前記撮影部位の位置を調整する必要があるため、各画面４００、４３０には同じ表示内容が表示されていることが望ましい。この場合、被写体１８の撮影部位（右手）と、該撮影部位の近傍（右腕）とを含むカメラ画像が表示されていれば、医師３８は、撮影部位全体を把握しながら適切な指示を操作者３２に与えることができると共に、操作者３２は、撮影部位全体を把握しながら所定の作業を行うことができ、この結果、撮影準備を効率よく遂行することが可能となる。
【０２９０】
一方、撮影メニューの設定時や放射線画像の撮影後では、前述のように、各画面４００、４３０は、互いに異なる表示内容を表示してもよい。
【０２９１】
また、本実施形態において、現場側では、ウェブカメラ３３０が放射線源本体部１６と一体的に構成されると共に、ウェブカメラ３０が携帯情報端末３４と一体的に構成されているので、部品点数が削減され、現場における放射線画像撮影装置１０の組立て及び収容が容易になる。
【０２９２】
さらに、本実施形態では、ウェブカメラ３３０は、カセッテ本体部２２及び被写体１８のうち少なくとも１つを撮影し、ウェブカメラ３０は、カセッテ本体部２２、放射線源本体部１６及び被写体１８のうち少なくとも１つを撮影し、ウェブカメラ１１６は、医師３８を撮影する。
【０２９３】
ウェブカメラ３３０のカメラ画像やウェブカメラ３０のカメラ画像が表示部６４に表示されることで、操作者３２は、被写体１８、カセッテ本体部２２及び放射線源本体部１６を直接視認しなくても、表示部６４の表示内容を確認するだけで、被写体１８、カセッテ本体部２２及び放射線源本体部１６の状況を把握することができる。また、ウェブカメラ１１６のカメラ画像が表示部６４に表示されることで、操作者３２は、医師３８が現場を見ているものと認識することができ、安心して現場での作業を遂行することができる。さらに、ウェブカメラ３３０のカメラ画像やウェブカメラ３０のカメラ画像が表示部１１２に表示されることで、医師３８は、現場に直接出向かなくても、被写体１８、カセッテ本体部２２及び放射線源本体部１６を含めた現場の状況を的確に把握することが可能になると共に、操作者３２に対して適切な指示を与えることができる。
【０２９４】
しかも、各表示部６４、１１２は、放射線画像の撮影が行われるまでは、ウェブカメラ３０、３３０のカメラ画像、又は、撮影メニューを他の画像よりも大きく表示する。これにより、放射線画像の撮影前に行われる被写体１８のポジショニングや、撮影メニューの設定を効率よく行うことができる。
【０２９５】
また、前述したように、放射線画像の撮影の状況に応じて、表示部１１２は、医師３８が見たい情報をできるだけ大きく画面４００上に表示すると共に、表示部６４は、操作者３２が見たい情報をできるだけ大きく画面４３０上に表示する。具体的には、下記のような表示が行われる。
【０２９６】
コンソール１０６においてオーダ情報に基づき手技と撮影条件とが設定される際、表示部１１２は、撮影メニューを他の画像よりも大きく表示する。これにより、撮影メニューの設定が一層容易なものとなる。一方、表示部６４は、通信部２１８を介して受信した撮影メニュー中、手技をオーダ情報及び撮影条件よりも大きく表示する。これにより、操作者３２に対して、今回行われる放射線画像の撮影の手技を確実に指示することができる。
【０２９７】
また、少なくとも表示部１１２は、放射線画像の撮影後、該放射線画像を他の画像よりも大きく表示することが望ましい。これにより、撮影メニューに従って適切な放射線画像が得られたか否かを容易に判断することが可能となる。この場合、撮影部位（右手）の放射線画像が、前記撮影部位及び該撮影部位の近傍（右腕の一部）を含むカメラ画像と比較して、大きめ（広め）に表示されていれば、前記放射線画像が読影診断に適した画像であるか否かを正確に判断することができる。
【０２９８】
さらに、各表示部６４、１１２は、放射線画像の再撮影が行われる場合、ウェブカメラ３０、３３０が撮影したカメラ画像、又は、撮影メニューを他の画像よりも大きく表示してもよい。これにより、再撮影に対する撮影準備にかかる時間を短縮することができる。
【０２９９】
なお、再撮影が不要である場合や、１回のみの撮影である場合に、各表示部６４、１１２は、放射線画像の撮影後、撮影メニューを表示せず、他の画像を大きく表示させてもよい。
【０３００】
また、本実施形態において、認証処理部３４４は、ウェブカメラ３０、３３０に写り込んだ被写体１８と、オーダ情報の示す被写体１８とが一致するか否かを判定するので、被写体１８の取り違いによる間違った紐付けの発生や、放射線画像の撮影ミスの発生を回避することができる。
【０３０１】
この場合、ウェブカメラ３０、３３０は、被写体１８の顔を撮影し、認証処理部３４４は、ウェブカメラ３０、３３０が撮影した顔のカメラ画像に基づいて、当該カメラ画像に写り込んだ顔の被写体１８と、オーダ情報の示す被写体１８とが一致するか否かを判定する。このような顔の画像を用いた認証処理を行うことで、カメラ画像に写り込んだ被写体１８が真正な被写体であるか否かを確実に判定することができる。
【０３０２】
より好ましくは、顔のカメラ画像は、被写体１８の瞳孔を含む顔の画像であり、認証処理部３４４は、ウェブカメラ３０、３３０が撮影した瞳孔を含むカメラ画像に基づいて、当該カメラ画像に写り込んだ瞳孔を有する被写体１８と、オーダ情報の示す被写体１８とが一致するか否かを判定すればよい。瞳孔認証処理を行うことで、カメラ画像に写り込んだ被写体１８と、オーダ情報の示す被写体１８との認証処理をより正確に行うことが可能となり、被写体１８の取り違いによる間違った紐付けの発生や、放射線画像の撮影ミスの発生を確実に回避することができる。
【０３０３】
さらに、各表示部６４、１１２は、ウェブカメラ３０、３３０のカメラ画像のうち少なくとも一方と、撮影メニューとを共に表示してもよい。これにより、ウェブカメラ３０、３３０に写り込んでいる被写体１８（の撮影部位）と、撮影メニューの内容とが対応しているか否かを容易に判断することが可能となる。
【０３０４】
さらにまた、各表示部６４、１１２は、放射線画像の撮影後、少なくとも放射線画像と撮影メニューとを共に表示してもよい。これにより、撮影メニューに従って適切な放射線画像が得られたか否かを効率よく行うことができる。
【０３０５】
また、本実施形態に係る放射線画像撮影システム１１、放射線画像撮影方法及び画像表示方法によれば、第２実施例に示したように、放射線画像の撮影前に、現場の通信部２１８から医療機関４０（待機場所）の通信部１０４に現場のカメラ画像が送信され、コンソール１０６は、現場のカメラ画像に写り込んでいる被写体１８の状況に応じて撮影メニューの内容を設定（変更）し、設定後の撮影メニューを通信部１０４から通信部２１８に送信する。この結果、携帯情報端末３４は、設定後の撮影メニューに基づいて放射線源本体部１６及びカセッテ本体部２２を制御し、被写体１８に対する放射線画像の撮影を行わせる。
【０３０６】
このように、本実施形態によれば、放射線画像の撮影前に、被写体１８に応じて撮影メニューを設定し（書き替え）、設定後の撮影メニューに基づいて放射線画像の撮影を行うことにより、適切な放射線画像を取得することが可能となる。
【０３０７】
また、携帯情報端末３４側では、放射線画像の撮影前に、ウェブカメラ３０、３３０が撮影したカメラ画像に写り込んでいる被写体１８と、撮影メニューの示す被写体１８とが一致しているか否かの判定を行い、制御処理部２２２は、その判定結果を通信部２１８を介して通信部１０４に送信する。これにより、医師３８は、設定した撮影メニューが現場にいる被写体１８に応じた撮影メニューであったか否かを把握することが可能となる。
【０３０８】
この場合、カメラ画像に写り込んでいる被写体１８と、撮影メニューの示す被写体１８とが一致することを示す判定結果であった場合、表示部１１２は、該判定結果を画面４００上に表示するので、医師３８は、前記判定結果を容易に把握することができる。
【０３０９】
また、両者が一致することを示す判定結果の通知後、医師３８が曝射スイッチ１２０を操作（又はアイコン５７２をクリック）したときに、制御信号生成部３４６は、通信部１０４から通信部２１８に曝射制御信号を送信し、携帯情報端末３４は、受信した曝射制御信号に基づく同期制御信号と、撮影メニューとに基づいて、放射線源本体部１６及びカセッテ本体部２２を制御し、放射線画像の撮影を行わせる。これにより、放射線画像の撮影を確実に実行することができる。
【０３１０】
これに対して、第３実施例に示したように、カメラ画像に写り込んでいる被写体１８と、撮影メニューの示す被写体１８とが一致しないことを示す判定結果であった場合、制御処理部２２２は、表示部１１２の画面４００上に当該判定結果を表示すると共に、スピーカ１１８から音で警告してもよい。これにより、現場の被写体１８に対応しない撮影メニューであったことを医師３８に伝達することが可能となり、この結果、当該被写体１８に応じた撮影メニューの変更等の作業に直ちに取り掛かることが可能となる。
【０３１１】
この場合、コンソール１０６側では、カメラ画像に写り込んでいる被写体１８の状況に応じて、撮影メニュー中、オーダ情報、手技及び撮影条件のうち少なくとも１つを変更する。これにより、被写体１８に応じた的確な撮影メニューを設定することができる。
【０３１２】
ここで、カメラ画像に写り込んでいる被写体１８が、オーダ情報の示す被写体１８とは異なる場合、あるいは、オーダ情報の示す被写体１８と一致しても撮影部位が異なる場合には、オーダ情報、手技及び撮影条件の順に撮影メニューの内容を変更すればよい。被写体１８が異なる場合や撮影部位が異なる場合には、オーダ情報そのものを変更する必要があるため、オーダ情報、手技及び撮影条件の順に撮影メニューの内容を変更することで、より正確な撮影メニューを設定することができる。
【０３１３】
また、カメラ画像に写り込んでいる被写体１８が、オーダ情報の示す被写体１８と一致しても手技が異なる場合には、手技及び撮影条件の順に撮影メニューの内容を変更すればよい。この場合でも、より正確な撮影メニューを設定することができる。
【０３１４】
また、通信部２１８から通信部１０４に少なくとも現場のカメラ画像及び放射線画像を送信し、各表示部６４、１１２がカメラ画像、放射線画像及び撮影メニューのうち、少なくとも１つを表示可能とすればよい。これにより、医師３８は、表示部１１２の表示内容を確認しながら、被写体１８に応じた正確な撮影メニューを設定することが可能になる一方で、操作者３２は、表示部６４の表示内容を確認して、被写体１８に応じた撮影メニューになっているか否かを容易に判断することが可能となる。
【０３１５】
そして、撮影メニューの変更時には、現場のカメラ画像が他の画像よりも大きく表示されるように、当該カメラ画像及び撮影メニューを表示部１１２に共に表示させる。これにより、医師３８による撮影メニューの設定の作業負担を軽減することができる。
【０３１６】
さらに、本実施形態に係る放射線画像撮影システム１１、放射線画像撮影方法及び画像表示方法によれば、通信部２１８から通信部１０４に現場のカメラ画像（ウェブカメラ３０、３３０が撮影した光学画像）及び放射線画像が送信される一方で、通信部１０４から通信部２１８には少なくとも撮影メニューが送信される。そして、コンソール１０６又は携帯情報端末３４は、少なくとも撮影メニュー、放射線画像及び現場のカメラ画像を紐付けしてメモリ２２４、２２８に記憶する。
【０３１７】
このように、放射線画像の撮影後に、少なくとも撮影メニュー、放射線画像及び現場のカメラ画像を紐付けしてメモリ２２４、２２８に記憶することで、現場の被写体１８の情報と、当該被写体１８の放射線画像との紐付けを正確に行うことができ、この結果、医師３８による読影診断を適切に且つ効率よく行うことが可能となる。
【０３１８】
この場合、ウェブカメラ３３０は、カセッテ本体部２２と、該カセッテ本体部２２に対してポジショニングされた被写体１８の撮影部位とを撮影し、ウェブカメラ３０は、被写体１８を撮影するか、あるいは、カセッテ本体部２２、該カセッテ本体部２２に対してポジショニングされた被写体１８の撮影部位及び放射線源本体部１６を撮影する。被写体１８の放射線画像と、当該放射線画像に関係するカメラ画像（例えば、撮影部位の光学画像）とが紐付けされるので、医師３８による読影診断が一層容易なものとなる。
【０３１９】
また、前述したように、認証処理部３４４は、ウェブカメラ３０が撮影したカメラ画像中の被写体１８の（瞳孔を含む）顔の画像を用いて生体認証処理（瞳孔認証処理）を行うので、誤った情報が紐付けされることを回避することができ、この結果、紐付けされた各情報の信頼性を高めることができる。
【０３２０】
また、認証処理部３４４は、カメラ画像に写り込んだ被写体１８と、オーダ情報の示す被写体１８とが一致するか否かを判定し、その認証結果を通信部１０４から通信部２１８に送信する。携帯情報端末３４の表示部６４は、通信部１０４を介して受信した認証結果を画面４３０に表示する。これにより、紐付けされるカメラ画像に写り込んだ被写体１８と、撮影メニューの示す被写体１８とが一致していなければ、操作者３２は、撮影メニューの示す真正な被写体１８を現場から再度見つけ出すことも可能となる。
【０３２１】
また、コンソール１０６又は携帯情報端末３４は、上記の各情報（画像）に加え、ウェブカメラ１１６のカメラ画像も紐付けしてメモリ２２４、２２８に記憶してもよい。これにより、放射線画像の撮影を指示した医師３８の情報も紐付けすることが可能となる。
【０３２２】
また、各表示部６４、１１２は、撮影メニュー、放射線画像、現場のカメラ画像及びウェブカメラ１１６のカメラ画像を並べて表示してもよい。これにより、紐付けされる画像及び情報が一括して表示されるので、医師３８及び操作者３２は、どのような情報が紐付けされたのかを容易に把握することができる。
【０３２３】
また、紐付けされた情報が記憶されるメモリとしては、コンソール１０６のメモリ２２８、携帯情報端末３４のメモリ２２４、あるいは、メモリカード９２やＵＳＢメモリ３３４であることが望ましい。この場合、紐付けされる情報は、暗号化した後に記憶されることが好ましい。
【０３２４】
なお、メモリカード９２は、携帯情報端末３４のカードスロット９４に対して着脱可能であると共に、ＵＳＢメモリ３３４は、ＵＳＢ端子８４、８８、９０に対して着脱可能であるため、携帯情報端末３４に装着されたメモリカード９２及び／又はＵＳＢメモリ３３４に、暗号化された紐付け後の情報を記憶する場合に、制御処理部２２２は、メモリカード９２及び／又はＵＳＢメモリ３３４に対する記憶処理が完了した後に、携帯情報端末３４からのメモリカード９２及び／又はＵＳＢメモリ３３４の抜き取りを許可するための通知を表示部６４に表示させるか、又は、スピーカ７８から音として出力してもよい。
【０３２５】
あるいは、携帯情報端末３４に装着されたメモリカード９２及び／又はＵＳＢメモリ３３４の抜き取りを防止するための図示しないロック機構が携帯情報端末３４に設けられている場合に、制御処理部２２２は、メモリカード９２及び／又はＵＳＢメモリ３３４に対する記憶処理が完了した後に、前記ロック機構による抜き取り防止機能を解除させて、携帯情報端末３４からメモリカード９２及び／又はＵＳＢメモリ３３４を抜き取り可能な状態としてもよい。この場合でも、制御処理部２２２は、抜き取り可能な状態になったことを示す通知を、表示部６４に表示させるか、又は、スピーカ７８から音として出力してもよい。
【０３２６】
なお、本実施形態では、上記の各効果に加え、下記の効果も得られる。
【０３２７】
災害現場や在宅看護の現場等において、携帯情報端末３４と一体的に構成された（携帯情報端末３４に内蔵された）ウェブカメラ３０や、放射線源本体部１６と一体的に構成された（放射線源本体部１６に内蔵された）ウェブカメラ３３０は、少なくともカセッテ本体部２２（に収容された放射線検出器２０に対応するガイド線４６）を撮影し、通信部２１８は、ウェブカメラ３０、３３０が撮影したカメラ画像を、ネットワーク３６を介して医療機関４０に設けられた通信部１０４に送信する。
【０３２８】
これにより、被写体１８を直視することができない（遠隔地の）医療機関４０に待機している医師（又は放射線技師）３８は、通信部２１８が受信した各カメラ画像に基づき、災害現場や在宅看護の現場にいる放射線画像撮影装置１０の操作者３２に対して、リアルタイムで被写体１８の撮影を指示することができる。従って、災害現場や在宅看護の現場に医師３８が直接出向かなくても、すなわち、診療放射線技師の資格保有者ではない（被写体１８に対する放射線１２の照射の権限を有しない）操作者３２に同行しなくても、被写体１８に対する撮影を遂行することが可能となる。
【０３２９】
この場合、ガイド線４６の外枠は、撮影間距離がＳＩＤに設定されたときの放射線１２の照射野に対応し、ウェブカメラ３０は、このガイド線４６の外枠を撮影する。従って、医師３８は、ウェブカメラ３０のカメラ画像を見て、被写体１８の撮影部位がガイド線４６の外枠に納まっていれば（ガイド線４６の内側に写り込んでいれば）、被写体１８に対して放射線１２を照射することにより、適切な放射線画像が得られると判断することができる。一方、被写体１８の撮影部位がガイド線４６から外れている場合や、撮影部位の一部しかガイド線４６の内側に入っていない場合、医師３８は、この状態で、被写体１８に対して放射線１２を照射すれば、所望の放射線画像が得られないと判断することができる。
【０３３０】
このように、ウェブカメラ３０がガイド線４６を撮影し、医師３８は、ウェブカメラ３０のカメラ画像を見ながら（モニタしながら）、ガイド線４６の外枠内に被写体１８の撮影部位が納まっているか否かを判断することにより、適切な放射線画像が得られるか否かを判断することができる。この結果、医師３８は、被写体１８及び操作者３２を直視することができない状態であっても、現場に出向いている操作者３２に対して適切な撮影準備の指示を与えることが可能となる。
【０３３１】
また、ウェブカメラ３０は、前述のように、携帯情報端末３４の蓋部６６の上面側に内蔵されて、携帯情報端末３４と一体的に構成されている。この場合、ウェブカメラ３０は、図１、図２及び図４〜図６に示す状態で、放射線源本体部１６と、被写体１８と、ガイド線４６を含めたカセッテ本体部２２とを撮影するので、ガイド線４６を含むカメラ画像を確実に得ることができる。
【０３３２】
また、ウェブカメラ３３０も、前述のように、放射線源本体部１６における放射線１２の出力箇所の近傍に内蔵されて、放射線源本体部１６と一体的に構成されている。この場合、ウェブカメラ３３０は、図１、図２、図３Ｂ及び図４〜図６に示す状態で、被写体１８の撮影部位と、ガイド線４６を含めたカセッテ本体部２２とを撮影するので、ガイド線４６を含むカメラ画像を確実に得ることができる。
【０３３３】
また、操作者３２が携帯情報端末３４を操作しながら被写体１８に指示を出して、ガイド線４６に対する被写体１８の位置決めを行うことにより、操作者３２による携帯情報端末３４の操作中に、放射線源１４から被写体１８に放射線１２が照射されても、該操作者３２の被曝を確実に回避することが可能となる。
【０３３４】
さらに、ウェブカメラ３０を内蔵する携帯情報端末３４の通信部２１８は、アンテナ２１６及びネットワーク３６を介して医療機関４０にカメラ画像を送信するので、該カメラ画像を確実に医療機関４０に送信することができる。
【０３３５】
この場合、携帯情報端末３４の制御処理部２２２は、放射線源１４からの放射線１２の出力と、放射線検出器２０における放射線１２から放射線画像への変換との同期を取るための同期制御信号を生成し、通信部２１８は、放射線源本体部１６の通信部１３６及びカセッテ本体部２２の通信部１７０に前記同期制御信号を送信するので、放射線画像の撮影時における放射線源１４と放射線検出器２０との時刻同期を確実に取ることができる。
【０３３６】
さらに、携帯情報端末３４からネットワーク３６を介して無線通信により医療機関４０に前述したウェブカメラ３０、３３０のカメラ画像や放射線画像が送信されるので、医療機関４０にいる医師３８は、コンソール１０６の表示部１１２に表示されたカメラ画像や放射線画像を視認することにより、現場にいる操作者３２や被写体１８に対して適切な指示を出すことが可能となる。
【０３３７】
また、コンソール１０６には、放射線源１４からの放射線１２の出力を開始させるための曝射スイッチ１２０が設けられている。この場合、表示部１１２に表示されたカメラ画像に基づいて、医師３８が曝射スイッチ１２０を投入すると、コンソール１０６の制御処理部２２６は、放射線源１４からの放射線１２の出力を開始させるための曝射制御信号を生成して、通信部１０４からネットワーク３６を介して携帯情報端末３４に送信する。これにより、携帯情報端末３４の制御処理部２２２は、通信部２１８で受信した曝射制御信号に基づいて同期制御信号を生成し、放射線源本体部１６及びカセッテ本体部２２に送信する。
【０３３８】
従って、医師３８は、災害現場や在宅看護の現場に出向かなくても、被写体１８を直視することができない医療機関４０において、該被写体１８をモニタしながら、リアルタイムで撮影行為を行うことができる。
【０３３９】
具体的に、撮影準備が完了した段階で、医師３８は、ウェブカメラ３０、３３０のカメラ画像中、被写体１８の撮影部位がガイド線４６の外枠内に写り込んでいれば、曝射スイッチ１２０を投入して被写体１８に対する放射線画像の撮影を開始させ、一方で、前記カメラ画像中、被写体１８の撮影部位がガイド線４６の外枠内に写り込んでいないか、あるいは、前記撮影部位の一部しか前記外枠内に写り込んでいなければ、曝射スイッチ１２０を投入せず、撮影準備のやり直しを操作者３２に指示する。
【０３４０】
これにより、医療機関４０からの遠隔操作による撮影行為を、簡単に且つ確実に行うことが可能となる。
【０３４１】
しかも、医師３８から現場の操作者３２に対する指示を表示部６４の画面表示や、スピーカ７８からの音声出力で行うことにより、現場の操作者３２に対する指示を的確に且つ効率よく伝達することができる。
【０３４２】
さらに、ウェブカメラ３０、３３０から出力されるカメラ画像が、動画像や所定時間間隔で間欠的に撮影された静止画像であれば、医師３８は、現場の操作者３２に対してタイムリーに指示を出すことができる。勿論、撮影準備段階の所定時刻に撮影した静止画像のカメラ画像であっても、医師３８は、撮影可能な状態にあるか否かを判断することができる。
【０３４３】
また、ウェブカメラ３０、３３０が光学カメラであることにより、医師３８に対して、視認しやすいカメラ画像を表示することが可能となる。
【０３４４】
なお、上記の説明では、表示部６４による画面表示と、スピーカ７８からの音声出力との双方により、医師３８からの指示内容を操作者３２に伝達する場合について説明したが、表示部６４による画面表示のみ、あるいは、スピーカ７８からの音声出力のみにより前記指示内容を伝達することも可能である。
【０３４５】
また、上記の説明では、医師３８から操作者３２に対して指示内容を伝達し、操作者３２が前記指示内容に従って被写体１８の位置決めを行うようにしている。この場合、スピーカ７８から出力される音声を被写体１８も聞いているので、医師３８から被写体１８に指示内容を直接伝達して、該被写体１８の位置決めを行わせるようにしてもよい。あるいは、被写体１８は、位置決めの前に表示部６４に表示される指示内容を自ら確認し、その後、前記指示内容に従って、ガイド線４６に対する位置決めを行ってもよい。
【０３４６】
さらに、上記の説明では、携帯情報端末３４から放射線源本体部１６及びカセッテ本体部２２に同期制御信号を送信する場合について説明したが、これに代えて、コンソール１０６の制御信号生成部３４６で同期制御信号を生成し、ネットワーク３６及び携帯情報端末３４を介して放射線源本体部１６及びカセッテ本体部２２に同期制御信号を送信してもよい。
【０３４７】
さらにまた、スイッチ５０の投入によりカセッテ本体部２２が起動する構成に代えて、操作者３２による操作部６０の操作や、医師３８による操作部１１４の操作や、操作者３２による取手３１０の把持に伴うタッチセンサ３１２からの検出信号の出力に起因して、カセッテ本体部２２が起動するようにしてもよい。
【０３４８】
また、放射線源本体部１６における放射線１２の出力箇所とは反対側の箇所に、操作者３２が把持する取手３１０を設けることで、操作者３２は、一方の手で取手３１０を把持しながら、ウェブカメラ３３０が内蔵された放射線源本体部１６を被写体１８及びカセッテ本体部２２に向けると共に、表示部６４を見ながら他方の手で携帯情報端末３４を操作する。この場合、ウェブカメラ３３０が撮影したカメラ画像は、表示部６４に表示されるので、操作者３２は、このカメラ画像を見ながら、放射線源本体部１６を所望の位置に移動させつつ、被写体１８のポジショニングを行うことができる。また、操作者３２が取手３１０を把持している最中に放射線１２が出力された場合でも、操作者３２への放射線１２の照射（操作者３２の被曝）を確実に回避することができる。
【０３４９】
特に、周囲に障害物が多く存在する災害現場では、このような実施形態の適用は効果的である。すなわち、災害現場では、障害物が多数存在し、さらには、負傷等により被写体１８の移動が困難であるため、所定の場所に放射線源本体部１６及びカセッテ本体部２２を固定して、放射線源本体部１６とカセッテ本体部２２との間に被写体１８を案内することは現実的に難しい。従って、被写体１８に合わせて放射線源本体部１６及びカセッテ本体部２２を配置せざるを得ない場合が多い。そのため、操作者３２は、放射線源本体部１６を被写体１８に向けることは可能であっても、障害物の存在により被写体１８を直視することが困難であり、従って、被写体１８のポジショニングを行うことは容易ではない。
【０３５０】
そこで、本実施形態では、災害現場において、操作者３２が一方の手で取手３１０を把持しながら放射線源本体部１６を被写体１８及びカセッテ本体部２２に向けると、ウェブカメラ３３０は、被写体１８及びカセッテ本体部２２を撮影し、そのカメラ画像は、表示部６４に表示される。従って、操作者３２は、表示部６４に表示された当該カメラ画像を見ながら他方の手で携帯情報端末３４を操作したり、あるいは、放射線源本体部１６の位置調整及び被写体１８のポジショニングを容易に行うことができる。
【０３５１】
なお、取手３１０には、静電容量式又は抵抗膜式のタッチセンサ３１２が設けられているので、線源制御部１３８又は制御処理部２２２は、前記検出信号に基づいて、放射線源本体部１６を起動し、あるいは、カセッテ本体部２２を動作させることも可能となる。
【０３５２】
また、携帯情報端末３４と放射線源本体部１６及びカセッテ本体部２２との間において、図示しないＵＳＢケーブルを介して電気的に接続し、携帯情報端末３４のバッテリ２２０から放射線源本体部１６のバッテリ１３４やカセッテ本体部２２のバッテリ１６６を確実に充電するようにしてもよい。これにより、バッテリ１３４、１６６の充電に加え、信号の送受信も確実に行うことができる。すなわち、携帯情報端末３４から放射線源本体部１６及びカセッテ本体部２２への同期制御信号や撮影条件の送信や、カセッテ本体部２２から携帯情報端末３４への放射線画像の送信を確実に行うことができる。
【０３５３】
なお、バッテリ１３４、１６６を充電する際には、少なくとも被写体１８の撮影枚数に応じた充電量だけバッテリ１３４、１６６を充電できればよい。これにより、撮影時に、前記撮影枚数分の撮影を確実に行うことができる。
【０３５４】
あるいは、放射線画像の撮影前の時間帯にのみバッテリ１３４、１６６を充電してもよい。これにより、撮影時、及び、撮影後の放射線画像の送信時にはバッテリ１３４、１６６が充電されることはないので、撮影中、電荷信号（アナログ信号）に充電に起因したノイズが重畳したり、又は、放射線画像の送信中に前記ノイズが当該放射線画像に重畳することを回避することができる。
【０３５５】
また、上記の説明では、曝射スイッチ１２０の投入、又は、アイコン５７２のクリックによって放射線画像の撮影が開始されるが、医師３８の指示に従って該撮影が開始されればよいので、例えば、タッチパネル式の表示部１１２の画面上に曝射ボタン（曝射スイッチ）を表示させ、医師３８が前記曝射ボタンを押すことにより、撮影が開始されてもよいし、あるいは、操作部１１４の１つのボタンを曝射スイッチ専用とし、このボタンの投入によって撮影を開始してもよい。
【０３５６】
さらに、カセッテ本体部２２は、筐体の形状を有しているが、放射線検出器２０等の箇所については、可撓性を有するシート状の形状としてもよい。シート状とすることでロール状に巻取可能となるので、カセッテ本体部２２を含めた放射線画像撮影装置１０全体のさらなる小型化及び軽量化を実現することができる。
【０３５７】
さらに、バッテリ２２０からバッテリ１３４、１６６を充電する場合には、３つのバッテリのうち、１つのバッテリを放射線画像撮影装置１０全体の電源とみなし、この１つのバッテリから残り２つのバッテリを充電してもよい。
【０３５８】
さらにまた、上記の説明では、ウェブカメラ３０が撮影したカメラ画像を携帯情報端末３４の通信部２１８からネットワーク３６を介して医療機関４０の通信部１０４に送信する場合について説明したが、本実施形態は、これに限定されるものではない。
【０３５９】
例えば、放射線源本体部１６の通信部１３６やカセッテ本体部２２の通信部１７０に、ネットワーク３６を介して通信部１０４と通信可能な機能を持たせて、これらの通信部１３６、１７０からカメラ画像を送信してもよい。
【０３６０】
このような通信機能を通信部１３６、１７０に持たせることにより、通信部１７０からネットワーク３６を介して通信部１０４に放射線画像を直接送信することや、通信部１７０から通信部１３６及びネットワーク３６を介して通信部１０４に放射線画像を送信することも可能となる。
【０３６１】
また、放射線画像撮影装置１０と医療機関４０との間での全ての信号の送受信を、通信部１３６と通信部１０４との間で行ったり、又は、通信部１７０と通信部１０４との間で行うことも可能となる。
【０３６２】
つまり、本実施形態では、同一のリンク内に携帯情報端末３４と放射線源本体部１６とカセッテ本体部２２とが無線を介して接続され、信号を送受信するためのケーブル（ＵＳＢケーブル）が不要であるため、操作者３２の作業に支障を来すおそれがない。従って、操作者３２は、自己の作業を効率よく行うことが可能となる。また、ケーブルを不要としたことにより、放射線画像撮影装置１０の部品点数が削減されて、現場における組立作業が容易になる。
【０３６３】
さらに、前述のように、同一のリンク内に携帯情報端末３４、放射線源本体部１６及びカセッテ本体部２２が存在しているので、医療機関４０の通信部１０４との間でのカメラ画像、放射線画像等の信号の送受信は、通信部１３６、１７０、２１８のうち、いずれか１つの通信部を介して行えばよい。
【０３６４】
なお、本実施形態では、無線通信に代えて、赤外線等を用いた光無線通信で信号の送受信を行ってもよい。
【０３６５】
さらに、上記の説明において、放射線画像撮影装置１０と医療機関４０との間では、ネットワーク３６を介して無線通信により信号の送受信が行われているが、本実施形態は、これに限定されるものではなく、他の通信形態により信号の送受信を行ってもよいことは勿論である。
【０３６６】
すなわち、放射線画像撮影装置１０と医療機関４０との間では、ネットワーク３６を介して有線通信により信号の送受信を行ってもよい。
【０３６７】
あるいは、ネットワーク３６を介して有線通信及び無線通信により、信号の送受信を行ってもよい。具体的に、ネットワーク３６中に中継器（中継装置）が存在すれば、前記中継器までは有線通信（又は無線通信）により信号の送受信を行い、前記中継器から先は、無線通信（又は無線通信）により信号の送受信を行う。
【０３６８】
また、携帯情報端末３４に携帯電話機等の他の携帯端末を電気的に接続し、該他の携帯端末の通信機能を利用して、医療機関４０との間や、放射線源本体部１６及びカセッテ本体部２２との間で信号の送受信を行ってもよい。この場合、前記他の携帯端末の通信部が通信部２１８として機能する。
【０３６９】
さらに、本実施形態は、光読出方式の放射線検出器を利用して放射線画像を取得する場合にも適用することが可能である。この光読出方式の放射線検出器では、各固体検出素子に放射線が入射すると、その線量に応じた静電潜像が固体検出素子に蓄積記録される。静電潜像を読み取る際には、放射線検出器に読取光を照射し、発生した電流の値を放射線画像として取得する。なお、放射線検出器は、消去光を放射線検出器に照射することで、残存する静電潜像である放射線画像を消去して再使用することができる（特開２０００−１０５２９７号公報参照）。
【０３７０】
さらにまた、放射線画像撮影装置１０では、血液やその他の雑菌が付着するおそれを防止するために、例えば、装置全体を防水性、密閉性を有する構造とし、必要に応じて殺菌洗浄することにより、１つの放射線画像撮影装置１０を繰り返し続けて使用することができる。
【０３７１】
さらに、本実施形態では、医療機関４０内の必要な箇所に、図９９に示すように、各バッテリ１３４、１６６、２２０（図１２参照）の充電を行うクレードル２３０を配置すると好適である。
【０３７２】
この場合、携帯情報端末３４とクレードル２３０との間をコネクタ２３６、２３８を有するＵＳＢケーブル２３４で電気的に接続し、放射線源本体部１６とクレードル２３０との間をコネクタ５８、８２を有するＵＳＢケーブル２４で電気的に接続し、且つ、カセッテ本体部２２とクレードル２３０との間をコネクタ５２、８６を有するＵＳＢケーブル２６で電気的に接続する。
【０３７３】
クレードル２３０は、バッテリ１３４、１６６、２２０の充電だけでなく、クレードル２３０の無線通信機能又は有線通信機能を用いて、医療機関４０内のコンソール１０６やＲＩＳとの間で必要な情報の送受信を行うようにしてもよい。送受信する情報には、放射線画像撮影装置１０に記録された放射線画像を含めることができる。
【０３７４】
また、クレードル２３０に表示部２３２を配設し、この表示部２３２に対して、放射線画像撮影装置１０の充電状態や、放射線画像撮影装置１０から取得した放射線画像を含む必要な情報を表示させるようにしてもよい。
【０３７５】
さらに、複数のクレードル２３０をネットワークに接続し、各クレードル２３０に接続されている放射線画像撮影装置１０の充電状態をネットワークを介して収集し、使用可能な充電状態にある放射線画像撮影装置１０の所在を確認できるように構成することもできる。
【０３７６】
なお、上記の説明では、災害現場や在宅看護の現場における放射線画像の撮影について説明したが、本実施形態は、これらの現場における撮影に限定されることはなく、検診車に搭載して、健康診断における被写体の撮影に適用することや、医療機関４０内での回診時における患者の撮影に適用することも可能である。あるいは、本実施形態は、このような医療関連の放射線画像の撮影に限定されるものではなく、例えば、各種の非破壊検査における放射線画像の撮影にも適用可能であることは勿論である。
【０３７７】
次に、本実施形態の変形例（第１〜第１０変形例）を図１００〜図１０９を参照しながら説明する。
【０３７８】
なお、これらの変形例において、図１〜図９９と同じ構成要素については、同じ参照数字を付けて説明し、詳細な説明を省略する。また、図１００〜図１０９では、ネットワーク３６及び医療機関４０の図示を省略する。
【０３７９】
第１変形例に係る放射線画像撮影装置１０Ａ及び放射線画像撮影システム１１Ａは、図１００に示すように、携帯情報端末３４と放射線源本体部１６及びカセッテ本体部２２との間の信号の送受信を、有線通信により行う点で、図１〜図９９の実施形態とは異なる。
【０３８０】
すなわち、携帯情報端末３４と放射線源本体部１６及びカセッテ本体部２２との間は、ＵＳＢケーブル２４、２６を介して電気的に接続されているので、携帯情報端末３４のバッテリ２２０から放射線源本体部１６のバッテリ１３４やカセッテ本体部２２のバッテリ１６６を確実に充電することができると共に、信号の送受信も確実に行うことができる。このように、ＵＳＢケーブル２４、２６を用いた有線による電力供給と信号の送受信（信号の伝送）とが可能になることで、携帯情報端末３４から放射線源本体部１６及びカセッテ本体部２２への同期制御信号や撮影条件の送信や、カセッテ本体部２２から携帯情報端末３４への放射線画像の送信を確実に行うことができる。
【０３８１】
第２変形例に係る放射線画像撮影装置１０Ｂ及び放射線画像撮影システム１１Ｂは、図１０１に示すように、ウェブカメラ３３０が放射線源本体部１６に収容され、該ウェブカメラ３０が設けられていない点で、図１〜図１００の実施形態とは異なる。
【０３８２】
この場合、ウェブカメラ３３０は、放射線画像の撮影前に被写体１８の瞳孔を含む顔の画像の撮影も行う。すなわち、ウェブカメラ３３０は、図１〜図１００の実施形態におけるウェブカメラ３０の機能も兼ねている。
【０３８３】
このように、第２変形例は、ウェブカメラ３０がない点以外は、図１〜図１００の実施形態と同様であるため、ウェブカメラ３０が存在する点以外の図１〜図１００の各効果が容易に得られることは勿論である。
【０３８４】
第３変形例に係る放射線画像撮影装置１０Ｃ及び放射線画像撮影システム１１Ｃは、図１０２に示すように、ウェブカメラ３０が携帯情報端末３４に収容され、ウェブカメラ３３０が設けられていない点で、図１〜図１００の実施形態とは異なる。
【０３８５】
第３変形例は、ウェブカメラ３３０がない点以外は、図１〜図１００の実施形態と同様であるため、ウェブカメラ３３０が存在する点以外の図１〜図１００の各効果が容易に得られることは勿論である。
【０３８６】
第４変形例に係る放射線画像撮影装置１０Ｄ及び放射線画像撮影システム１１Ｄは、図１０３に示すように、ウェブカメラ３３０と放射線源本体部１６とがＵＳＢケーブル２４０を介して接続（一体的に構成）されている点で、第２変形例（図１０１参照）とは異なる。
【０３８７】
第４変形例は、ウェブカメラ３３０がＵＳＢケーブル２４０を介して放射線源本体部１６と接続されている点以外は、第２変形例と同様であるため、第２変形例と同様の効果が得られる。また、ＵＳＢケーブル２４０の長さの範囲内であれば、ウェブカメラ３３０を所望の位置に自立した状態で配置することが可能であるため、放射線源本体部１６にウェブカメラ３３０を内蔵させた構成と比較して、ウェブカメラ３３０のポジショニングの自由度を高めることができる。なお、ウェブカメラ３３０には、通信部２６０が搭載されているので、該通信部２６０は、ネットワーク３６（図１参照）を介して医療機関４０の通信部１０４との間で、放射線画像やカメラ画像等の信号の送受信を直接行ってもよい。
【０３８８】
第５変形例に係る放射線画像撮影装置１０Ｅ及び放射線画像撮影システム１１Ｅは、図１０４に示すように、ウェブカメラ３０と携帯情報端末３４とがＵＳＢケーブル２４０を介して接続（一体的に構成）されている点で、第３変形例（図１０２参照）とは異なる。
【０３８９】
第５変形例は、ウェブカメラ３０がＵＳＢケーブル２４０を介して携帯情報端末３４と接続されている点以外は、第３変形例と同様であるため、第３変形例と同様の効果が得られる。また、ＵＳＢケーブル２４０の長さの範囲内であれば、ウェブカメラ３０を所望の位置に自立した状態で配置することが可能であるため、携帯情報端末３４にウェブカメラ３０を内蔵させた構成と比較して、ウェブカメラ３０のポジショニングの自由度を高めることができる。なお、ウェブカメラ３０には、通信部２６０が搭載されているので、該通信部２６０は、ネットワーク３６（図１参照）を介して医療機関４０の通信部１０４との間で、放射線画像やカメラ画像等の信号の送受信を直接行ってもよい。
【０３９０】
第６変形例に係る放射線画像撮影装置１０Ｆ及び放射線画像撮影システム１１Ｆは、図１０５に示すように、ウェブカメラ３０（３３０）と、携帯情報端末３４及び放射線源本体部１６とが別体とされている点で、図１〜図１０４の実施形態とは異なる。
【０３９１】
この場合、同一のリンク内に携帯情報端末３４と放射線源本体部１６とカセッテ本体部２２とウェブカメラ３０（３３０）とが無線を介して接続されているので、医療機関４０の通信部１０４（図１参照）との間でのカメラ画像、放射線画像等の信号の送受信は、通信部１３６、１７０、２１８（図１２参照）及びウェブカメラ３０（３３０）の通信部２６０のうち、いずれか１つの通信部を介して行えばよい。例えば、ウェブカメラ３０（３３０）は、通信部２６０からネットワーク３６（図１参照）を介して医療機関４０にカメラ画像を直接送信するか、あるいは、通信部２６０から放射線源本体部１６の通信部１３６、カセッテ本体部２２の通信部１７０、又は、携帯情報端末３４の通信部２１８を介して医療機関４０にカメラ画像を間接的に送信すればよい。この場合でも、医師３８は、ウェブカメラ３０（３３０）のカメラ画像を見ることが可能である。
【０３９２】
また、ウェブカメラ３０（３３０）が自立した状態で配置されているので、ウェブカメラ３０（３３０）を所望の位置に配置することが可能であり、従って、ウェブカメラ３０（３３０）のポジショニングの自由度をさらに高めることができる。
【０３９３】
なお、第６変形例は、携帯情報端末３４、ウェブカメラ３０（３３０）、放射線源本体部１６及びカセッテ本体部２２間で無線通信により信号の送受信が行われる点以外は、図１〜図１０４の実施形態と同様であるため、前記無線通信により信号の送受信が行われる点以外の図１〜図１０４の各効果も得ることが可能である。
【０３９４】
第７変形例に係る放射線画像撮影装置１０Ｇ及び放射線画像撮影システム１１Ｇは、図１０６に示すように、携帯情報端末３４の操作時における操作者３２を撮影するウェブカメラ２４６が蓋部６６にさらに設けられている点で、図１〜図１０５の実施形態とは異なる。
【０３９５】
この場合、携帯情報端末３４は、ネットワーク３６を介して無線通信によりウェブカメラ２４６のカメラ画像（操作者３２の画像）を医療機関４０（図１参照）に送信するので、操作者３２は、表示部６４に表示される医師３８の画像を見ながら撮影に関わる指示を仰ぐ一方で、医師３８は、表示部１１２に表示される操作者３２の画像を見ながら該操作者３２に対する指示を出す。従って、操作者３２は、遠隔地の医療機関４０にいる医師３８を身近に感じることができる一方で、医師３８は、現地にいる操作者３２を身近に感じることができるので、安心して撮影準備等を遂行することができる。また、他の情報と共にウェブカメラ２４６のカメラ画像を紐付けしてメモリ２２８等に記憶してもよいことは勿論である。さらに、第７変形例は、ウェブカメラ２４６が設けられている点以外は、図１〜図１０５の実施形態と同様であるため、図１〜図１０５の各効果も容易に得られることは勿論である。
【０３９６】
第８変形例に係る放射線画像撮影装置１０Ｈ及び放射線画像撮影システム１１Ｈは、図１０７に示すように、放射線源本体部１６が蓋部６６に連結して一体化されている点で、図１〜図１０６の実施形態とは異なる。
【０３９７】
従って、現場における放射線画像撮影装置１０Ｈの組立て及び収容が一層容易なものとなる。また、放射線源本体部１６と携帯情報端末３４とが一体的に構成されているので、バッテリ１３４、通信部１３６及び線源制御部１３８（図１２参照）が不要となる。すなわち、バッテリ２２０を放射線源本体部１６のバッテリとして共用化し、制御処理部２２２を放射線源本体部１６の線源制御部として共用化し、さらに、通信部２１８を放射線源本体部１６の通信部として共用化することにより、放射線源本体部１６を簡素化して、放射線画像撮影装置１０Ｈを全体的に小型化することが可能となる。
【０３９８】
さらにまた、放射線源本体部１６と携帯情報端末３４とが一体化されているので、操作者３２は、表示部６４を見ながら、あるいは、操作部６０の操作中に、携帯情報端末３４の位置及び向きを変えることで、カセッテ本体部２２及び被写体１８に対する放射線源本体部１６の位置及び方向も同時に調整することができる。従って、第８変形例では、カセッテ本体部２２及び被写体１８に対する放射線源本体部１６の位置及び方向の調整が一層容易なものとなる。
【０３９９】
なお、図１０７では、ウェブカメラ３０（３３０）は、蓋部６６に内蔵されているが、放射線源本体部１６に内蔵してもよいことは勿論である。また、第８変形例は、放射線源本体部１６と携帯情報端末３４とが一体化されている点以外は、図１〜図１０５の実施形態と同様であるため、放射線源本体部１６及び携帯情報端末３４の一体化以外の図１〜図１０５の各効果も容易に得られることは勿論である。
【０４００】
第９変形例に係る放射線画像撮影装置１０Ｉ及び放射線画像撮影システム１１Ｉは、図１０８に示すように、放射線源１４が従来の熱電子放出型の放射線源であり、放射線源１４のフィラメントに通電するための高電圧電源２５２をさらに備える点で、図１〜図１０７の実施形態とは異なる。
【０４０１】
この場合、放射線源１４及び通信部１３６は、脚部２４８の上端部に装着された筐体２５０内に収容され、該筐体２５０と高電圧電源２５２との間は、ＵＳＢケーブル２４により電気的に接続されている。また、高電圧電源２５２と携帯情報端末３４との間は、コネクタ２５６、２５８を有するＵＳＢケーブル２５４により電気的に接続されている。従って、携帯情報端末３４は、高電圧電源２５２を制御することにより、放射線源１４から放射線１２を出力させることが可能となる。
【０４０２】
また、第９変形例では、従来の熱電子放出型の放射線源１４を用いているので、装置全体が大型化すると共に、部品点数も増えるが、この場合でも、熱電子放出型の放射線源１４である点以外の図１〜図１０７の各効果が得られることは勿論である。
【０４０３】
なお、図１０８に示すように、高電圧電源２５２には、通信部２６２が搭載されている。この場合、通信部２６２は、ネットワーク３６（図１参照）を介して医療機関４０の通信部１０４との間で、放射線画像やカメラ画像等の信号の送受信を行ってもよい。
【０４０４】
第１０変形例に係る放射線画像撮影装置１０Ｊ及び放射線画像撮影システム１１Ｊは、図１０９に示すように、医師３８が待機する検診車３００（待機場所）内にコンソール１０６と、放射線画像撮影装置１０Ｊが収容された複数のアタッシュケース９８とが搭載され、操作者３２（図１参照）は、検診車３００から少なくとも１つのアタッシュケース９８を持ち出して現場まで搬送する点で、図１〜図１０８の場合とは異なる。従って、医師３８が待機する検診車３００の内部は、被写体１８を直視することができない待機場所である。
【０４０５】
この場合でも、現場まで搬送された放射線画像撮影装置１０Ｊと、検診車３００内の通信部１０４との間での無線による信号の送受信、例えば、放射線画像撮影装置１０Ｊから通信部１０４への無線によるカメラ画像や放射線画像の送信が可能であるため、図１〜図１０８と同様の効果が得られる。なお、図１０９では、放射線画像撮影装置１０Ｊと通信部１０４との間で無線による信号の送受信を直接行っている場合を図示しているが、ネットワーク３６（図１参照）を介した無線通信であっても同様の効果が得られることは勿論である。
【０４０６】
また、本実施形態では、図１１０Ａ及び図１１０Ｂに示すように、放射線源本体部１６における放射線１２の出力箇所とは反対側の箇所に凹部３２４を形成し、この凹部３２４に収納式の取手３２０を配設してもよい。前述のタッチセンサ３１２と同様の機能を有するタッチセンサ３２２を取手３２０に設けてもよい。
【０４０７】
ここで、操作者３２が放射線源本体部１６を持たない状態では、取手３２０は、図１１０Ａに示すように凹部３２４に収納されている。一方、操作者３２が取手３２０の基端部側を中心として該取手３２０を回動させると、取手３２０が凹部３２４から引き出された状態となるので、操作者３２は、取手３２０を把持することが可能となる。この場合でも、前述した取手３１０及びタッチセンサ３１２による効果と同様の効果を得ることができる。
【０４０８】
また、取手３２０の収納時（例えば、図７のような放射線源本体部１６の移動時）には、タッチセンサ３１２の電極と操作者３２の手とが接触することがないので、放射線源本体部１６が起動した状態で、放射線源１４から放射線１２が誤って出力されることを回避することができる。
【０４０９】
さらに、本実施形態では、無線通信及び／又は有線通信による信号の送受信について説明したが、被写体１８が放射線源本体部１６とカセッテ本体部２２とに接触して、ＳＩＤが短く設定されている場合には、放射線源本体部１６とカセッテ本体部２２との間の信号の送受信（例えば、同期制御信号の送受信）は、被写体１８を介した人体通信であってもよい。また、操作者３２が放射線源本体部１６と携帯情報端末３４との双方に接触している場合には、放射線源本体部１６と携帯情報端末３４との間の信号の送受信を、操作者３２を介した人体通信で行ってもよい。
【０４１０】
なお、本発明は、上述の実施の形態に限らず、本発明の要旨を逸脱することなく、種々の構成を採り得ることは勿論である。
【符号の説明】
【０４１１】
１０、１０Ａ〜１０Ｊ…放射線画像撮影装置
１１、１１Ａ〜１１Ｊ…放射線画像撮影システム
１２…放射線
１４…放射線源
１６…放射線源本体部
１８…被写体
２０…放射線検出器
２２…カセッテ本体部
３０、１１６、３３０…ウェブカメラ
３４…携帯情報端末
３６…ネットワーク
３８…医師
４０…医療機関
４４…照射面
４６…ガイド線
６０、１１４…操作部
６４、１１２…表示部
７８、１１８…スピーカ
１０４、１３６、１７０、２１８、２６０…通信部
１０６…コンソール
１２０…曝射スイッチ
１３８…線源制御部
１６８…カセッテ制御部
２２２、２２６…制御処理部
２２４、２２８…メモリ
４００、４３０…画面
【図１】
0005665406.tif 000002
【図２】
0005665406.tif 000003
【図３】
0005665406.tif 000004
【図４】
0005665406.tif 000005
【図５】
0005665406.tif 000006
【図６】
0005665406.tif 000007
【図７】
0005665406.tif 000008
【図８】
0005665406.tif 000009
【図９】
0005665406.tif 000010
【図１０】
0005665406.tif 000011
【図１１】
0005665406.tif 000012
【図１２】
0005665406.tif 000013
【図１３】
0005665406.tif 000014
【図１４】
0005665406.tif 000015
【図１５】
0005665406.tif 000016
【図１６】
0005665406.tif 000017
【図１７】
0005665406.tif 000018
【図１８】
0005665406.tif 000019
【図１９】
0005665406.tif 000020
【図２０】
0005665406.tif 000021
【図２１】
0005665406.tif 000022
【図２２】
0005665406.tif 000023
【図２３】
0005665406.tif 000024
【図２４】
0005665406.tif 000025
【図２５】
0005665406.tif 000026
【図２６】
0005665406.tif 000027
【図２７】
0005665406.tif 000028
【図２８】
0005665406.tif 000029
【図２９】
0005665406.tif 000030
【図３０】
0005665406.tif 000031
【図３１】
0005665406.tif 000032
【図３２】
0005665406.tif 000033
【図３３】
0005665406.tif 000034
【図３４】
0005665406.tif 000035
【図３５】
0005665406.tif 000036
【図３６】
0005665406.tif 000037
【図３７】
0005665406.tif 000038
【図３８】
0005665406.tif 000039
【図３９】
0005665406.tif 000040
【図４０】
0005665406.tif 000041
【図４１】
0005665406.tif 000042
【図４２】
0005665406.tif 000043
【図４３】
0005665406.tif 000044
【図４４】
0005665406.tif 000045
【図４５】
0005665406.tif 000046
【図４６】
0005665406.tif 000047
【図４７】
0005665406.tif 000048
【図４８】
0005665406.tif 000049
【図４９】
0005665406.tif 000050
【図５０】
0005665406.tif 000051
【図５１】
0005665406.tif 000052
【図５２】
0005665406.tif 000053
【図５３】
0005665406.tif 000054
【図５４】
0005665406.tif 000055
【図５５】
0005665406.tif 000056
【図５６】
0005665406.tif 000057
【図５７】
0005665406.tif 000058
【図５８】
0005665406.tif 000059
【図５９】
0005665406.tif 000060
【図６０】
0005665406.tif 000061
【図６１】
0005665406.tif 000062
【図６２】
0005665406.tif 000063
【図６３】
0005665406.tif 000064
【図６４】
0005665406.tif 000065
【図６５】
0005665406.tif 000066
【図６６】
0005665406.tif 000067
【図６７】
0005665406.tif 000068
【図６８】
0005665406.tif 000069
【図６９】
0005665406.tif 000070
【図７０】
0005665406.tif 000071
【図７１】
0005665406.tif 000072
【図７２】
0005665406.tif 000073
【図７３】
0005665406.tif 000074
【図７４】
0005665406.tif 000075
【図７５】
0005665406.tif 000076
【図７６】
0005665406.tif 000077
【図７７】
0005665406.tif 000078
【図７８】
0005665406.tif 000079
【図７９】
0005665406.tif 000080
【図８０】
0005665406.tif 000081
【図８１】
0005665406.tif 000082
【図８２】
0005665406.tif 000083
【図８３】
0005665406.tif 000084
【図８４】
0005665406.tif 000085
【図８５】
0005665406.tif 000086
【図８６】
0005665406.tif 000087
【図８７】
0005665406.tif 000088
【図８８】
0005665406.tif 000089
【図８９】
0005665406.tif 000090
【図９０】
0005665406.tif 000091
【図９１】
0005665406.tif 000092
【図９２】
0005665406.tif 000093
【図９３】
0005665406.tif 000094
【図９４】
0005665406.tif 000095
【図９５】
0005665406.tif 000096
【図９６】
0005665406.tif 000097
【図９７】
0005665406.tif 000098
【図９８】
0005665406.tif 000099
【図９９】
0005665406.tif 000100
【図１００】
0005665406.tif 000101
【図１０１】
0005665406.tif 000102
【図１０２】
0005665406.tif 000103
【図１０３】
0005665406.tif 000104
【図１０４】
0005665406.tif 000105
【図１０５】
0005665406.tif 000106
【図１０６】
0005665406.tif 000107
【図１０７】
0005665406.tif 000108
【図１０８】
0005665406.tif 000109
【図１０９】
0005665406.tif 000110
【図１１０】
0005665406.tif 000111